(57)【特許請求の範囲】
【請求項１】
低倍端から高倍端までの間で倍率が変化する光学系であって、
最も物体側に配置され、正の屈折力を有する第１レンズ群と、
前記第１レンズ群よりも像側に配置され、正の屈折力を有する第２レンズ群と、
２つのレンズ群、３つのレンズ群、または４つのレンズ群からなる後群と、からなり、
変倍時に、前記第１レンズ群と前記第２レンズ群との間隔、前記第２レンズ群と前記後群との間隔、および前記後群を構成するレンズ群同士の間隔が変化し、
前記第２レンズ群と前記後群の間に、絞りが配置され、
前記後群の物体側から２つめまでのレンズ群に、所定の正レンズ群が配置され、
前記所定の正レンズ群は正の屈折力を有すると共に、低倍端に比べて高倍端での前記絞りとの間隔が小さくなるレンズ群であり、
前記所定のレンズ群は、２枚以上の互いに隣接する正レンズと、１枚以上の負レンズと、を少なくとも有し、
以下の条件式（１）を満足することを特徴とする変倍光学系。
０＜１／βHG1＜１      （１）
ここで、
βHG1は、高倍端での前記第１レンズ群の結像倍率、
である。
【請求項２】
以下の条件式（２）を満足することを特徴とする請求項１に記載の変倍光学系。
０＜ＢＦL／Ｙ≦４．３      （２）
ここで、
ＢＦLは、低倍端でのバックフォーカス、
Ｙは、前記変倍光学系全系における最大像高、
である。
【請求項３】
絞りよりも像側に、前記所定の正レンズ群が複数配置され、
第１の所定の正レンズ群は、複数の前記所定の正レンズ群のうちで、最も物体側に配置され、
以下の条件式（３）を満足することを特徴とする請求項１または２に記載の変倍光学系。
０＜ΔGpmax／ΔGpobj≦０．６      （３）
ここで、
ΔGpmaxは、前記所定の正レンズ群のうち何れか２つの前記所定の正レンズ群の光軸上の間隔の変化量のうち、最大となる変化量、
ΔGpobjは、前記第１の所定の正レンズ群の光軸上の移動量のうち、最大となる移動量、
である。
ここで、ΔGpmaxは、所定の正レンズ群が３つ以上のレンズ群から構成される場合、当該３つ以上のレンズ群から２つのレンズ群を選択する全ての組み合わせの中で、正レンズ群の光軸上の間隔の変化量のうち、最大となる変化量である。
【請求項４】
以下の条件式（４）を満足することを特徴とする請求項１から３のいずれか一項に記載の変倍光学系。
０．１≦ｆG1／ｆG2≦５      （４）
ここで、
ｆG1は、前記第１レンズ群の焦点距離、
ｆG2は、前記第２レンズ群の焦点距離、
である。
【請求項５】
低倍端から高倍端への変倍時に、絞りが像側から物体側に移動することを特徴とする請求項１から４のいずれか一項に記載の変倍光学系。
【請求項６】
以下の条件式（５）を満足することを特徴とする請求項１または２に記載の変倍光学系。
０．２≦ｆG1／ｆLGp≦１０      （５）
ここで、
ｆG1は、前記第１レンズ群の焦点距離、
ｆLGpは、低倍端での前記所定の正レンズ群の焦点距離、
である。
【請求項７】
所定の正レンズを１つ以上有し、
前記所定の正レンズに、アッベ数が３０以下の高分散の硝材が用いられていることを特徴とする請求項１から６のいずれか一項に記載の変倍光学系。
【請求項８】
以下の条件式（６）を満足することを特徴とする請求項２から７のいずれか一項に記載の変倍光学系。
−１≦ＤHGpop／ＤHGpoi≦０．６５      （６）
ここで、
ＤHGpopは、高倍端での前記所定の正レンズ群における最も物体側のレンズ面から物体側主面までの光軸上の距離、
ＤHGpoiは、高倍端での前記所定の正レンズ群における最も物体側のレンズ面から最も像側のレンズ面までの光軸上の距離、
である。
【請求項９】
絞りと、所定の負レンズ群と、を有し、
前記所定の負レンズ群は負の屈折力を有すると共に、前記絞りと隣り合うように配置され、
以下の条件式（７）を満足することを特徴とする請求項１から８のいずれか一項に記載の変倍光学系。
｜ＤsGno／φHs｜≦１      （７）
ここで、
ＤsGnoは、前記絞りから前記所定の負レンズ群における最も絞り側のレンズ面までの光軸上の距離、
φHsは、高倍端での前記絞りの直径、
である。
【請求項１０】
前記所定の負レンズ群は、１枚以上の正レンズと、１枚以上の負レンズと、を少なくとも有し、
前記正レンズに、前記負レンズよりも高分散の硝材を用いていることを特徴とする請求項９に記載の変倍光学系。
【請求項１１】
前記正レンズと前記負レンズとが接合されていることを特徴とする請求項１０に記載の変倍光学系。
【請求項１２】
請求項１から１１のいずれか一項に記載の変倍光学系と、撮像素子と、を有する撮像装置。
【請求項１３】
請求項１２に記載の撮像装置と、
観察対象となる物体を保持するステージと、
物体を照明する光源と、を備えたことを特徴とする撮像システム。
【請求項１４】
前記ステージを光軸方向に動かすことによってフォーカスすることを特徴とする請求項１３に記載の撮像システム。
【発明の詳細な説明】
【技術分野】
【０００１】
本発明は、変倍光学系及びそれを備えた撮像装置、撮像システムに関するものである。
【背景技術】
【０００２】
従来、ある程度の広さ（面積）を持つ標本を観察する場合、最初に、標本全体を観察して詳細に観察したい部位を特定し、その後、詳細に観察したい部位を拡大して観察する手法がとられている。標本全体を撮影することができると、撮影した画像の一部をデジタル的に拡大し、拡大した画像を表示することができる。なお、画像のデジタル的な拡大はデジタルズームと呼ばれる。【０００３】
一方、撮影した画像の一部を拡大する別の方法として、光学的なズームがある。光学的なズームができる光学系、すなわち、変倍光学系は複数のレンズ群で構成されている。変倍光学系では、複数のレンズ群のうちの一部のレンズ群を移動させることで、レンズ群の間隔を変化させ、これにより、結像倍率を変化させている。このような変倍光学系として、特許文献１に開示された顕微鏡ズーム対物レンズがある。
【先行技術文献】
【特許文献】
【０００４】
【特許文献１】特許４５７６４０２号公報
【発明の概要】
【発明が解決しようとする課題】
【０００５】
顕微鏡では、視野数は通常２２ｍｍ程度である。特許文献１に記載の顕微鏡ズーム対物レンズは、視野数２２ｍｍに相当する像高に対して収差が補正されている。しかしながら、この顕微鏡ズーム対物レンズは、光学系の全長が短いとはいえないため、光学系や顕微鏡が十分に小型化されているとはいえない。【０００６】
また、特許文献１に記載の顕微鏡ズーム対物レンズにおいて、視野数２２ｍｍに相当する像高を維持しながら光学系の全長を短縮しようとすると、収差補正が困難となるので、所望の分解能を達成することが困難となる。また、観察範囲（実視野）を広げるために、視野数２２ｍｍ以上の像高に対応できるようにしようとすると、光学系がさらに大型化し、かつ、軸上および軸外の収差補正がより困難になる。【０００７】
本発明は、上記に鑑みてなされたものであって、光学系の全長が短く、従来の顕微鏡と同等の観察範囲、あるいはそれ以上の観察範囲において、軸上収差と軸外収差が良好に補正された変倍光学系及びそれを備えた撮像装置、撮像システムを提供することを目的とする。
【課題を解決するための手段】
【０００８】
上述した課題を解決し、目的を達成するために、本発明の変倍光学系は、
低倍端から高倍端までの間で倍率が変化する光学系であって、
最も物体側に配置され、正の屈折力を有する第１レンズ群と、
第１レンズ群よりも像側に配置され、正の屈折力を有する第２レンズ群と、
２つのレンズ群、３つのレンズ群、または４つのレンズ群からなる後群と、からなり、
変倍時に、第１レンズ群と第２レンズ群との間隔、第２レンズ群と後群との間隔、および後群を構成するレンズ群同士の間隔が変化し、
第２レンズ群と後群の間に、絞りが配置され、
後群の物体側から２つめまでのレンズ群に、所定の正レンズ群が配置され、
所定の正レンズ群は正の屈折力を有すると共に、低倍端に比べて高倍端での絞りとの間隔が小さくなるレンズ群であり、
所定のレンズ群は、２枚以上の互いに隣接する正レンズと、１枚以上の負レンズと、を少なくとも有し、
以下の条件式（１）を満足することを特徴とする。
０＜１／βHG1＜１      （１）
ここで、
βHG1は、高倍端での第１レンズ群の結像倍率、
である。
【００１２】
また、本発明の撮像システムは、
上述の撮像装置と、
観察対象となる物体を保持するステージと、
物体を照明する光源と、を備えたことを特徴とする。
【発明の効果】
【００１３】
本発明によれば、光学系の全長が短く、従来の顕微鏡と同等の観察範囲、あるいはそれ以上の観察範囲において、軸上収差と軸外収差が良好に補正された変倍光学系及びそれを備えた撮像装置、撮像システムを提供することができる。
【図面の簡単な説明】
【００１４】
【図１】実施例１に係る変倍光学系の無限遠物点合焦時の光学構成を示す光軸に沿う断面図であり、（ａ）は低倍端、（ｂ）は高倍端での断面図である。
【図２】実施例１に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は高倍端での状態を示している。
【図３】実施例２に係る変倍光学系の無限遠物点合焦時の光学構成を示す光軸に沿う断面図であり、（ａ）は低倍端、（ｂ）は中間状態、（ｃ）は高倍端での断面図である。
【図４】実施例２に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図５】実施例３に係る変倍光学系の無限遠物点合焦時の光学構成を示す光軸に沿う断面図であり、（ａ）は低倍端、（ｂ）は中間状態、（ｃ）は高倍端での断面図である。
【図６】実施例３に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図７】実施例４に係る変倍光学系の無限遠物点合焦時の光学構成を示す光軸に沿う断面図であり、（ａ）は低倍端、（ｂ）は中間状態、（ｃ）は高倍端での断面図である。
【図８】実施例４に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図９】実施例５に係る変倍光学系の無限遠物点合焦時の光学構成を示す光軸に沿う断面図であり、（ａ）は低倍端、（ｂ）は中間状態、（ｃ）は高倍端での断面図である。
【図１０】実施例５に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図１１】実施例６に係る変倍光学系の無限遠物点合焦時の光学構成を示す光軸に沿う断面図であり、（ａ）は低倍端、（ｂ）は中間状態、（ｃ）は高倍端での断面図である。
【図１２】実施例６に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図１３】実施例７に係る変倍光学系の無限遠物点合焦時の光学構成を示す光軸に沿う断面図であり、（ａ）は低倍端、（ｂ）は中間状態、（ｃ）は高倍端での断面図である。
【図１４】実施例７に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図１５】実施例８に係る変倍光学系の無限遠物点合焦時の光学構成を示す光軸に沿う断面図であり、（ａ）は低倍端、（ｂ）は中間状態、（ｃ）は高倍端での断面図である。
【図１６】実施例８に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図１７】実施例９に係る変倍光学系の無限遠物点合焦時の光学構成を示す光軸に沿う断面図であり、（ａ）は低倍端、（ｂ）は中間状態、（ｃ）は高倍端での断面図である。
【図１８】実施例９に係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図１９】実施例１０に係る変倍光学系の無限遠物点合焦時の光学構成を示す光軸に沿う断面図であり、（ａ）は低倍端、（ｂ）は中間状態、（ｃ）は高倍端での断面図である。
【図２０】実施例１０係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図２１】実施例１１に係る変倍光学系の無限遠物点合焦時の光学構成を示す光軸に沿う断面図であり、（ａ）は低倍端、（ｂ）は中間状態、（ｃ）は高倍端での断面図である。
【図２２】実施例１１係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図２３】実施例１２に係る変倍光学系の無限遠物点合焦時の光学構成を示す光軸に沿う断面図であり、（ａ）は低倍端、（ｂ）は中間状態、（ｃ）は高倍端での断面図である。
【図２４】実施例１２係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図２５】実施例１３に係る変倍光学系の無限遠物点合焦時の光学構成を示す光軸に沿う断面図であり、（ａ）は低倍端、（ｂ）は中間状態、（ｃ）は高倍端での断面図である。
【図２６】実施例１３係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図２７】実施例１４に係る変倍光学系の無限遠物点合焦時の光学構成を示す光軸に沿う断面図であり、（ａ）は低倍端、（ｂ）は中間状態、（ｃ）は高倍端での断面図である。
【図２８】実施例１４係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図２９】実施例１５に係る変倍光学系の無限遠物点合焦時の光学構成を示す光軸に沿う断面図であり、（ａ）は低倍端、（ｂ）は中間状態、（ｃ）は高倍端での断面図である。
【図３０】実施例１５係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図３１】実施例１６に係る変倍光学系の無限遠物点合焦時の光学構成を示す光軸に沿う断面図であり、（ａ）は低倍端、（ｂ）は中間状態、（ｃ）は高倍端での断面図である。
【図３２】実施例１６係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図３３】実施例１７に係る変倍光学系の無限遠物点合焦時の光学構成を示す光軸に沿う断面図であり、（ａ）は低倍端、（ｂ）は中間状態、（ｃ）は高倍端での断面図である。
【図３４】実施例１７係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図３５】実施例１８に係る変倍光学系の無限遠物点合焦時の光学構成を示す光軸に沿う断面図であり、（ａ）は低倍端、（ｂ）は中間状態、（ｃ）は高倍端での断面図である。
【図３６】実施例１８係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図３７】実施例１９に係る変倍光学系の無限遠物点合焦時の光学構成を示す光軸に沿う断面図であり、（ａ）は低倍端、（ｂ）は中間状態、（ｃ）は高倍端での断面図である。
【図３８】実施例１９係る変倍光学系の無限遠物点合焦時における球面収差（ＳＡ）、非点収差（ＡＳ）、歪曲収差（ＤＴ）、倍率色収差（ＣＣ）を示す図であり、（ａ）〜（ｄ）は低倍端、（ｅ）〜（ｈ）は中間状態、（ｉ）〜（ｌ）は高倍端での状態を示している。
【図３９】撮像装置及び撮像システムの構成を示す図である。
【図４０】他の撮像装置及び撮像システムの構成を示す図である。
【図４１】他の撮像装置及び撮像システムの構成を示す図である。
【図４２】他の撮像装置及び撮像システムの構成を示す図であって、（ａ）は顕微鏡の全体構成を示す図、（ｂ）は顕微鏡を固定した状態を示す図である。
【発明を実施するための形態】
【００１５】
実施例の説明に先立ち、本発明のある態様に係る実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１６】
また、以下の説明では、「標本」を、適宜「物体」とし、「標本像」を、適宜「像」とする。
【００１７】
また、本実施形態の変倍光学系を用いた撮像装置では、撮影で得た画像をデジタルズームして拡大表示することができる。そのため、これらの実施形態の変倍光学系は、諸収差が良好に補正されているので高い分解能を有すると共に、広い観察範囲の像を形成することができる。これらの実施形態の変倍光学系では、特に、軸上と軸外の色収差が良好に補正されているので、画素ピッチの小さい撮像素子と組み合わせることで、撮影した画像をデジタルズームして拡大した場合であっても、高い解像度の拡大画像が得られる。
【００１８】
また、以下の説明において、低倍端は変倍範囲のうちで最小の倍率、高倍端は変倍範囲のうちで最大の倍率である。また、低倍時は低倍端とその近傍の範囲、高倍時は高倍端とその近傍の範囲である。
【００１９】
また、顕微鏡では、対物レンズと結像レンズによって光学像が形成され、その光学像を接眼レンズで観察する。この場合、結像が２回行われることから、対物レンズと結像レンズによって形成された光学像が一次像になり、一次像の位置における仮想面が一次結像面になる。本実施形態の変倍光学系の像面に形成された光学像は、顕微鏡の光学系における一次像に該当する。よって、以下の説明における像面は、顕微鏡の光学系における一次結像面に該当する。
【００２０】
本実施形態の変倍光学系の説明に先立って、本実施形態の変倍光学系が有する基本構成について説明する。
【００２１】
基本構成では、変倍光学系は、低倍端から高倍端までの間で倍率が変化する光学系であって、最も物体側に配置され、正の屈折力を有する第１レンズ群と、第１レンズ群よりも像側に配置された第２レンズ群と、を少なくとも有する。
【００２２】
本実施形態の変倍光学系は、低倍端から高倍端までの間で倍率が変化する光学系である。すなわち、本実施形態の変倍光学系では、光学系の結像倍率（以下、適宜、倍率とする）を、低倍と高倍との間で変化させることができる。低倍端では倍率が最も小さいため、高倍端に比べて広い観察範囲を得ることができる。一方、高倍端では倍率が最も大きいため、低倍端に比べて観察範囲は狭くなるが、高い分解能を得ることができる。なお、倍率の変化、すなわち変倍には、共役長（物体から像までの距離）が一定の状態で行われる変倍と、共役長が変化する状態で行われる変倍とが含まれる。
【００２３】
そして、変倍光学系は、最も物体側に配置され、正の屈折力を有する第１レンズ群と、第１レンズ群よりも像側に配置された第２レンズ群と、を少なくとも有する。
【００２４】
光学系の物体側の開口数（以下、単に「開口数」という）を大きくすると、より大きな発散角（回折角）の光を、物体から光学系に入射させることができる。その結果、物体の微細構造を、より細かく観察することができる。しかしながら、発散角が大きい光は、第１レンズ群における光線高が高い。このような光線を第１レンズ群で急激に曲げると、第１レンズ群において高次収差が発生しやすくなる。
【００２５】
本実施形態の変倍光学系では、第１レンズ群が正の屈折力を持つことで、発散角が大きい光線を、物体に近い領域、すなわち、第１レンズ群で徐々に曲げるようにしている。このようにすることで、小型化な光学系でありながら、特に高倍時において、微細な構造の光学像を高い解像度で形成することが可能となる。
【００２６】
なお、第１レンズ群で発散光束を収束光束にしても良いが、必ずしも発散光束を収斂光束にする必要はない。このようにすることで、高次収差が大きく発生することを抑えつつ、物体からの光束を発散角の小さい光束にできる。
【００２７】
また、変倍光学系の像面に撮像素子を配置することで、撮像装置の小型化が可能となる。ここで、撮像装置としては、例えば、顕微鏡がある。顕微鏡では、視野数は通常２２ｍｍ程度である。視野数２２ｍｍは、変倍光学系の像高に換算すると１１ｍｍ程度になる。
【００２８】
そこで、本実施形態の変倍光学系を顕微鏡の光学系に用いる場合、視野数２２ｍｍに相当する観察範囲を得るためには、変倍光学系は像高１１ｍｍ程度まで収差が良好に補正されていれば良い。
【００２９】
デジタル顕微鏡では、撮像した物体像の画像をモニタ上で観察する。このデジタル顕微鏡においては、像高に対して撮像素子の画素ピッチが十分に小さければ、像高が小さくても、視野数２２ｍｍに相当する観察範囲が得られる。また、像高を１１ｍｍ（視野数２２ｍｍ相当）よりも大きくしなくても、より大きな視野数に相当する観察範囲が得られる。
【００３０】
そこで、より高い分解能を変倍光学系が有することで、画素ピッチが小さく、画素数が多い撮像素子（以下、適宜、所定の撮像素子とする）との組み合わが可能になる。その結果、像高を大きくしなくても、従来の顕微鏡と比べてより大きな視野数に相当する観察範囲を得ることができる。
【００３１】
第１実施形態の変倍光学系は、低倍端から高倍端までの間で倍率が変化する光学系であって、最も物体側に配置され、正の屈折力を有する第１レンズ群と、第１レンズ群よりも像側に配置され、正の屈折力を有する第２レンズ群と、を少なくとも有し、変倍時に、第１レンズ群と第２レンズ群との間隔が変化し、以下の条件式（１）を満足することを特徴とする。
０＜１／βHG1＜１      （１）
ここで、
βHG1は、高倍端での第１レンズ群の結像倍率、
である。
【００３２】
第１実施形態の変倍光学系は、上述の基本構成を備え、更に、第２レンズ群に正の屈折力を持たせると共に、第１レンズ群と第２レンズ群との間隔を変化させて変倍を行っている。なお、第１実施形態の変倍光学系では、共役長が一定の状態で変倍が行われる。
【００３３】
基本構成の技術的意義については既に説明しているので、説明は省略する。
【００３４】
第２レンズ群に正の屈折力を持たせることにより、第１レンズ群の屈折力を大きくしすぎることなく、高倍時に第１レンズ群と第２レンズ群との合成屈折力を十分に大きくすることが可能となる。この場合、高倍時に物体に近い領域で従属光線の発散を抑えることが可能となるので、光学系の小型化ができる。しかも、第１レンズ群に過剰な屈折力を持たせる必要がなくなるため、比較的少ないレンズ枚数で第１レンズ群内での諸収差、特に、球面収差や像面湾曲を良好に補正することができる。
【００３５】
また、第２レンズ群よりも像側にレンズ群を配置した場合、像側に配置したレンズ群での諸収差の発生、特に、球面収差やコマ収差などの発生を抑えることができる。
【００３６】
そして、本実施形態の変倍光学系は、条件式（１）を満足する。
【００３７】
条件式（１）を満足することによって、第２レンズ群よりも像側にレンズ群を配置したとしても、第２レンズ群以降のレンズ群の合成倍率の絶対値が大きくなりすぎることなく、光学系全体での結像倍率を高めることができる。そのため、第１レンズ群で収差が発生しても、第２レンズ群以降のレンズ群での収差の拡大を抑えることができる。その結果、光学系全体での諸収差、特に、球面収差や像面湾曲を良好に補正することが可能となる。
【００３８】
このように、本実施形態の変倍光学系では、諸収差が良好に補正されている。そのため、本実施形態の変倍光学系を所定の撮像素子と組み合わせることで、観察範囲を大きく保ちながら、撮像装置をより小型化することが可能となる。
【００３９】
ここで、条件式（１）に代えて、以下の条件式（１’）を満足することが好ましい。
０．１＜１／βHG1＜０．９      （１’）
また、条件式（１）に代えて、以下の条件式（１’’）を満足することがより好ましい。
０．２＜１／βHG1＜０．８５      （１’’）
また、条件式（１）に代えて、以下の条件式（１’’’）を満足することがより好ましい。
０．３＜１／βHG1＜０．８      （１’’’）
【００４０】
なお、本実施形態の変倍光学系は、以下の条件式（２）を満足することが好ましい。
０＜ＢＦL／Ｙ≦４．３      （２）
ここで、
ＢＦLは、低倍端でのバックフォーカス、
Ｙは、変倍光学系全系における最大像高、
である。
【００４１】
像面に近い領域では、軸外光束の光線高が高く、光束径が小さくなる。また、この領域では、変倍による軸外光束の光線高の変動や光束径の変動が小さい。そのため、この領域にレンズを配置することができれば、特に倍率色収差や像面湾曲などの軸外収差を良好に補正することが可能となる。
【００４２】
条件式（２）の下限値を下回らないようにすることで、バックフォーカスが小さくなりすぎない。そのため、像面に近い領域にレンズを配置する場合に、レンズと撮像素子の間隔を広くすることができる。その結果、レンズと撮像素子との多重反射によってゴーストが発生しても、ゴーストが高密度で撮像素子面に入射することを防ぐことが可能となる。
【００４３】
条件式（２）の上限値を上回らないようにすることで、バックフォーカスが大きくなりすぎない。この場合、バックフォーカスを小さく抑えることができるので、変倍時に移動するレンズ群の移動スペースを十分に確保しながら、光学系を小型化することが可能となる。
【００４４】
また、画素ピッチに対して像高を大きくすることで、より大きな視野数に相当する広い観察範囲を得ることができるが、この場合、特に、低倍時において軸外収差を良好に補正することが重要になる。条件式（２）の上限値を上回らないようにすることで、バックフォーカスを小さく抑えることができるので、像面に近い領域にレンズを配置することができる。これにより、軸外収差を良好に補正することが可能となる。よって良好な結像性能を保ちながら、より大きな視野数に相当する広い観察範囲を得ることができる。
【００４５】
ここで、条件式（２）に代えて、以下の条件式（２’）を満足することが好ましい。
０．１＜ＢＦL／Ｙ≦４      （２’）
また、条件式（２）に代えて、以下の条件式（２’’）を満足することがより好ましい。
０．２＜ＢＦL／Ｙ≦３      （２’’）
また、条件式（２）に代えて、以下の条件式（２’’’）を満足することがより好ましい。
０．３＜ＢＦL／Ｙ≦２      （２’’’）
【００４６】
また、本実施形態の変倍光学系では、第２レンズ群よりも像側に、絞りが配置され、絞りよりも像側に、所定の正レンズ群が配置され、所定の正レンズ群は正の屈折力を有すると共に、低倍端に比べて高倍端での絞りとの間隔が小さくなるレンズ群であることが好ましい。
【００４７】
本実施形態の変倍光学系では、第１レンズ群や第２レンズ群よりも像側に絞りが配置され、絞りよりも像側に所定の正レンズ群が配置されている。このようにすることで、絞りよりも像側に、正の屈折力を有するレンズ群が配置されることになる。これにより、特に、低倍時において、絞りを通過した軸外光束を収斂させながら、その光線高が高くなりすぎないように抑えることが可能になる。そのため、光学系の細径化が可能になり、また、軸外収差を良好に補正することが可能となる。
【００４８】
特に、光学系の全長を短縮すると、軸外光束が絞りから射出するとき、その射出角が低倍時で大きくなる。そのため、上述の構成を備えることで、光学系の細径化と軸外収差の良好な補正効果が、光学系の全長を短縮した場合に顕著となる。
【００４９】
また、絞りよりも像側に所定の正レンズ群を配置することによって、高倍時には、絞りと正の屈折力を有するレンズ群との間隔が小さくなる。これにより、光学系の主面を物体側に位置させることができ、また、絞りを通過した軸外光束を収斂させながら、その光線高が高くなりすぎないように抑える、という前述の働きを小さくすることができるため、所望の結像倍率を得ることができる。
【００５０】
なお、絞りと所定の正レンズ群との間に、正の屈折力を有するレンズ群、又は負の屈折力を有するレンズ群を配置させてもよい。
【００５１】
また、本実施形態の変倍光学系では、所定の正レンズ群は、２枚以上の正レンズと、１枚以上の負レンズと、を少なくとも有することが好ましい。
【００５２】
所定の正レンズ群が正レンズを２枚以上有することで、所定の正レンズ群の正の屈折力をこれらの正レンズに分担させることができる。これにより、軸外光束を段階的に屈折させることが可能になるため、コマ収差の発生を抑制することが可能となる。また、所定の正レンズ群が負レンズを１枚以上有することで、所定の正レンズ群内での軸上色収差及び倍率色収差を良好に補正することができる。
【００５３】
このように、本実施形態の変倍光学系では、諸収差が良好に補正されている。そのため、本実施形態の変倍光学系を所定の撮像素子と組み合わせることで、観察範囲を大きく保ちながら、撮像装置をより小型化することが可能となる。
【００５４】
なお、正レンズと負レンズは、接合されていてもよい。
【００５５】
また、本実施形態の変倍光学系では、絞りよりも像側に、所定の正レンズ群が複数配置され、第１の所定の正レンズ群は、複数の所定の正レンズ群のうちで、最も物体側に配置され、以下の条件式（３）を満足することが好ましい。
０＜ΔGpmax／ΔGpobj≦０．６      （３）
ここで、
ΔGpmaxは、所定の正レンズ群のうち何れか２つの所定の正レンズ群の光軸上の間隔の変化量のうち、最大となる変化量、
ΔGpobjは、第１の所定の正レンズ群の光軸上の移動量のうち、最大となる移動量、
である。
ここで、ΔGpmaxは、所定の正レンズ群が３つ以上のレンズ群から構成される場合、当該３つ以上のレンズ群から２つのレンズ群を選択する全ての組み合わせの中で、正レンズ群の光軸上の間隔の変化量のうち、最大となる変化量である。
【００５６】
所定の正レンズ群を複数配置し、変倍時に、２つの所定の正レンズ群の間隔を変化させることにより、変倍を行っても像面が変動しないようにすることが可能となる。
【００５７】
条件式（３）の上限値を上回らないようにすることで、２つの所定の正レンズ群の間隔の変化量が大きくなりすぎない。この場合、所定の正レンズ群が一つの場合の機能を、複数の所定の正レンズ群全体で発揮することが可能となる。よって、所定の正レンズ群が複数配置された場合においても、諸収差、特に、低倍時の軸外収差を良好に補正することができる。
【００５８】
なお、レンズ群の移動量は、レンズ群と像面との間の距離の変化量であって、レンズ群と像面との間の距離は像面を基準として算出する。例えば、レンズ群と像面との間の距離が低倍端でＤL、高倍端でＤHの場合、レンズ群の移動量は｜ＤH−ＤL｜になる。
【００５９】
ここで、条件式（３）に代えて、以下の条件式（３’）を満足することが好ましい。
０．０１＜ΔGpmax／ΔGpobj≦０．５      （３’）
また、条件式（３）に代えて、以下の条件式（３’’）を満足することがより好ましい。
０．０２＜ΔGpmax／ΔGpobj≦０．４      （３’’）
また、条件式（３）に代えて、以下の条件式（３’’’）を満足することがより好ましい。
０．０３＜ΔGpmax／ΔGpobj≦０．３５      （３’’’）
【００６０】
また、本実施形態の変倍光学系は、以下の条件式（４）を満足することが好ましい。
０．１≦ｆG1／ｆG2≦５      （４）
ここで、
ｆG1は、第１レンズ群の焦点距離、
ｆG2は、第２レンズ群の焦点距離、
である。
【００６１】
条件式（４）の下限値を下回らないようにすることで、第１レンズ群の焦点距離が小さくなりすぎない。その結果、比較的少ないレンズ枚数で、第１レンズ群内での諸収差、特に、球面収差や像面湾曲を良好に補正することができる。
【００６２】
条件式（４）の上限値を上回らないようにすることで、第１レンズ群の焦点距離が大きくなりすぎない。その結果、第１レンズ群から射出する軸上光束や軸外光束の発散を抑えることができる。また、特に、第２レンズ群に入射する光束径が、高倍時に大きくなりすぎないように抑えることができる。このようなことから、諸収差、特に、低倍時の球面収差やコマ収差を良好に補正することができる。
【００６３】
ここで、条件式（４）に代えて、以下の条件式（４’）を満足することが好ましい。
０．２≦ｆG1／ｆG2≦４      （４’）
また、条件式（４）に代えて、以下の条件式（４’’）を満足することがより好ましい。
０．３≦ｆG1／ｆG2≦３      （４’’）
また、条件式（４）に代えて、以下の条件式（４’’’）を満足することがより好ましい。
０．４≦ｆG1／ｆG2≦２      （４’’’）
【００６４】
また、本実施形態の変倍光学系では、低倍端から高倍端への変倍時に、絞りが像側から物体側に移動することが好ましい。
【００６５】
変倍時に絞りが移動することによって、光学系の全長に対するレンズ群の移動スペースが大きくなる。そのため、所望の倍率を確保しながら、光学系の全長を短縮することが可能となる。
【００６６】
また、絞りより物体側にあるレンズ群と絞りより像側にあるレンズ群の各々で、倍率色収差が発生する。ここで、本実施形態の変倍光学系では、変倍によらず、各々のレンズ群で発生する倍率色収差のバランスをとることができる。そのため、低倍時と高倍時の両方で、光学系全体の倍率色収差を良好に補正することができる。
【００６７】
また、本実施形態の変倍光学系は、以下の条件式（５）を満足することが好ましい。
０．２≦ｆG1／ｆLGp≦１０      （５）
ここで、
ｆG1は、第１レンズ群の焦点距離、
ｆLGpは、低倍端での所定の正レンズ群の焦点距離、
である。
【００６８】
条件式（５）の下限値を下回らないようにすることで、所定の正レンズ群の焦点距離が大きくなりすぎない。その結果、低倍時において、絞りを通過した軸外光束を収斂させながら、その光線高が高くなりすぎないように抑えることが可能になる。そのため、光学系の全長の短縮と細径化の両立が可能になり、また、軸外収差、特に、コマ収差を良好に補正することが可能となる。
【００６９】
条件式（５）の上限値を上回らないようにすることで、所定の正レンズ群の焦点距離が小さくなりすぎない。その結果、所定の正レンズ群内で像面湾曲や倍率色収差などが発生しても、その発生量が大きくなりすぎないように抑えることが可能となる。そのため、特に、低倍時での軸外収差を良好に補正することが可能となる。
【００７０】
なお、所定の正レンズ群が１つの場合、ｆLGpは、１つの所定の正レンズ群の焦点距離である。
【００７１】
また、所定の正レンズ群が複数の場合、最も絞り側に位置する所定の正レンズ群から最も像側に位置する所定の正レンズ群までを１つのレンズ群とみなす。そして、この１つのレンズ群を、所定の正レンズ群とみなす。よって、所定の正レンズ群が複数の場合、ｆLGpは、この１つのレンズ群の焦点距離である。例えば、絞りの像側に、物体側から像側に順に、第１の所定の正レンズ群と、負レンズ群と、第２の所定の正レンズ群と、が配置されている場合、ｆLGpは、当該第１の所定の正レンズ群と、当該負レンズ群と、当該第２の所定の正レンズ群との合成の焦点距離である。
【００７２】
ここで、条件式（５）に代えて、以下の条件式（５’）を満足することが好ましい。
０．３≦ｆG1／ｆLGp≦８      （５’）
また、条件式（５）に代えて、以下の条件式（５’’）を満足することがより好ましい。
０．３５≦ｆG1／ｆLGp≦４      （５’’）
また、条件式（５）に代えて、以下の条件式（５’’’）を満足することがより好ましい。
０．４≦ｆG1／ｆLGp≦２      （５’’’）
【００７３】
また、本実施形態の変倍光学系では、所定の正レンズを１つ以上有し、所定の正レンズに、高分散の硝材が用いられていることが好ましい。
【００７４】
Ｃ線とｄ線との間で軸上色収差と倍率色収差を補正すると、ｇ線の色収差が補正過剰になることがある。ここで、一般的に、高分散の硝材は部分分散比θgfの値が高い。そこで、高分散の硝材を正レンズに用いることで、補正過剰になってしまうｇ線の色収差を良好に補正することができる。
【００７５】
なお、ここでの高分散の硝材とは、アッベ数が３０以下の硝材を指す。
【００７６】
また、本実施形態の変倍光学系は、以下の条件式（６）を満足することが好ましい。
−１≦ＤHGpop／ＤHGpoi≦０．６５      （６）
ここで、
ＤHGpopは、高倍端での所定の正レンズ群における最も物体側のレンズ面から物体側主面までの光軸上の距離、
ＤHGpoiは、高倍端での所定の正レンズ群における最も物体側のレンズ面から最も像側のレンズ面までの光軸上の距離、
である。
【００７７】
ここで、物体側主面が、所定の正レンズ群における最も物体側のレンズ面よりも像側に位置している場合、ＤHGpopの値は正の値となり、物体側に位置している場合、ＤHGpopの値は負の値となる。
【００７８】
条件式（６）の下限値を下回らないようにすることで、軸上光線の光線高が高い絞り近傍において、所定の正レンズ群の物体側レンズ面の正の屈折力が大きくなりすぎないようにすることが可能となる。そのため、特に球面収差を良好に補正することが可能となる。
【００７９】
条件式（６）の上限値を上回らないようにすることで、所定の正レンズ群の構成をテレフォトの構成にして、所定の正レンズ群の主点を物体側に位置させることが可能となる。このようにすると、高倍時に、絞り近傍に所定の正レンズ群が位置することになる。すなわち、絞りの近傍に強い正の屈折力を持たせることになるので、軸上光束と軸外光束の発散を抑えられる。そのため、コマ収差の発生を抑えながら、像面湾曲を十分に補正することが可能となる。その結果、観察範囲を大きくしながら光学系を小型化し、またコマ収差や像面湾曲などの収差を良好に補正することが可能となる。
【００８０】
なお、所定の正レンズ群よりも像側のレンズ群に、負の屈折作用を持たせても良い。このようにすることで、光学系の全長を短くしながら、所望の倍率を確保することができる。
【００８１】
また、所定の正レンズ群が１つの場合、ＤHGpoiは、１つの所定の正レンズ群における最も物体側のレンズ面から最も像側のレンズ面までの光軸上の距離である。また、所定の正レンズ群が複数の場合、ＤHGpoiは、最も物体側に位置する所定の正レンズ群における最も物体側のレンズ面から、最も像側に位置する所定の正レンズ群における最も像側のレンズ面までの光軸上の距離である。
【００８２】
ここで、条件式（６）に代えて、以下の条件式（６’）を満足することが好ましい。
−０．７≦ＤHGpop／ＤHGpoi≦０．５５      （６’）
また、条件式（６）に代えて、以下の条件式（６’’）を満足することがより好ましい。
−０．３≦ＤHGpop／ＤHGpoi≦０．５      （６’’）
また、条件式（６）に代えて、以下の条件式（６’’’）を満足することがより好ましい。
０≦ＤHGpop／ＤHGpoi≦０．３      （６’’’）
【００８３】
また、本実施形態の変倍光学系では、絞りと、所定の負レンズ群と、を有し、所定の負レンズ群は負の屈折力を有すると共に、絞りと隣り合うように配置され、以下の条件式（７）を満足することが好ましい。
｜ＤsGno／φHs｜≦１      （７）
ここで、
ＤsGnoは、絞りから所定の負レンズ群における最も絞り側のレンズ面までの光軸上の距離、
φHsは、高倍端での絞りの直径、
である。
【００８４】
本実施形態の変倍光学系では、所定の負レンズ群が絞りと隣り合うように配置されている。ここで、絞りとレンズ群とが隣り合うとは、絞りとレンズ群との間にレンズ群が配置されていないことを意味する。そして、条件式（７）を満足することで、絞りの近傍に、負の屈折力を有するレンズ群を配置することができる。これにより、特に、高倍時の軸上色収差を良好に補正しつつ、変倍による倍率色収差の変動を抑えることができる。そのため、変倍時に絞りを固定、又はその移動量を極力小さくしても、変倍による倍率色収差の変動を抑えながら、軸上色収差を良好に補正することが可能となる。
【００８５】
なお、ＤsGnosは、変倍に際してその値が変化する場合は、低倍端から高倍端までの間で最大となるときの距離である。
【００８６】
ここで、条件式（７）に代えて、以下の条件式（７’）を満足することが好ましい。
｜ＤsGno／φHs｜≦０．６      （７’）
また、条件式（７）に代えて、以下の条件式（７’’）を満足することがより好ましい。
｜ＤsGno／φHs｜≦０．４      （７’’）
また、条件式（７）に代えて、以下の条件式（７’’’）を満足することがより好ましい。
｜ＤsGno／φHs｜≦０．３      （７’’’）
【００８７】
また、本実施形態の変倍光学系では、所定の負レンズ群は、１枚以上の正レンズと、１枚以上の負レンズと、を少なくとも有し、正レンズに、負レンズよりも高分散の硝材を用いていることが好ましい。
【００８８】
高分散の硝材を用いた正レンズを、所定の負レンズ群内に配置することで、色収差の補正作用が過剰になることを防ぐことができる。そのため、特に、高倍時の軸上色収差を良好に補正することが可能となる。
【００８９】
また、Ｃ線とｄ線との間で軸上色収差と倍率色収差を補正すると、ｇ線の色収差が補正過剰になることがある。ここで、一般的に、高分散の硝材は部分分散比θgfの値が高い。そこで、部分分散比θgfの値が大きい硝材を正レンズとして用いることで、補正過剰になってしまうｇ線の色収差を良好に補正することができる。
【００９０】
また、本実施形態の変倍光学系では、正レンズと負レンズとが接合されていることが好ましい。
【００９１】
所定の負レンズ群は、絞りと隣り合うように配置されている。ここで、絞りの近傍では、光線高が高くなる。そこで、絞り近傍に配置された所定の負レンズ群を、正レンズと負レンズとで構成する。正レンズと負レンズの一対は色収差補正作用が大きいので、レンズ対を接合することにより、色コマ収差の発生を抑えることができる。
【００９２】
第２実施形態の変倍光学系は、低倍端から高倍端までの間で倍率が変化する光学系であって、最も物体側に配置され、正の屈折力を有する第１レンズ群と、第１レンズ群よりも像側に配置され、負の屈折力を有する第２のレンズ群と、を少なくとも有し、第２レンズ群よりも物体側に配置された絞りを有し、変倍時に、第２レンズ群は移動して、第１レンズ群と第２レンズ群との間隔が変化し、第２レンズ群よりも像側に、第３レンズ群が配置され、以下の条件式（８）を満足することを特徴とする。
０．１５≦ΔG2max／ＤHIGi≦２      （８）
ここで、
ΔG2maxは、第２レンズ群の光軸上の移動量のうち、最大となる移動量、
ＤHIGiは、高倍端での第３レンズ群の最も物体側のレンズ面から像面までの光軸上の距離、
である。
【００９３】
第２実施形態の変倍光学系は、上述の基本構成を備え、更に、第２レンズ群に負の屈折力を持たせると共に、第２レンズ群を移動させることで、第１レンズ群と第２レンズ群と間隔を変化させ、これにより変倍を行っている。加えて、絞りを第２レンズ群よりも物体側に配置すると共に、第２レンズ群よりも像側に、第３レンズ群を配置し、なお、第２実施形態の変倍光学系では、共役長が一定の状態で変倍が行われる。
【００９４】
基本構成の技術的意義については既に説明しているので、説明は省略する。
【００９５】
第２レンズ群が負の屈折力を持つことにより、絞りよりも物体側でレンズ径を小さくすることが可能になる。
【００９６】
また、絞りを第２レンズ群よりも物体側に配置することにより、変倍時に絞りを固定、又はその移動量を極力小さくしても、変倍による入射瞳位置の変動を抑えることが可能となる。その結果、変倍によらず、テレセントリック性を適切に確保することができる。
【００９７】
また、第２レンズ群よりも像側に、第３レンズ群が配置されている。
【００９８】
また、このような光学系にすることにより、観察範囲を大きく保ちながら、装置を小型化することが可能となる。
【００９９】
なお、絞りは第１レンズ群の内部に配置しても良く、第１レンズ群と第２レンズ群との間に配置しても良い。
【０１００】
そして、本実施形態の変倍光学系は、条件式（８）を満足する。
【０１０１】
条件式（８）の下限値を下回らないようにすることで、変倍作用を主に負担している第２レンズ群の移動量を十分に確保しながら、光学系の全長を短縮することが可能となる。また、第１レンズ群と第２レンズ群の各々で、屈折力の絶対値を大きくしすぎることなく、所望の変倍比を確保することができる。そのため、第１レンズ群と第２レンズ群の各々で、諸収差、特に、像面湾曲を良好に補正することができる。その結果、光学系全体の収差をバランスよく補正でき、また、各々の収差も良好に補正することができる。
【０１０２】
条件式（８）の上限値を上回らないようにすることで、高倍時に第３レンズ群の物体側レンズから像面までの距離が短くなりすぎない。そのため、高倍時に、第３レンズ群のレンズ構成が極端にテレフォト構成になることなく、所望の倍率が得られる。その結果、第３レンズ群での諸収差、特に、球面収差やコマ収差を良好に補正することができる。
【０１０３】
このように、本実施形態の変倍光学系では、諸収差が良好に補正されている。そのため、本実施形態の変倍光学系を所定の撮像素子と組み合わせることで、観察範囲を大きく保ちながら、撮像装置をより小型化することが可能となる。
【０１０４】
ここで、条件式（８）に代えて、以下の条件式（８’）を満足することが好ましい。
０．２≦ΔG2max／ＤHIGi≦１．７      （８’）
また、条件式（８）に代えて、以下の条件式（８’’）を満足することがより好ましい。
０．３≦ΔG2max／ＤHIGi≦１．５      （８’’）
また、条件式（８）に代えて、以下の条件式（８’’’）を満足することがより好ましい。
０．３５≦ΔG2max／ＤHIGi≦１      （８’’’）
【０１０５】
なお、本実施形態の変倍光学系は、以下の条件式（２）を満足することが好ましい。
０＜ＢＦL／Ｙ≦４．３      （２）
ここで、
ＢＦLは、低倍端でのバックフォーカス、
Ｙは、変倍光学系全系における最大像高、
である。
【０１０６】
条件式（２）の技術的意義は既に説明したので、説明は省略する。
【０１０７】
また、本実施形態の変倍光学系では、所定の正レンズを１つ以上有し、所定の正レンズに高分散の硝材を用いていることが好ましい。
【０１０８】
Ｃ線とｄ線との間で軸上色収差と倍率色収差を補正すると、ｇ線の色収差が補正過剰になることがある。ここで、一般的に、高分散の硝材は部分分散比θgfの値が高い。そこで、高分散の硝材を正レンズに用いることで、補正過剰になってしまうｇ線の色収差を良好に補正することができる。
【０１０９】
なお、ここでの高分散の硝材とは、アッベ数が３０以下の硝材を指す。
【０１１０】
また、本実施形態の変倍光学系は、以下の条件式（４−１）を満足することが好ましい。
−２．５≦ｆG1／ｆG2≦−０．２      （４−１）
ここで、
ｆG1は、第１レンズ群の焦点距離、
ｆG2は、第２レンズ群の焦点距離、
である。
【０１１１】
条件式（４−１）の下限値を下回らないようにすることで、第２レンズ群の焦点距離が小さくなりすぎない。この場合、第２レンズ群での軸上光束の発散と軸外光束の発散が強くなりすぎないように抑制することができる。そのため、諸収差、低倍時では主にコマ収差を、高倍時では主に球面収差を良好に補正することができる。
【０１１２】
条件式（４−１）の上限値を上回らないようにすることで、第２レンズ群の焦点距離が大きくなりすぎない。この場合、第１レンズ群と第２レンズ群との間隔の変化によって、変倍作用の大部分を生じさせることが可能になる。しかも、両者の間隔の変化量を大きくしすぎることなく、所望の変倍比を得ることが可能となる。そのため、光学系の全長の短縮が可能となる。また、第２レンズ群の負の屈折力が小さくなりすぎないために、特に、高倍時での像面湾曲を十分に補正することが可能となる。
【０１１３】
ここで、条件式（４−１）に代えて、以下の条件式（４−１’）を満足することが好ましい。
−２．４≦ｆG1／ｆG2≦−０．２５      （４−１’）
また、条件式（４−１）に代えて、以下の条件式（４−１’’）を満足することがより好ましい。
−２．２≦ｆG1／ｆG2≦−０．３      （４−１’’）
また、条件式（４−１）に代えて、以下の条件式（４−１’’’）を満足することがより好ましい。
−２≦ｆG1／ｆG2≦−０．３５      （４−１’’’）
【０１１４】
また、本実施形態の変倍光学系では、第３レンズ群は正の屈折力を有すると共に、第２レンズ群よりも像側に、第２レンズ群に隣り合うように配置され、変倍時、第２レンズ群と第３レンズ群との間隔が変化し、以下の条件式（９）を満足することが好ましい。
−７．５≦ｆG3／ｆG2≦−１      （９）
ここで、
ｆG2は、第２レンズ群の焦点距離、
ｆG3は、第３レンズ群の焦点距離、
である。
【０１１５】
第２レンズ群よりも像側に正の屈折力を有する第３レンズ群を配置している。
【０１１６】
条件式（９）の下限値を上回らないようにすることで、第３レンズ群の焦点距離が大きくなりすぎない。そのため、特に、低倍時において、第２レンズ群で発散した軸外光束を第３レンズ群で収斂させながら、その光線高が高くなりすぎないように抑えることが可能になる。そのため、光学系の細径化が可能になり、また、軸外収差を良好に補正することが可能となる。
【０１１７】
条件式の（９）上限値を上回らないようにすることで、第３レンズ群の焦点距離が短くなりすぎない。そのため、第３レンズ群内で発生する諸収差、特に、コマ収差や倍率色収差の発生を抑えることが可能となる。その結果、光学系全体の諸収差、特に、低倍時の軸外収差を良好に補正することが可能となる。
【０１１８】
ここで、条件式（９）に代えて、以下の条件式（９’）を満足することが好ましい。
−７≦ｆG3／ｆG2≦−１．３      （９’）
また、条件式（９）に代えて、以下の条件式（９’’）を満足することがより好ましい。
−６≦ｆG3／ｆG2≦−１．７      （９’’）
また、条件式（９）に代えて、以下の条件式（９’’’）を満足することがより好ましい。
−５≦ｆG3／ｆG2≦−２      （９’’’）
【０１１９】
また、本実施形態の変倍光学系では、第２レンズ群よりも像側に、正の屈折力を有する第３レンズ群が配置され、第３レンズ群よりも像側に、１つ以上のレンズ群を有し、以下の条件式（１０）を満足することが好ましい。
０．０７≦ｆHG1G3／ｆHGI≦１      （１０）
ここで、
ｆHG1G3は、高倍端での第１レンズ群と、第２レンズ群と、第３レンズ群との合成焦点距離、
ｆHGIは、高倍端での第３レンズ群よりも像側に位置するレンズ群の合成焦点距離、
である。
【０１２０】
条件式（１０）の下限値を下回らないようにすることで、第３レンズ群よりも像側に位置するレンズ群の焦点距離が大きくなりすぎない。この場合、第３レンズ群よりも像側に位置するレンズ群の倍率を大きくしすぎることなく、高倍時に所望の倍率を得ることができる。そのため、第１レンズ群から第３レンズ群までで発生した収差が、像面では縮小されることになる。その結果、諸収差、主に、高倍時の球面収差や軸上色収差を良好に補正することが可能となる。
【０１２１】
条件式（１０）の上限値を上回らないようにすることで、第１レンズ群から第３レンズ群までのレンズ群の合成焦点距離が小さくなりすぎない。この場合、高倍時、大きな開口数で物体から射出した軸外光束の発散を抑えた状態で、第３レンズ群よりも像側に位置するレンズ群へこの軸外光束を入射させることが可能となる。そのため、第３レンズ群よりも像側に位置するレンズ群でのコマ収差の発生を抑えながら、諸収差、特に、像面湾曲や倍率色収差を良好に補正することが可能となる。
【０１２２】
ここで、条件式（１０）に代えて、以下の条件式（１０’）を満足することが好ましい。
０．０８≦ｆHG1G3／ｆHGI≦０．９      （１０’）
また、条件式（１０）に代えて、以下の条件式（１０’’）を満足することがより好ましい。
０．１≦ｆHG1G3／ｆHGI≦０．８      （１０’’）
また、条件式（１０）に代えて、以下の条件式（１０’’’）を満足することがより好ましい。
０．２≦ｆHG1G3／ｆHGI≦０．７      （１０’’’）
【０１２３】
また、本実施形態の変倍光学系では、第２レンズ群は、１枚以上の正レンズと、１枚以上の負レンズと、を少なくとも有し、正レンズに、負レンズよりも高分散の硝材を用いていることが好ましい。
【０１２４】
高分散の硝材を用いた正レンズを、負の屈折力を有する第２レンズ群内に配置することで、特に、高倍時の軸上色収差を良好に補正することが可能となる。
【０１２５】
また、Ｃ線とｄ線との間で軸上色収差と倍率色収差を補正すると、ｇ線の色収差が補正過剰になることがある。ここで、一般的に、高分散の硝材は部分分散比θgfの値が高い。そこで、部分分散比θgfの値が大きい硝材を正レンズとして用いることで、補正過剰になってしまうｇ線の色収差を良好に補正することができる。
【０１２６】
また、本実施形態の変倍光学系では、第２レンズ群は、２枚以上の負レンズを有することが好ましい。
【０１２７】
このようにすることで、第２レンズ群の負の屈折力を２枚以上の負レンズに分担させることができる。これにより、第２レンズ群内での球面収差が過剰補正になることを抑えることが可能となる。そのため、光学系全体の球面収差を、変倍によらず安定して良好に補正することが可能となる。
【０１２８】
また、本実施形態の変倍光学系では、第１レンズ群は、２組以上の接合レンズを有することが好ましい。
【０１２９】
このようにすることで、第１レンズ群に強い屈折作用を持たせながら、軸上色収差を良好に補正することができる。更に、レンズが接合されていることによって、倍率色収差や色コマ収差も良好に補正することが可能となる。
【０１３０】
特に、本実施形態の変倍光学系では、第２レンズ群に発散作用を持たせている。このような光学系においては、第１レンズ群での収差が第１レンズ群よりも像側に位置するレンズ群によって拡大されてしまう。そのため、第１レンズ群で軸上色収差や倍率色収差が良好に補正されていることは、光学系全体での軸上色収差や倍率色収差の良好な補正に大きく寄与する。
【０１３１】
また、本実施形態の変倍光学系では、第３レンズ群よりも像側に、１枚以上の正レンズと、１枚以上の負レンズと、を有し、正レンズと負レンズのうち、最も物体側に配置された物体側正レンズと、最も像側に配置された像側負レンズが、以下の条件式（１１）を満足することが好ましい。
０．５≦ＤHpn／ＤHpi≦０．９９      （１１）
ＤHpnは、高倍端での物体側正レンズの物体側面から像側負レンズの像側面までの光軸上の距離、
ＤHpiは、高倍端での物体側正レンズの物体側面から像面までの光軸上の距離、
である。
【０１３２】
第３レンズ群よりも像側に、少なくとも正レンズと負レンズをそれぞれ１枚以上配置し、それらの間隔を適切にするにより、軸外収差が良好に補正された状態を保ちながら、光学系の全長を短縮することが可能となる。
【０１３３】
条件式（１１）の下限値を下回らないようにすることで、第３レンズよりも像側に位置するレンズ群の構成をテレフォト構成にすることが可能となる。この場合、バックフォーカスが短縮できるので、光学系の全長を短縮することができる。また、正レンズで収斂した光の光束径が十分に小さくなる位置に負レンズを配置できるので、像面湾曲を良好に補正することが可能となる。
【０１３４】
条件式（１１）の上限値を上回らないようにすることで、バックフォーカスを適切に確保することができる。これにより、レンズと撮像素子との多重反射によってゴーストが発生しても、ゴーストが高密度で撮像素子面に入射することを防ぐことが可能となる。
【０１３５】
ここで、条件式（１１）に代えて、以下の条件式（１１’）を満足することが好ましい。
０．５５≦ＤHpn／ＤHpi≦０．９５      （１１’）
また、条件式（１１）に代えて、以下の条件式（１１’’）を満足することがより好ましい。
０．６≦ＤHpn／ＤHpi≦０．９３      （１１’’）
また、条件式（１１）に代えて、以下の条件式（１１’’’）を満足することがより好ましい。
０．６５≦ＤHpn／ＤHpi≦０．９      （１１’’’）
【０１３６】
第３実施形態の変倍光学系は、低倍端から高倍端までの間で倍率が変化する光学系であって、最も物体側に配置され、正の屈折力を有する第１レンズ群と、第１レンズ群よりも像側に配置された第２レンズ群と、を少なくとも有し、変倍光学系は、変倍時に共役長が変化する光学系であって、変倍時に移動するレンズ群を有し、以下の条件式（１２）を満足することを特徴とする。
０．０１≦｜Δiomax／Δmax｜≦５      （１２）
ここで、
Δiomaxは、共役長の変化量のうち、最大となる変化量、
Δmaxは、移動するレンズ群の移動量のうち、最大となる移動量、
である。
【０１３７】
第３実施形態の変倍光学系は、上述の基本構成を備え、更に、変倍時に移動するレンズ群を有する。また、本実施形態の変倍光学系では、変倍に伴って共役長が変化する。
【０１３８】
基本構成の技術的意義については既に説明しているので、説明は省略する。
【０１３９】
そして、本実施形態の変倍光学系は、条件式（１２）を満足する。
【０１４０】
条件式（１２）の下限値を下回らないようにすることで、変倍したときの共役長の変化量を十分に確保することができる。この場合、どの倍率においても、物体位置、像位置及び絞り位置の３つの位置に対する各レンズ群の相対的な位置を、レンズ群の間隔によらず調整することができる。そのため、諸収差、特に、倍率色収差や歪曲収差を良好に補正することが可能となる。
【０１４１】
条件式（１２）の上限値を上回らないようにすることで、変倍したときの共役長の変化量が大きくなりすぎないようにすることができる。そのため、光学系を大型化せずに、変倍によらず移動するレンズ群の移動スペースを十分に確保することができ、また、収差を良好に補正できる。
【０１４２】
このように、本実施形態の変倍光学系では、諸収差が良好に補正されている。そのため、本実施形態の変倍光学系を所定の撮像素子と組み合わせることで、観察範囲を大きく保ちながら、撮像装置をより小型化することが可能となる。
【０１４３】
ここで、条件式（１２）に代えて、以下の条件式（１２’）を満足することが好ましい。
０．１≦｜Δiomax／Δmax｜≦３      （１２’）
また、条件式（１２）に代えて、以下の条件式（１２’’）を満足することがより好ましい。
０．１５≦｜Δiomax／Δmax｜≦２      （１２’’）
また、条件式（１２）に代えて、以下の条件式（１２’’’）を満足することがより好ましい。
０．２≦｜Δiomax／Δmax｜≦１      （１２’’’）
【０１４４】
なお、本実施形態の変倍光学系では、第１レンズ群は、最も物体側に配置された第１物体側レンズを有し、以下の条件式（１３）を満足することが好ましい。
｜Δwd／Ｄwdmax｜≦０．５      （１３）
ここで、
Δwdは、物体から第１物体側レンズの物体側面までの距離の変化量のうち、最大となる変化量、
Ｄwdmaxは、物体から第１物体側レンズの物体側面までの距離のうち、最大となる距離、
である。
【０１４５】
物体側の開口数が大きい光学系は、顕微鏡の光学系として使われる。このような光学系では、一般的に被写界深度が小さいので、第１物体側レンズから物体までの距離の調整を精度よく行う必要がある。一方で、変倍やフォーカスで使用されるアクチュエータは、一般的に、広い駆動幅と高い位置精度とを両立することは難しい。このようなことから、駆動幅を小さくすることで、より高い位置精度が容易に実現できる。
【０１４６】
条件式（１３）の上限値を上回らないようすることで、変倍による第１物体側レンズから物体までの距離の変化量を小さく抑えることが可能となる。よって、精度のよいレンズ群の位置調整が可能となる。
【０１４７】
ここで、条件式（１３）に代えて、以下の条件式（１３’）を満足することが好ましい。
｜Δwd／Ｄwdmax｜≦０．４      （１３’）
また、条件式（１３）に代えて、以下の条件式（１３’’）を満足することがより好ましい。
｜Δwd／Ｄwdmax｜≦０．３５      （１３’’）
また、条件式（１３）に代えて、以下の条件式（１３’’’）を満足することがより好ましい。
｜Δwd／Ｄwdmax｜≦０．３      （１３’’’）
【０１４８】
また、本実施形態の変倍光学系では、第１レンズ群から物体までの距離が一定になるように、第１レンズ群が移動することが好ましい。
【０１４９】
このようにすることで、例えば、物体をステージに載置した場合、変倍時にステージと第１レンズ群が略一体となって移動することになる。これにより、第１レンズ群から物体までの距離を大きく変動させることなく変倍することができる。そのため、物体と変倍光学系とが衝突することを避けることができる。また、第１レンズ群とステージの各々を、異なるアクチュエータで駆動しても、フォーカス位置が大幅にずれることがない。
【０１５０】
なお、ここでの略一体とは、変倍のためにステージと第１レンズ群とが同一のアクチュエータによって駆動される状態のことを指している。なお、第１レンズ群から物体までの距離を微調整するために、上述のように、第１レンズ群とステージの各々を、異なるアクチュエータで駆動する場合がある。そこで、距離の微調整が条件式（１３）を満足する状態で変倍が行われる場合、異なるアクチュエータによる駆動であっても、ステージと第１レンズ群の駆動は略一体とみなす。
【０１５１】
また、本実施形態の変倍光学系は、低倍端から高倍端までの間で倍率が変化する光学系であって、物体側から順に、正の屈折力を有する第１レンズ群と、正の屈折力を有する第２レンズ群と、正の屈折力を有する１つまたは２つのレンズ群と、負の屈折力を有する１つまたは２つのレンズ群と、からなり、変倍時に、隣り合うレンズ群との間隔が変化することが好ましい。ここで、絞りは、第２レンズ群と、正の屈折力を有する１つまたは２つのレンズ群と、の間に、配置されていることが好ましい。また、絞りは、第２レンズ群と共に移動することが好ましい。
【０１５２】
より具体的には、本実施形態の変倍光学系は、５つのレンズ群によって構成され、物体側から順に、正の屈折力を有する第１レンズ群と、正の屈折力を有する第２レンズ群と、正の屈折力を有する第３レンズ群と、正の屈折力を有する第４レンズ群と、負の屈折力を有する第５レンズ群と、からなり、変倍時に、隣り合うレンズ群との間隔が変化することが好ましい。
【０１５３】
ここで、第１レンズ群において、最も像側に配置されたレンズは、像側に凸面を向けたメニスカスレンズであることが好ましい。また、第１レンズ群において、像側から２番目に位置するレンズは、両凸正レンズであることが好ましい。
【０１５４】
また、第２レンズ群において、最も物体側に配置されたレンズは、物体側面が、物体側に凸面を向けていることが好ましい。また、第２レンズ群において、像側から物体側に向けて、像側に凸面を向けた負メニスカスレンズと、両凸正レンズと、両凹負レンズと、を配置することが好ましい。
【０１５５】
また、第３レンズ群において、最も物体側に配置されたレンズは、物体側面が物体側に凸面を向けていることが好ましい。また、第３レンズ群において、最も像側に配置されたレンズは、物体側に凸面を向けたメニスカスレンズであることが好ましい。
【０１５６】
また、第４レンズ群において、最も物体側に配置されたレンズは、像側面が、像側に凸面を向けていることが好ましい。また、第４レンズ群において、最も像側に配置されたレンズは、物体側面が、像側に凸面を向けていることが好ましい。また、第４レンズ群において、最も物体側に配置されたレンズは、正の屈折力を有することが好ましい。また、第４レンズ群において、最も像側に配置されたレンズは、負の屈折力を有することが好ましい。
【０１５７】
また、第５レンズ群において、最も物体側に配置されたレンズは、像側に凸面を向けていることが好ましい。また、第５レンズ群において、最も像側に配置されたレンズは、物体側面が、像側に凸面を向けていることが好ましい。また、第５レンズ群において、最も物体側に配置されたレンズは、正の屈折力を有することが好ましい。また、第５レンズ群において、最も像側に配置されたレンズは、負の屈折力を有することが好ましい。
【０１５８】
また、本実施形態の変倍光学系は、低倍端から高倍端までの間で倍率が変化する光学系であって、物体側から順に、正の屈折力を有する第１レンズ群と、負の屈折力を有する第２レンズ群と、正の屈折力を有する第３レンズ群と、正の屈折力を有する第４レンズ群と、からなり、変倍時に、隣り合うレンズ群との間隔が変化することが好ましい。
【０１５９】
ここで、絞りは、第１レンズ群内、または、第１レンズ群と、第２レンズ群と、の間に、配置されていることが好ましい。
【０１６０】
ここで、第１レンズ群において、最も像側に配置されたレンズは、平凸レンズであることが好ましい。また、第１レンズ群において、最も像側に配置されたレンズは、正の屈折力を有することが好ましい。
【０１６１】
また、第２レンズ群において、最も物体側に配置されたレンズは、像側面が、物体側に凸面を向けていることが好ましい。また、第２レンズ群において、最も像側に配置されたレンズは、物体側に凸面を向けていることが好ましい。また、第２レンズ群において、最も物体側に配置されたレンズは、負の屈折力を有することが好ましい。また、第２レンズ群において、最も像側に配置されたレンズは、正の屈折力を有することが好ましい。
【０１６２】
また、第３レンズ群において、最も物体側に配置されたレンズは、両凸正レンズであることが好ましい。また、第３レンズ群において、最も像側に配置されたレンズは、像側面が物体側に凸面を向けていることが好ましい。
【０１６３】
また、第４レンズ群において、最も物体側に配置されたレンズは、物体側面が、物体側に凸面を向けていることが好ましい。また、第４レンズ群において、最も像側に配置されたレンズは、像側面が、物体側に凸面を向けていることが好ましい。また、第４レンズ群において、最も物体側に配置されたレンズは、正の屈折力を有することが好ましい。
【０１６４】
また、本実施形態の変倍光学系は、低倍端から高倍端までの間で倍率が変化する光学系であって、物体側から順に、正の屈折力を有する１つまたは２つのレンズ群と、負の屈折力を有する１つのレンズ群と、正の屈折力を有する１つまたは２つのレンズ群と、負の屈折力を有する１つまたは２つのレンズ群と、からなり、変倍時に、隣り合うレンズ群との間隔が変化することが好ましい。
【０１６５】
ここで、絞りは、最も物体側に位置する正の屈折力を有する１つまたは２つのレンズ群内、または、最も物体側に位置する正の屈折力を有する１つまたは２つのレンズ群と、負の屈折力を有する１つのレンズ群と、の間に配置されることが好ましい。
【０１６６】
より具体的には、本実施形態の変倍光学系は、５つのレンズ群によって構成され、物体側から順に、正の屈折力を有する第１レンズ群と、正の屈折力を有する第２レンズ群と、負の屈折力を有する第３レンズ群と、正の屈折力を有する第４レンズ群と、負の屈折力を有する第５レンズ群と、からなり、変倍時に、隣り合うレンズ群との間隔が変化することが好ましい。
【０１６７】
ここで、第１レンズ群において、最も物体側に配置されたレンズは、像側に凸面を向けたメニスカスレンズであることが好ましい。また、第１レンズ群において、最も像側に配置されたレンズは、物体側面が、物体側に凸面を向けていることが好ましい。また、第１レンズ群において、最も物体側に配置されたレンズは、正の屈折力を有することが好ましい。また、第１レンズ群において、最も像側に配置されたレンズは、正の屈折力を有することが好ましい。
【０１６８】
また、第２レンズ群において、最も物体側に配置されたレンズは、像側に凸面を向けたメニスカスレンズであることが好ましい。また、第２レンズ群において、最も像側に配置されたレンズは、像側に凸面を向けたメニスカスレンズであることが好ましい。また、第２レンズ群において、最も物体側に配置されたレンズは、正の屈折力を有することが好ましい。また、第２レンズ群において、最も像側に配置されたレンズは、負の屈折力を有することが好ましい。
【０１６９】
また、第３レンズ群において、最も物体側に配置されたレンズは、像側に凸面を向けたメニスカスレンズであることが好ましい。また、第３レンズ群において、最も像側に配置されたレンズは、像側に凸面を向けたメニスカスレンズであることが好ましい。また、第３レンズ群において、最も物体側に配置されたレンズは、正の屈折力を有することが好ましい。また、第３レンズ群において、最も像側に配置されたレンズは、負の屈折力を有することが好ましい。
【０１７０】
また、第４レンズ群において、最も物体側に配置されたレンズは、両凸正レンズであることが好ましい。また、第４レンズ群において、最も像側に配置されたレンズは、両凹負レンズであることが好ましい。また、第４レンズ群は、物体側から順に、両凸正レンズと、両凸正レンズと、両凹負レンズと、からなることが好ましい。
【０１７１】
また、第５レンズ群において、最も物体側に配置されたレンズは、物体側面が物体側に凸面を向けていることが好ましい。また、第５レンズ群において、最も像側に配置されたレンズは、両凹負レンズであることが好ましい。また、第５レンズ群において、最も像側に配置されたレンズは、負の屈折力を有することが好ましい。
【０１７２】
また、レンズ群を構成するレンズのうち、隣り合うレンズは樹脂レンズであることが好ましい。このとき、隣り合うレンズの数は２以上であっても良い。
【０１７３】
このようにすることで、レンズ群を軽量化することができる。また、レンズが樹脂で構成されていることで、レンズの保持方式として、レンズ枠へレンズを圧入する方式や、一方のレンズのコバに枠を形成してこの枠に他のレンズを嵌合させる方式を用いることができる。このような方式を用いることとで、レンズ間の偏心を小さくすることができる。
【０１７４】
本実施形態の撮像装置は、撮像素子と、変倍光学系と、を有する撮像装置であって、変倍光学系によって、撮像素子上に光学像が形成され、変倍光学系は、低倍端から高倍端までの間で倍率が変化する光学系であって、最も物体側に配置され、正の屈折力を有する第１レンズ群と、第１レンズ群よりも像側に配置された第２レンズ群と、を少なくとも有し、変倍時に、第１レンズ群と第２レンズ群との間隔が可変であり、以下の条件式（１４）、（１５）を満足することを特徴とする。
３０００≦２×Ｙ／ｐ      （１４）
０．０８≦ＮＡH      （１５）
ここで、
Ｙは、変倍光学系全系における最大像高、
ｐは、撮像素子における画素ピッチ、
ＮＡHは、高倍端での変倍光学系の物体側の開口数、
である。
【０１７５】
本実施形態の撮像装置に用いられる変倍光学系は、上述の基本構成を備えている。基本構成の技術的意義については既に説明しているので、説明は省略する。
【０１７６】
そして、本実施形態の撮像装置は、条件式（１４）、（１５）を満足する。
【０１７７】
撮像装置としては、例えば、顕微鏡がある。顕微鏡では、視野数は通常２２ｍｍ程度である。視野数２２ｍｍは、変倍光学系の像高に換算すると１１ｍｍ程度になる。
【０１７８】
そこで、本実施形態の変倍光学系を顕微鏡の光学系に用いる場合は、視野数２２ｍｍに相当する観察範囲を得るために、変倍光学系は像高１１ｍｍ程度まで収差が良好に補正されている必要がある。
【０１７９】
デジタル顕微鏡では、撮像した物体像の画像をモニタ上で観察する。このデジタル顕微鏡においては、像高に対して撮像素子の画素ピッチが十分に小さければ、像高が小さくても、視野数２２ｍｍに相当する観察範囲が得られる。また、像高を１１ｍｍ（視野数２２ｍｍ相当）よりも大きくしなくても、より大きな視野数に相当する観察範囲が得られる。この場合、より高い分解能を有することが、変倍光学系に要求されることは言うまでもない。
【０１８０】
通常の顕微鏡では、１次結像面でのエアリーディスク径は２８μｍ程度である。このことを考慮すると、条件式（１４）と（１５）を満足することにより、変倍光学系において十分に高い分解能を確保することができる。この場合、像高に対して十分に細かいサンプリングピッチで、物体の画像の取得が可能となる。そのため、変倍光学系における像高を１１ｍｍよりも大きくすることなく、視野数２２ｍｍ程度の観察範囲、又は視野数２２ｍｍ以上に相当する広い観察範囲を得ることができる。
【０１８１】
例えば、撮像素子の画素ピッチが３μmの場合、像高４．５ｍｍｍが条件式（１４）の下限値となる。この場合、変倍光学系において像高４．５ｍｍまで収差が良好に補正されていれば、視野数２２ｍｍに相当する観察範囲を実現することができる。また、収差が良好に補正されている像高を９ｍｍ程度にすると、通常の顕微鏡に比べて小さい像高であるにもかかわらず、視野数４４ｍｍに相当する広い観察範囲を実現することができる。
【０１８２】
このように、条件式（１４）、（１５）を満足することにより、変倍光学系における像高を通常の顕微鏡における視野数に相当する像高よりも大きくすることなく、高い分解能で、通常の顕微鏡と同等あるいはそれ以上の観察範囲を撮影することができる。そのため、広い観察範囲を保ちつつ、小型化で、しかも解像度の高い画像が得られる撮像装置を実現することが可能となる。
【０１８３】
なお、より小型で観察範囲が広い撮像装置を実現するためには、撮像素子の画素ピッチは３μｍ以下であることが望ましい。
【０１８４】
ここで、条件式（１４）に代えて、以下の条件式（１４’）を満足することが好ましい。
３５００≦２×Ｙ／ｐ      （１４’）
また、条件式（１４）に代えて、以下の条件式（１４’’）を満足することがより好ましい。
４０００≦２×Ｙ／ｐ      （１４’’）
また、条件式（１４）に代えて、以下の条件式（１４’’’）を満足することがより好ましい。
４８００≦２×Ｙ／ｐ      （１４’’’）
【０１８５】
ここで、条件式（１５）に代えて、以下の条件式（１５’）を満足することが好ましい。
０．１≦ＮＡH      （１５’）
また、条件式（１５）に代えて、以下の条件式（１５’’）を満足することがより好ましい。
０．１２≦ＮＡH      （１５’’）
また、条件式（１５）に代えて、以下の条件式（１５’’’）を満足することがより好ましい。
０．２≦ＮＡH      （１５’’’）
【０１８６】
なお、本実施形態の撮像装置は、以下の条件式（１６）を満足することが好ましい。
１．０＜εH90／ｐ＜１０      （１６）
ここで、
εH90は、変倍光学系の高倍端において、波長ｅ線の点像を撮像素子の略中心付近に形成したときの、ベスト像面での点像強度分布の９０％エンサークルドエネルギーの直径、
ｐは、撮像素子における画素ピッチ、
である。
【０１８７】
デジタル顕微鏡においては、撮像素子の画素ピッチに釣り合った結像性能を変倍光学系に持たせることで、高い分解能を維持したままで撮像装置の小型化が可能となる。特に高倍時には、高い分解能が必要になる。
【０１８８】
点像強度分布は広がりを持っているので、点像強度分布を示す光は複数の画素で受光される。しかしながら、点像強度分布では、周辺の光強度が中心に比べて急激に減少する。この場合、光の大半、すなわち、エンサークルドエネルギーの大半が点像の中心付近に集中している。よって、点像中心に位置する１つの画素に、エンサークルドエネルギーの大半の光が入射すれば、高い分解能を得ることができる。
【０１８９】
条件式（１６）の下限値を下回らないようにすることで、変倍光学系の結像性能に対して十分に小さいピッチでサンプリングすることが可能となるので、高い分解能を実現することが可能となる。また、サンプリングピッチよりも高い周波数成分を持つ構造まで高いコントラストで結像する必要がなくなるため、光学系を小型化することが可能となる。
【０１９０】
条件式（１６）の上限値を上回らないようにすることで、高倍時に、エンサークルドエネルギーの大半を占める光が１つの画素に入射するようになる。そのため、例えば、物体が濃淡のパターンを持つ場合、濃淡のピッチが撮像素子のナイキスト周波数程度となるまで、十分に高いコントラストで物体の光学像を形成することが可能となる。
【０１９１】
このように、本実施形態の撮像装置に用いる変倍光学系では、エンサークルドエネルギーの大半を占める光が１つの画素に入射する程度まで諸収差が良好に補正されている。そのため、本実施形態の変倍光学系を所定の撮像素子と組み合わせることで、観察範囲を大きく保ちながら、撮像装置をより小型化することが可能となる。
【０１９２】
ここで、条件式（１６）に代えて、以下の条件式（１６’）を満足することが好ましい。
２＜εH90／ｐ＜９      （１６’）
また、条件式（１６）に代えて、以下の条件式（１６’’）を満足することがより好ましい。
３＜εH90／ｐ＜８      （１６’’）
また、条件式（１６）に代えて、以下の条件式（１６’’’）を満足することがより好ましい。
４＜εH90／ｐ＜６      （１６’’’）
【０１９３】
また、本実施形態の撮像装置は、以下の条件式（１７）を満足することが好ましい。
０．０６＜ＮＡ’H      （１７）
ここで、
ＮＡ’Hは、高倍端での変倍光学系の像側の開口数、
である。
【０１９４】
変倍光学系の像側の開口数を大きくすることで、画素ピッチが小さい撮像素子に好適な分解能での結像が可能となる。また、上述のように、高倍時の観察では、より高い分解能が必要になる。そこで、高倍時に条件式（１７）を満足することにより、３μｍ以下の画素ピッチを有する撮像素子を用いた場合であっても、変倍光学系において良好な結像が可能となる。また、この変倍光学系と画素ピッチの小さい撮像素子とを組み合わせることにより、観察範囲を大きく保ちながら、装置をより小型化することが可能となる。
【０１９５】
ここで、条件式（１７）に代えて、以下の条件式（１７’）を満足することが好ましい。
０．０８＜ＮＡ’H      （１７’）
また、条件式（１７）に代えて、以下の条件式（１７’’）を満足することがより好ましい。
０．１＜ＮＡ’H      （１７’’）
また、条件式（１７）に代えて、以下の条件式（１７’’’）を満足することがより好ましい。
０．１２＜ＮＡ’H      （１７’’’）
【０１９６】
また、本実施形態の撮像装置は、以下の条件式（１８）を満足することが好ましい。
−７＜ＬＴL／ｐ＜７      （１８）
ここで、
ＬＴLは、変倍光学系の低倍端における重心間距離であって、該重心間距離は、最大像高の７０％の位置での、Ｃ線での点像強度分布の重心とｄ線での点像強度分布の重心との間の距離、
ｐは、撮像素子における画素ピッチ、
である。
【０１９７】
低倍時の観察では、像の周辺部での結像性能が重要となる。低倍時は、特に、周辺部の倍率色収差が小さいことが変倍光学系には求められる。倍率色収差によって画像に生じた色にじみは、デジタル補正（画像処理）を行うことである程度は抑えることができる。しかしながら、変倍光学系の倍率色収差による色にじみの量が画素ピッチに対して大きすぎると、デジタル補正でも十分に補正しきれない。
【０１９８】
条件式（１８）の下限値を下回らないようにすると共に、上限値を上回らないようにすることで、低倍時における倍率色収差の発生量を小さくすることができる。これにより、画像の周辺部における色にじみの発生を、低倍時においても良好に抑えられるので、デジタル補正の必要がなくなる。あるいは、デジタル補正が必要になったとしても、色にじみを良好にデジタル補正することができる。その結果、観察時の色にじみを良好に抑えることができる。
【０１９９】
なお、製造誤差などにより、収差が回転非対称である場合、点像強度分布も非対称になる。このような場合、ＬＴLは、点像強度分布の重心から求めるのではなく、点像強度分布における最大強度の位置から求めれば良い。
【０２００】
ここで、条件式（１８）に代えて、以下の条件式（１８’）を満足することが好ましい。
−５＜ＬＴL／ｐ＜５      （１８’）
また、条件式（１８）に代えて、以下の条件式（１８’’）を満足することがより好ましい。
−４＜ＬＴL／ｐ＜４      （１８’’）
また、条件式（１８）に代えて、以下の条件式（１８’’’）を満足することがより好ましい。
−３＜ＬＴL／ｐ＜３      （１８’’’）
【０２０１】
また、本実施形態の撮像装置は、以下の条件式（１９）を満足することが好ましい。
−５０＜ＡＴH／ｐ＜５０      （１９）
ここで、
ＡＴHは、撮像素子の略中心付近における、Ｃ線でのベストピント位置とｄ線でのベストピント位置との差、
ｐは、撮像素子における画素ピッチ、
である。
【０２０２】
高倍時の観察では、像の中心部での結像性能が重要となる。高倍時は高い分解能が必要で、特に、軸上色収差が小さいことが変倍光学系には求められる。ここで、画素ピッチが大きい場合には、像側の開口数を小さくしたり、球面収差を大きくしたりすることで、焦点深度を大きくし、これにより、軸上色収差による色にじみを軽減することができる。
【０２０３】
しかしながら、画素ピッチが小さくなると、像側の開口数を小さくして焦点深度を大きくすることが困難となる。そこで、条件式（１９）の下限値を下回らないようにすると共に、上限値を上回らないようすることで、画素ピッチが小さい撮像素子を用いた場合であっても、画像の中心部における色にじみの発生を、高倍時であっても良好に抑えることができる。
【０２０４】
ここで、条件式（１９）に代えて、以下の条件式（１９’）を満足することが好ましい。
−４０＜ＡＴH／ｐ＜４０      （１９’）
また、条件式（１９）に代えて、以下の条件式（１９’’）を満足することがより好ましい。
−３５＜ＡＴH／ｐ＜３５      （１９’’）
また、条件式（１９）に代えて、以下の条件式（１９’’’）を満足することがより好ましい。
−３０＜ＡＴH／ｐ＜３０      （１９’’’）
【０２０５】
また、本実施形態の撮像装置は、以下の条件式（２０）、（２１）を満足することが好ましい。
−７°＜ＣＲＡLobj＜７°      （２０）
−７°＜ＣＲＡHobj＜７°      （２１）
ここで、
ＣＲＡLobjは、低倍端での物体側主光線と光軸とのなす角度、
ＣＲＡHobjは、高倍端での物体側主光線と光軸とのなす角度、
物体側主光線は、第１レンズ群に入射する主光線のうち、最大像高の９０％の位置に到達する主光線、
である。
角度の正負は、光軸から時計回りの方向に測った場合の角度を負、反時計回りの方向に測ったときの角度を正とする。
【０２０６】
条件式（２０）、（２１）の下限値を下回らないようにすると共に、上限値を上回らないようすることで、変倍光学系において、物体側でのテレセントリック性を適切に確保することができる。すなわち、物体から第１レンズ群に入射する軸外主光線を、より光軸と平行にすることができる。これにより、本実施形態の撮像装置に用いられる変倍光学系を、より物体側でテレセントリックな光学系にすることができる。なお、物体側主光線と光軸とのなす角度は、物体面から第１レンズ群の物体側レンズ面までの間の任意の位置における角度である。
【０２０７】
物体側でテレセントリックな光学系では、倍率の変動が少ない。すなわち、光学系から物体までの距離が多少変化しても、光学系によって形成された光学像の大きさの変動を抑えることができる。このようなことから、例えば、本実施形態の撮像装置に用いられる光学系を寸法計測に用いた場合、光学系に対する物体位置が光軸方向で多少変化し、これにより光学系から物体までの距離が多少変化しても、光学像の大きさの変動は少ない。よって、本実施形態の撮像装置では、光学系から物体までの距離が多少変化しても、物体の大きさを正確に計測することができる。なお、物体の大きさは、光軸と垂直な面内における大きさのことである。
【０２０８】
ここで、条件式（２０）に代えて、以下の条件式（２０’）を満足することが好ましい。
−６°＜ＣＲＡLobj＜６°      （２０’）
また、条件式（２０）に代えて、以下の条件式（２０’’）を満足することがより好ましい。
−５．５°＜ＣＲＡLobj＜５．５°      （２０’’）
また、条件式（２０）に代えて、以下の条件式（２０’’’）を満足することがより好ましい。
−５°＜ＣＲＡLobj＜５°      （２０’’’）
【０２０９】
ここで、条件式（２１）に代えて、以下の条件式（２１’）を満足することが好ましい。
−６°＜ＣＲＡHobj＜６°      （２１’）
また、条件式（２１）に代えて、以下の条件式（２１’’）を満足することがより好ましい。
−５．５°＜ＣＲＡHobj＜５．５°      （２１’’）
また、条件式（２１）に代えて、以下の条件式（２１’’’）を満足することがより好ましい。
−５°＜ＣＲＡHobj＜５°      （２１’’’）
【０２１０】
また、本実施形態の撮像装置では、光学像の画像のコントラストを検知しながら、自動的にフォーカスすることが好ましい。
【０２１１】
物体へのフォーカスを自動的に行うことによって、撮像装置の使用者は異なる倍率の観察をスムーズに行うことが可能となる。
【０２１２】
なお、変倍光学系における変倍も自動で行うことができることが好ましい。このようにすれば、例えば、使用者が異なる倍率での観察を行う際に、異なる倍率への変更をワンタッチで行うことができる。また、低倍での概略な観察と高倍での詳細な観察を、一連のシーケンスで自動化することが可能となる。
【０２１３】
また、本実施形態の撮像装置では、撮像素子を光軸方向に動かすことによってフォーカスすることが好ましい。
【０２１４】
高倍時に変倍光学系の物体側の開口数を大きくして、かつ良好な収差補正を実現するためには、変倍光学系から物体までの距離を短くせざるを得ない場合が多い。しかしながら、変倍光学系から物体までの距離を短くした光学系で、物体までの距離を変化させてフォーカスする方法をとると、光学系と物体とが衝突してしまい、いずれかが破損してしまうことがあり得る。
【０２１５】
特に、画像のコントラストを検知しながら、自動的にフォーカスする場合は、使用者が手動でフォーカスする場合に比べて、一般的に光学系あるいはステージの移動量を大きくとる必要があるため、光学系と物体とが衝突する可能性が高くなる。
【０２１６】
変倍光学系から物体までの距離を変化させずにフォーカスするには、最も物体側に位置するレンズ群以外のレンズ群を移動させる方法と、撮像素子を移動させる方法とがある。ここで、フォーカシングによる倍率の変動や収差の変動が抑えられることから、フォーカス方法としては撮像素子を移動させる方法が望ましい。
【０２１７】
通常の顕微鏡では像側の焦点深度が大きいため、撮像素子を動かしてフォーカスする場合には、撮像素子の移動量を非常に大きくする必要があった。これに対して、本実施形態の変倍光学系は、像側の焦点深度が比較的小さい。そのため、撮像素子の移動量を小さくすることができる。このようなことから、フォーカス方法としては、撮像素子を光軸方向に動かしてフォーカスする方法が適している。
【０２１８】
また、本実施形態の撮像装置は、上述のいずれかの変倍光学系と、撮像素子と、を有することを特徴とする。
【０２１９】
本実施形態の撮像システムは、上述のいずれかの撮像装置と、観察対象となる物体を保持するステージと、物体を照明する光源と、を備えたことを特徴とする。
【０２２０】
観察対象となる物体を保持するステージを備えることで、撮像装置に対する物体の位置を安定的に保持することができる。これにより、所定の撮像素子を用いた場合に、撮像素子の解像力を最大限に活かすことができるので、良好な画像を得ることができる。
【０２２１】
更に、照明装置により物体に照射光を照射することで、撮像時のノイズを低減することができる。その結果、解像度の高い画像を取得することが可能になる。
【０２２２】
なお、本実施形態の撮像システムでは、ステージを光軸方向に動かすことによってフォーカスすることが好ましい。
【０２２３】
本実施形態の撮像装置に用いられる変倍光学系は、（２０）、（２１）を満足することで、物体側でテレセントリックな光学系になる。物体側でテレセントリック性が確保されている光学系では、物体までの距離を変化させてフォーカスすることによって、フォーカシングによる倍率変動やディストーションによる像の大きさの変動が抑えられる。そのため、物体の大きさを、より正確に測定することが可能となる。
【０２２４】
物体までの距離を変化させる方法として、光学系と撮像素子とを同時に動かす方法と、ステージを動かす方法とがあるが、ステージを動かす方法をとることによって可動体を比較的軽量化することができる。その結果、精度の良いフォーカシングが可能となる。
【０２２５】
なお、各条件式について、下限値、上限値の何れかまたは双方を限定することで、その機能をより確実にできるので好ましい。また、各条件式について、より限定した条件式の数値範囲の上限値あるいは下限値のみを限定しても構わない。また、条件式の数値範囲を限定するにあたっては、上記の各条件式の上限値又は下限値を、上記の他の条件式の上限値又は下限値としても良い。
【０２２６】
以下に、本発明のある態様に係る変倍光学系の実施例を、図面に基づいて詳細に説明する。実施例１１〜１５、１８、１９は参考例である。なお、この実施例によりこの発明が限定されるものではない。また、屈折力の正、負は近軸曲率半径に基づく。
【０２２７】
実施例１に係る変倍光学系について説明する。図１は、実施例１に係る変倍光学系の無限遠物点合焦時の光学構成を示す光軸に沿う断面図（レンズ断面図）であって、（ａ）は低倍端での断面図、（ｂ）は高倍端での断面図である。なお、以下全ての実施例において、断面図中、Ｃはカバーガラス、Ｉは撮像素子の撮像面を示している。
【０２２８】
図２は、実施例１に係る変倍光学系の無限遠物点合焦時における収差図である。ここで、“ＦＩＹ”は像高を示している。なお、収差図における記号は、後述の実施例においても共通である。
【０２２９】
また、図２の収差図において、（ａ）、（ｂ）、（ｃ）、（ｄ）は、それぞれ、低倍端における球面収差（ＳＡ）、非点収差（ＡＳ）、歪曲収差（ＤＴ）、倍率色収差（ＣＣ）を示している。
【０２３０】
また、（ｅ）、（ｆ）、（ｇ）、（ｈ）は、それぞれ、高倍端における球面収差（ＳＡ）、非点収差（ＡＳ）、歪曲収差（ＤＴ）、倍率色収差（ＣＣ）を示している。
【０２３１】
実施例１の変倍光学系は、図１に示すように、物体側より順に、正の屈折力の第１レンズ群Ｇ１と、正の屈折力の第２レンズ群Ｇ２と、開口絞りＳと、正の屈折力の第３レンズ群Ｇ３と、負の屈折力の第４レンズ群Ｇ４と、を有している。なお、実施例１〜１９において、レンズ断面図中、Ｓは絞り（以下、開口絞りＳとする）を示し、Ｃはカバーガラスを示し、Ｉは撮像素子の撮像面を示している。
【０２３２】
第１レンズ群Ｇ１は、両凹負レンズＬ１と、物体側に凸面を向けた正メニスカスレンズＬ２と、両凸正レンズＬ３と、からなる。ここで、両凹負レンズＬ１と正メニスカスレンズＬ２とは接合されている。
【０２３３】
第２レンズ群Ｇ２は、両凸正レンズＬ４と、両凸正レンズＬ５と、両凹負レンズＬ６と、像側に凸面を向けた正メニスカスレンズＬ７と、像側に凸面を向けた負メニスカスレンズＬ８と、からなる。ここで、正メニスカスレンズＬ７と負メニスカスレンズＬ８とは接合されている。
【０２３４】
第３レンズ群Ｇ３は、像側に凸面を向けた正メニスカスレンズＬ９と、像側に凸面を向けた負メニスカスレンズＬ１０と、像側に凸面を向けた正メニスカスレンズＬ１１と、物体側に凸面を向けた正メニスカスレンズＬ１２と、両凸正レンズＬ１３と、両凸正レンズＬ１４と、両凹負レンズＬ１５と、からなる。ここで、正メニスカスレンズＬ９、負メニスカスレンズＬ１０及び正メニスカスレンズＬ１１は接合されている。
【０２３５】
第４レンズ群Ｇ４は、像側に凸面を向けた正メニスカスレンズＬ１６と、両凹負レンズＬ１７と、からなる。
【０２３６】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ８の近傍に配置されている。
【０２３７】
低倍端から高倍端への変倍時、第１レンズ群Ｇ１は固定であり、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は固定である。なお、レンズ群が固定とは、レンズ群が静止しているということである。
【０２３８】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は広がる。
【０２３９】
非球面は、両凸正レンズＬ３の両面と、両凸正レンズＬ４の両面と、両凸正レンズＬ５の両面と、両凹負レンズＬ６の両面と、正メニスカスレンズＬ１２の両面と、両凸正レンズＬ１３の両面と、両凸正レンズＬ１４の両面と、両凹負レンズＬ１５の両面と、正メニスカスレンズＬ１６の両面と、両凹負レンズＬ１７の両面との２０面に用いられている。
【０２４０】
本実施例の変倍光学系は、画素ピッチが１．１μｍの撮像素子に好適な光学系である。また、第３レンズ群Ｇ３が所定の正レンズ群に該当する。また、第４レンズ群Ｇ４は樹脂レンズを有する。
【０２４１】
次に、実施例２に係る変倍光学系について説明する。図３は、実施例２に係る変倍光学系の無限遠物点合焦時の光学構成を示す光軸に沿う断面図であって、（ａ）は低倍端での断面図、（ｂ）は中間状態での断面図、（ｃ）は高倍端での断面図である。後述の実施例３〜１９においても、低倍端、中間状態及び高倍端でのレンズ断面図と収差図とが示されている。
【０２４２】
図４は、実施例２に係る変倍光学系の無限遠物点合焦時における収差図である。これらの収差図において、（ａ）、（ｂ）、（ｃ）、（ｄ）は、それぞれ、低倍端における球面収差（ＳＡ）、非点収差（ＡＳ）、歪曲収差（ＤＴ）、倍率色収差（ＣＣ）を示している。
【０２４３】
また、（ｅ）、（ｆ）、（ｇ）、（ｈ）は、それぞれ中間状態における球面収差（ＳＡ）、非点収差（ＡＳ）、歪曲収差（ＤＴ）、倍率色収差（ＣＣ）を示している。
【０２４４】
また、（ｉ）、（ｊ）、（ｋ）、（ｌ）は、それぞれ、高倍端における球面収差（ＳＡ）、非点収差（ＡＳ）、歪曲収差（ＤＴ）、倍率色収差（ＣＣ）を示している。
【０２４５】
実施例２の変倍光学系は、図３に示すように、物体側より順に、正の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５と、を有している。
【０２４６】
第１レンズ群Ｇ１は、物体側に凸面を向けた負メニスカスレンズＬ１と、物体側に凸面を向けた正メニスカスレンズＬ２と、両凸正レンズＬ３と、像側に凸面を向けた正メニスカスレンズＬ４と、からなる。ここで、負メニスカスレンズＬ１と正メニスカスレンズＬ２とは接合されている。
【０２４７】
第２レンズ群Ｇ２は、両凸正レンズＬ５と、両凸正レンズＬ６と、両凹負レンズＬ７と、両凸正レンズＬ８と、像側に凸面を向けた負メニスカスレンズＬ９と、からなる。ここで、両凸正レンズＬ８と負メニスカスレンズＬ９とは接合されている。
【０２４８】
第３レンズ群Ｇ３は、両凸正レンズＬ１０と、両凹負レンズＬ１１と、両凸正レンズＬ１２と、物体側に凸面を向けた正メニスカスレンズＬ１３と、からなる。ここで、両凸正レンズＬ１０、両凹負レンズＬ１１及び両凸正レンズＬ１２は接合されている。
【０２４９】
第４レンズ群Ｇ４は、両凸正レンズＬ１４と、両凸正レンズＬ１５と、両凹負レンズＬ１６と、からなる。
【０２５０】
第５レンズ群Ｇ５は、像側に凸面を向けた正メニスカスレンズＬ１７と、像側に凸面を向けた正メニスカスレンズＬ１８と、両凹負レンズＬ１９と、からなる。
【０２５１】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ９の近傍に配置されている。
【０２５２】
低倍端から高倍端への変倍時、第１レンズ群Ｇ１は固定であり、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は物体側に移動し、第５レンズ群Ｇ５は固定である。
【０２５３】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は、低倍端から中間までは狭まり、中間から高倍端までは広がる。第４レンズ群Ｇ４と第５レンズ群Ｇ５との間隔は広がる。
【０２５４】
非球面は、両凸正レンズＬ３の物体側面と、正メニスカスレンズＬ４の像側面と、両凸正レンズＬ５の両面と、両凸正レンズＬ６の両面と、両凹負レンズＬ７の両面と、正メニスカスレンズＬ１３の両面と、両凸正レンズＬ１４の両面と、両凸正レンズＬ１５の両面と、両凹負レンズＬ１６の両面と、正メニスカスレンズＬ１７の物体側面と、正メニスカスレンズＬ１８の両面と、両凹負レンズＬ１９の両面との２１面に用いられている。
【０２５５】
本実施例の変倍光学系は、画素ピッチが１．１μｍの撮像素子に好適な光学系である。また、第３レンズ群Ｇ３と第４レンズ群Ｇ４が所定の正レンズ群に該当する。また、第２レンズ群Ｇ２、第４レンズ群Ｇ４及び第５レンズ群Ｇ５は樹脂レンズを有する。
【０２５６】
次に、実施例３に係る変倍光学系について説明する。図５は、実施例３に係る変倍光学系の無限遠物点合焦時の光学構成を示す光軸に沿う断面図である。図６は実施例３に係る変倍光学系の無限遠物点合焦時における収差図である。
【０２５７】
実施例３の変倍光学系は、図５に示すように、物体側より順に、正の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５と、を有している。
【０２５８】
第１レンズ群Ｇ１は、物体側に凸面を向けた負メニスカスレンズＬ１と、物体側に凸面を向けた正メニスカスレンズＬ２と、両凸正レンズＬ３と、像側に凸面を向けた正メニスカスレンズＬ４と、からなる。ここで、負メニスカスレンズＬ１と正メニスカスレンズＬ２とは接合されている。また、両凸正レンズＬ３と正メニスカスレンズＬ４とは接合されている。
【０２５９】
第２レンズ群Ｇ２は、両凸正レンズＬ５と、両凸正レンズＬ６と、両凹負レンズＬ７と、両凸正レンズＬ８と、像側に凸面を向けた負メニスカスレンズＬ９と、からなる。ここで、両凸正レンズＬ８と負メニスカスレンズＬ９とは接合されている。
【０２６０】
第３レンズ群Ｇ３は、物体側に凸面を向けた負メニスカスレンズＬ１０と、両凸正レンズＬ１１と、物体側に凸面を向けた負メニスカスレンズＬ１２と、からなる。ここで、負メニスカスレンズＬ１０と両凸正レンズＬ１１とは接合されている。
【０２６１】
第４レンズ群Ｇ４は、両凸正レンズＬ１３と、両凸正レンズＬ１４と、両凹負レンズＬ１５と、からなる。
【０２６２】
第５レンズ群Ｇ５は、像側に凸面を向けた正メニスカスレンズＬ１６と、像側に凸面を向けた負メニスカスレンズＬ１７と、像側に凸面を向けた負メニスカスレンズＬ１８と、からなる。
【０２６３】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ９の近傍に配置されている。
【０２６４】
低倍端から高倍端への変倍時、第１レンズ群Ｇ１は固定であり、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は物体側に移動し、第５レンズ群Ｇ５は固定である。
【０２６５】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は狭まる。第４レンズ群Ｇ４と第５レンズ群Ｇ５との間隔は広がる。
【０２６６】
非球面は、両凸正レンズＬ５の両面と、両凸正レンズＬ６の両面と、両凹負レンズＬ７の両面と、両凸正レンズＬ１３の両面と、両凸正レンズＬ１４の両面と、両凹負レンズＬ１５の両面と、負メニスカスレンズＬ１８の両面との１４面に用いられている。
【０２６７】
本実施例の変倍光学系は、画素ピッチが２．８μｍの撮像素子に好適な光学系である。また、第３レンズ群Ｇ３と第４レンズ群Ｇ４が所定の正レンズ群に該当する。また、第２レンズ群Ｇ２と第４レンズ群Ｇ４は樹脂レンズを有する。
【０２６８】
次に、実施例４に係る変倍光学系について説明する。図７は、実施例４に係る変倍光学系の無限遠物点合焦時の光学構成を示す光軸に沿う断面図である。図８は実施例４に係る変倍光学系の無限遠物点合焦時における収差図である。
【０２６９】
実施例４の変倍光学系は、図７に示すように、物体側より順に、正の屈折力の第１レンズ群Ｇ１と、正の屈折力の第２レンズ群Ｇ２と、開口絞りＳと、正の屈折力の第３レンズ群Ｇ３と、負の屈折力の第４レンズ群Ｇ４と、負の屈折力の第５レンズ群Ｇ５と、を有している。
【０２７０】
第１レンズ群Ｇ１は、物体側に凸面を向けた負メニスカスレンズＬ１と、物体側に凸面を向けた正メニスカスレンズＬ２と、両凸正レンズＬ３と、像側に凸面を向けた正メニスカスレンズＬ４と、からなる。ここで、負メニスカスレンズＬ１と正メニスカスレンズＬ２とは接合されている。また、両凸正レンズＬ３と正メニスカスレンズＬ４とは接合されている。
【０２７１】
第２レンズ群Ｇ２は、両凸正レンズＬ５と、両凸正レンズＬ６と、両凹負レンズＬ７と、両凸正レンズＬ８と、像側に凸面を向けた負メニスカスレンズＬ９と、からなる。ここで、両凸正レンズＬ８と負メニスカスレンズＬ９とは接合されている。
【０２７２】
第３レンズ群Ｇ３は、物体側に凸面を向けた負メニスカスレンズＬ１０と、両凸正レンズＬ１１と、物体側に凸面を向けた負メニスカスレンズＬ１２と、両凸正レンズＬ１３と、両凸正レンズＬ１４と、両凹負レンズＬ１５と、からなる。ここで、負メニスカスレンズＬ１０と両凸正レンズＬ１１とは接合されている。
【０２７３】
第４レンズ群Ｇ４は、像側に凸面を向けた正メニスカスレンズＬ１６と、両凹負レンズＬ１７と、からなる。
【０２７４】
第５レンズ群Ｇ５は、両凸正レンズＬ１８と、両凹負レンズＬ１９と、からなる。
【０２７５】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ９の近傍に配置されている。
【０２７６】
低倍端から高倍端への変倍時、第１レンズ群Ｇ１は固定であり、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は物体側に移動し、第５レンズ群Ｇ５は固定である。
【０２７７】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は広がる。第４レンズ群Ｇ４と第５レンズ群Ｇ５との間隔は広がる。
【０２７８】
非球面は、両凸正レンズＬ５の両面と、両凸正レンズＬ６の両面と、両凹負レンズＬ７の両面と、両凸正レンズＬ１３の両面と、両凸正レンズＬ１４の両面と、両凹負レンズＬ１５の両面と、両凹負レンズＬ１９の両面との１４面に用いられている。
【０２７９】
本実施例の変倍光学系は、画素ピッチが２．２μｍの撮像素子に好適な光学系である。また、第３レンズ群Ｇ３が所定の正レンズ群に該当する。また、第２レンズ群Ｇ２と第３レンズ群Ｇ３は樹脂レンズを有する。
【０２８０】
次に、実施例５に係る変倍光学系について説明する。図９は、実施例５に係る変倍光学系の無限遠物点合焦時の光学構成を示す光軸に沿う断面図である。図１０は実施例５に係る変倍光学系の無限遠物点合焦時における収差図である。
【０２８１】
実施例５の変倍光学系は、図９に示すように、物体側より順に、正の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５と、を有している。
【０２８２】
第１レンズ群Ｇ１は、像側に凸面を向けた正メニスカスレンズＬ１と、両凹負レンズＬ２と、両凸正レンズＬ３と、像側に凸面を向けた負メニスカスレンズＬ４と、からなる。ここで、正メニスカスレンズＬ１と両凹負レンズＬ２とは接合されている。また、両凸正レンズＬ３と負メニスカスレンズＬ４とは接合されている。
【０２８３】
第２レンズ群Ｇ２は、物体側に凸面を向けた正メニスカスレンズＬ５と、両凹負レンズＬ６と、両凸正レンズＬ７と、像側に凸面を向けた負メニスカスレンズＬ８と、からなる。ここで、両凸正レンズＬ７と負メニスカスレンズＬ８とは接合されている。
【０２８４】
第３レンズ群Ｇ３は、物体側に凸面を向けた負メニスカスレンズＬ９と、両凸正レンズＬ１０と、両凸正レンズＬ１１と、物体側に凸面を向けた負メニスカスレンズＬ１２と、からなる。ここで、負メニスカスレンズＬ９と両凸正レンズＬ１０とは接合されている。
【０２８５】
第４レンズ群Ｇ４は、像側に凸面を向けた正メニスカスレンズＬ１３と、像側に凸面を向けた負メニスカスレンズＬ１４と、からなる。
【０２８６】
第５レンズ群Ｇ５は、像側に凸面を向けた正メニスカスレンズＬ１５と、両凹負レンズＬ１６と、からなる。
【０２８７】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ８の近傍に配置されている。
【０２８８】
低倍端から高倍端への変倍時、第１レンズ群Ｇ１は固定であり、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は物体側に移動し、第５レンズ群Ｇ５は固定である。
【０２８９】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は、低倍端から中間までは広がり、中間から高倍端までは狭まる。第３レンズ群Ｇ３と第４レンズ群Ｇ４との間隔は、低倍端から中間までは広がり、中間から高倍端までは狭まる。第４レンズ群Ｇ４と第５レンズ群Ｇ５との間隔は広がる。
【０２９０】
非球面は、正メニスカスレンズＬ５の両面と、両凹負レンズＬ６の両面と、両凸正レンズＬ１１の両面と、負メニスカスレンズＬ１２の両面と、両凹負レンズＬ１６の両面との１０面に用いられている。
【０２９１】
本実施例の変倍光学系は、画素ピッチが２．２μｍの撮像素子に好適な光学系である。また、第３レンズ群Ｇ３が所定の正レンズ群に該当する。また、第２レンズ群Ｇ２と第３レンズ群Ｇ３は樹脂レンズを有する。
【０２９２】
次に、実施例６に係る変倍光学系について説明する。図１１は、実施例６に係る変倍光学系の無限遠物点合焦時の光学構成を示す光軸に沿う断面図である。図１２は実施例６に係る変倍光学系の無限遠物点合焦時における収差図である。
【０２９３】
実施例６の変倍光学系は、図１１に示すように、物体側より順に、正の屈折力の第１レンズ群Ｇ１と、正の屈折力の第２レンズ群Ｇ２と、開口絞りＳと、負の屈折力の第３レンズ群Ｇ３と、正の屈折力の第４レンズ群Ｇ４と、負の屈折力の第５レンズ群Ｇ５と、を有している。
【０２９４】
第１レンズ群Ｇ１は、像側に凸面を向けた正メニスカスレンズＬ１と、像側に凸面を向けた負メニスカスレンズＬ２と、像側に凸面を向けた正メニスカスレンズＬ３と、両凸正レンズＬ４と、からなる。ここで、正メニスカスレンズＬ１、負メニスカスレンズＬ２及び正メニスカスレンズＬ３は接合されている。
【０２９５】
第２レンズ群Ｇ２は、像側に凸面を向けた正メニスカスレンズＬ５と、両凸正レンズＬ６と、像側に凸面を向けた負メニスカスレンズＬ７と、からなる。ここで、両凸正レンズＬ６と負メニスカスレンズＬ７とは接合されている。
【０２９６】
第３レンズ群Ｇ３は、像側に凸面を向けた正メニスカスレンズＬ８と、像側に凸面を向けた負メニスカスレンズＬ９と、からなる。
【０２９７】
第４レンズ群Ｇ４は、両凸正レンズＬ１０と、両凸正レンズＬ１１と、両凹負レンズＬ１２と、からなる。ここで、両凸正レンズＬ１１と両凹負レンズＬ１２とは接合されている。
【０２９８】
第５レンズ群Ｇ５は、物体側に凸面を向けた正メニスカスレンズＬ１３と、物体側に凸面を向けた負メニスカスレンズＬ１４と、像側に凸面を向けた正メニスカスレンズＬ１５と、両凹負レンズＬ１６と、からなる。
【０２９９】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ８の近傍に配置されている。
【０３００】
低倍端から高倍端への変倍時、第１レンズ群Ｇ１は固定であり、第２レンズ群Ｇ２は物体側に移動し、開口絞りＳは固定であり、第３レンズ群Ｇ３は像側に移動した後、物体側に移動し、第４レンズ群Ｇ４は物体側に移動し、第５レンズ群Ｇ５は固定である。
【０３０１】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は広がる。第３レンズ群Ｇ３と第４レンズ群Ｇ４との間隔は狭まる。第４レンズ群Ｇ４と第５レンズ群Ｇ５との間隔は広がる。また、開口絞りＳと第３レンズ群Ｇ３との間隔は、低倍端から中間までは広がり、中間から高倍端までは狭まる。
【０３０２】
非球面は、正メニスカスレンズＬ５の像側面と、両凸正レンズＬ１０の像側面と、正メニスカスレンズＬ１３の物体側面と、両凹負レンズＬ１６の物体側面との４面に用いられている。
【０３０３】
本実施例の変倍光学系は、画素ピッチが１．１μｍの撮像素子に好適な光学系である。また、第４レンズ群Ｇ４が所定の正レンズ群に該当する。また、第３レンズ群Ｇ３が、所定の負レンズ群に該当する。
【０３０４】
次に、実施例７に係る変倍光学系について説明する。図１３は、実施例７に係る変倍光学系の無限遠物点合焦時の光学構成を示す光軸に沿う断面図である。図１４は実施例７に係る変倍光学系の無限遠物点合焦時における収差図である。
【０３０５】
実施例７の変倍光学系は、図１３に示すように、物体側より順に、正の屈折力の第１レンズ群Ｇ１と、正の屈折力の第２レンズ群Ｇ２と、開口絞りＳと、負の屈折力の第３レンズ群Ｇ３と、正の屈折力の第４レンズ群Ｇ４と、負の屈折力の第５レンズ群Ｇ５と、を有している。
【０３０６】
第１レンズ群Ｇ１は、像側に凸面を向けた正メニスカスレンズＬ１と、両凹負レンズＬ２と、両凸正レンズＬ３と、物体側に凸面を向けた正メニスカスレンズＬ４と、からなる。ここで、正メニスカスレンズＬ１、両凹負レンズＬ２及び両凸正レンズＬ３は接合されている。
【０３０７】
第２レンズ群Ｇ２は、像側に凸面を向けた正メニスカスレンズＬ５と、像側に凸面を向けた正メニスカスレンズＬ６と、像側に凸面を向けた負メニスカスレンズＬ７と、からなる。ここで、正メニスカスレンズＬ６と負メニスカスレンズＬ７とは接合されている。
【０３０８】
第３レンズ群Ｇ３は、像側に凸面を向けた正メニスカスレンズＬ８と、像側に凸面を向けた負メニスカスレンズＬ９と、からなる。
【０３０９】
第４レンズ群Ｇ４は、両凸正レンズＬ１０と、両凸正レンズＬ１１と、両凹負レンズＬ１２と、からなる。ここで、両凸正レンズＬ１１と両凹負レンズＬ１２とは接合されている。
【０３１０】
第５レンズ群Ｇ５は、両凸正レンズＬ１３と、両凹負レンズＬ１４と、両凸正レンズＬ１５と、両凹負レンズＬ１６と、からなる。
【０３１１】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ８の近傍に配置されている。
【０３１２】
低倍端から高倍端への変倍時、第１レンズ群Ｇ１は固定であり、第２レンズ群Ｇ２は物体側に移動し、開口絞りＳは固定であり、第３レンズ群Ｇ３は固定であり、第４レンズ群Ｇ４は物体側に移動し、第５レンズ群Ｇ５は固定である。
【０３１３】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は広がる。第３レンズ群Ｇ３と第４レンズ群Ｇ４との間隔は狭まる。第４レンズ群Ｇ４と第５レンズ群Ｇ５との間隔は広がる。
【０３１４】
非球面は、正メニスカスレンズＬ５の像側面と、両凸正レンズＬ１０の像側面と、両凸正レンズＬ１３の物体側面と、両凹負レンズＬ１６の物体側面との４面に用いられている。
【０３１５】
本実施例の変倍光学系は、画素ピッチが２．２μｍの撮像素子に好適な光学系である。また、第４レンズ群Ｇ４が所定の正レンズ群に該当する。また、第３レンズ群Ｇ３が、所定の負レンズ群に該当する。
【０３１６】
次に、実施例８に係る変倍光学系について説明する。図１５は、実施例８に係る変倍光学系の無限遠物点合焦時の光学構成を示す光軸に沿う断面図である。図１６は実施例８に係る変倍光学系の無限遠物点合焦時における収差図である。
【０３１７】
実施例８の変倍光学系は、図１５に示すように、物体側より順に、正の屈折力の第１レンズ群Ｇ１と、正の屈折力の第２レンズ群Ｇ２と、開口絞りＳと、負の屈折力の第３レンズ群Ｇ３と、正の屈折力の第４レンズ群Ｇ４と、負の屈折力の第５レンズ群Ｇ５と、を有している。
【０３１８】
第１レンズ群Ｇ１は、像側に凸面を向けた正メニスカスレンズＬ１と、像側に凸面を向けた正メニスカスレンズＬ２と、物体側に凸面を向けた正メニスカスレンズＬ３と、からなる。
【０３１９】
第２レンズ群Ｇ２は、像側に凸面を向けた正メニスカスレンズＬ４と、像側に凸面を向けた正メニスカスレンズＬ５と、像側に凸面を向けた負メニスカスレンズＬ６と、からなる。ここで、正メニスカスレンズＬ５と負メニスカスレンズＬ６とは接合されている。
【０３２０】
第３レンズ群Ｇ３は、像側に凸面を向けた正メニスカスレンズＬ７と、像側に凸面を向けた負メニスカスレンズＬ８と、からなる。
【０３２１】
第４レンズ群Ｇ４は、両凸正レンズＬ９と、両凸正レンズＬ１０と、両凹負レンズＬ１１と、からなる。ここで、両凸正レンズＬ１０と両凹負レンズＬ１１とは接合されている。
【０３２２】
第５レンズ群Ｇ５は、物体側に凸面を向けた負メニスカスレンズＬ１２と、両凸正レンズＬ１３と、両凹負レンズＬ１４と、からなる。
【０３２３】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ７の近傍に配置されている。
【０３２４】
低倍端から高倍端への変倍時、第１レンズ群Ｇ１は固定であり、第２レンズ群Ｇ２は物体側に移動し、開口絞りＳは固定であり、第３レンズ群Ｇ３は固定であり、第４レンズ群Ｇ４は物体側に移動し、第５レンズ群Ｇ５は固定である。
【０３２５】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は広がる。第３レンズ群Ｇ３と第４レンズ群Ｇ４との間隔は狭まる。第４レンズ群Ｇ４と第５レンズ群Ｇ５との間隔は広がる。
【０３２６】
非球面は、正メニスカスレンズＬ４の像側面と、両凸正レンズＬ９の像側面と、負メニスカスレンズＬ１２の物体側面と、両凹負レンズＬ１４の物体側面との４面に用いられている。
【０３２７】
本実施例の変倍光学系は、画素ピッチが１．８μｍの撮像素子に好適な光学系である。また、第４レンズ群Ｇ４が所定の正レンズ群に該当する。また、第３レンズ群Ｇ３が、所定の負レンズ群に該当する。
【０３２８】
次に、実施例９に係る変倍光学系について説明する。図１７は、実施例９に係る変倍光学系の無限遠物点合焦時の光学構成を示す光軸に沿う断面図である。図１８は実施例９に係る変倍光学系の無限遠物点合焦時における収差図である。
【０３２９】
実施例９の変倍光学系は、図１７に示すように、物体側より順に、正の屈折力の第１レンズ群Ｇ１と、正の屈折力の第２レンズ群Ｇ２と、開口絞りＳと、正の屈折力の第３レンズ群Ｇ３と、正の屈折力の第４レンズ群Ｇ４と、負の屈折力の第５レンズ群Ｇ５と、正の屈折力の第６レンズ群Ｇ６と、を有している。
【０３３０】
第１レンズ群Ｇ１は、像側に凸面を向けた負メニスカスレンズＬ１と、像側に凸面を向けた正メニスカスレンズＬ２と、両凸正レンズＬ３と、両凹負レンズＬ４と、からなる。ここで、負メニスカスレンズＬ１と正メニスカスレンズＬ２とは接合されている。また、両凸正レンズＬ３と両凹負レンズＬ４とは接合されている。
【０３３１】
第２レンズ群Ｇ２は、両凸正レンズＬ５と、像側に凸面を向けた正メニスカスレンズＬ６と、像側に凸面を向けた負メニスカスレンズＬ７と、からなる。ここで、正メニスカスレンズＬ６と負メニスカスレンズＬ７とは接合されている。
【０３３２】
第３レンズ群Ｇ３は、像側に凸面を向けた正メニスカスレンズＬ８と、両凹負レンズＬ９と、からなる。ここで、正メニスカスレンズＬ８と両凹負レンズＬ９とは接合されている。
【０３３３】
第４レンズ群Ｇ４は、両凸正レンズＬ１０と、両凸正レンズＬ１１と、両凸正レンズＬ１２と、両凹負レンズＬ１３と、からなる。ここで、両凸正レンズＬ１２と両凹負レンズＬ１３とは接合されている。
【０３３４】
第５レンズ群Ｇ５は、像側に凸面を向けた正メニスカスレンズＬ１４と、両凹負レンズＬ１５と、からなる。
【０３３５】
第６レンズ群Ｇ６は、両凸正レンズＬ１６と、両凹負レンズＬ１７と、からなる。
【０３３６】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ８の近傍に配置されている。
【０３３７】
低倍端から高倍端への変倍時、第１レンズ群Ｇ１は固定であり、第２レンズ群Ｇ２は物体側に移動した後、像側に移動し、開口絞りＳは固定であり、第３レンズ群Ｇ３は固定であり、第４レンズ群Ｇ４は物体側に移動し、第５レンズ群Ｇ５は物体側に移動し、第６レンズ群Ｇ６は固定である。
【０３３８】
また、低倍端から高倍端への変倍時、レンズ群の間隔は次のように変化する。第１レンズ群Ｇ１と第２レンズ群Ｇ２との間隔は、低倍端から中間までは狭まり、中間から高倍端までは広がる。第２レンズ群Ｇ２と第３レンズ群Ｇ３との間隔は、低倍端から中間までは広がり、中間から高倍端までは狭まる。第３レンズ群Ｇ３と第４レンズ群Ｇ４との間隔は狭まる。第４レンズ群Ｇ４と第５レンズ群Ｇ５との間隔は広がる。第５レンズ群Ｇ５と第６レンズ群Ｇ６との間隔は広がる。
【０３３９】
非球面は、両凸正レンズＬ５の像側面と、両凸正レンズＬ１１の像側面と、正メニスカスレンズＬ１４の物体側面と、両凹負レンズＬ１７の物体側面との４面に用いられている。
【０３４０】
本実施例の変倍光学系は、画素ピッチが２．２μｍの撮像素子に好適な光学系である。また、第４レンズ群Ｇ４が所定の正レンズ群に該当する。また、第４レンズ群Ｇ４は樹脂レンズを有する。
【０３４１】
次に、実施例１０に係る変倍光学系について説明する。図１９は、実施例１０に係る変倍光学系の無限遠物点合焦時の光学構成を示す光軸に沿う断面図である。図２０は実施例１０に係る変倍光学系の無限遠物点合焦時における収差図である。
【０３４２】
実施例１０の変倍光学系は、図１９に示すように、物体側より順に、正の屈折力の第１レンズ群Ｇ１と、正の屈折力の第２レンズ群Ｇ２と、開口絞りＳと、負の屈折力の第３レンズ群Ｇ３と、正の屈折力の第４レンズ群Ｇ４と、負の屈折力の第５レンズ群Ｇ５と、負の屈折力の第６レンズ群Ｇ６と、を有している。
【０３４３】
第１レンズ群Ｇ１は、物体側に凸面を向けた正メニスカスレンズＬ１と、両凸正レンズＬ２と、両凸正レンズＬ３と、両凹負レンズＬ４と、からなる。ここで、正メニスカスレンズＬ１と両凸正レンズＬ２とは接合されている。また、両凸正レンズＬ３と両凹負レンズＬ４とは接合されている。
【０３４４】
第２レンズ群Ｇ２は、両凸正レンズＬ５と、像側に凸面を向けた正メニスカスレンズＬ６と、像側に凸面を向けた負メニスカスレンズＬ７と、からなる。ここで、正メニスカスレンズＬ６と負メニスカスレンズＬ７とは接合されている。
【０３４５】
第３レンズ群Ｇ３は、像側に凸面を向けた正メニスカスレンズＬ８と、像側に凸面を向けた負メニスカスレンズＬ９と、からなる。ここで、正メニスカスレンズＬ８と負メニスカスレンズＬ９とは接合されている。
【０３４６】
第４レンズ群Ｇ４は、両凸正レンズＬ１０と、両凸正レンズＬ１１と、両凸正レンズＬ１２と、両凹負レンズＬ１３と、からなる。ここで、両凸正レンズＬ１２と両凹負レンズＬ１３とは接合されている。
【０３４７】
第５レンズ群Ｇ５は、像側に凸面を向けた正メニスカスレンズＬ１４と、両凹負レンズＬ１５と、からなる。
【０３４８】
第６レンズ群Ｇ６は、物体側に凸面を向けた正メニスカスレンズＬ１６と、両凹負レンズＬ１７と、からなる。
【０３４９】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ８の近傍に配置されている。
【０３５０】
低倍端から高倍端への変倍時、第１レンズ群Ｇ１は固定であり、第２レンズ群Ｇ２は物体側に移動し、開口絞りＳは固定であり、第３レンズ群Ｇ３は像側に移動した後、物体側に移動し、第４レンズ群Ｇ４は物体側に移動し、第５レンズ群Ｇ５は物体側に移動し、第６レンズ群Ｇ６は固定である。
【０３５１】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は広がる。第３レンズ群Ｇ３と第４レンズ群Ｇ４との間隔は狭まる。第４レンズ群Ｇ４と第５レンズ群Ｇ５との間隔は広がる。第５レンズ群Ｇ５と第６レンズ群Ｇ６との間隔は広がる。
【０３５２】
非球面は、両凸正レンズＬ５の像側面と、両凸正レンズＬ１１の像側面と、正メニスカスレンズＬ１４の物体側面と、両凹負レンズＬ１７の物体側面との４面に用いられている。
【０３５３】
本実施例の変倍光学系は、画素ピッチが２．２μｍの撮像素子に好適な光学系である。また、第４レンズ群Ｇ４が所定の正レンズ群に該当する。また、第３レンズ群Ｇ３が所定の負レンズ群に該当する。また、第４レンズ群Ｇ４は樹脂レンズを有する。
【０３５４】
次に、実施例１１に係る変倍光学系について説明する。図２１は、実施例１１に係る変倍光学系の無限遠物点合焦時の光学構成を示す光軸に沿う断面図である。図２２は実施例１１に係る変倍光学系の無限遠物点合焦時における収差図である。
【０３５５】
実施例１１の変倍光学系は、図２１に示すように、物体側より順に、正の屈折力の第１レンズ群Ｇ１と、開口絞りＳと、負の屈折力の第２レンズ群Ｇ２と、正の屈折力の第３レンズ群Ｇ３と、正の屈折力の第４レンズ群Ｇ４と、を有している。
【０３５６】
第１レンズ群Ｇ１は、両凹負レンズＬ１と、両凸正レンズＬ２と、両凸正レンズＬ３と、物体側に凸面を向けた負メニスカスレンズＬ４と、両凸正レンズＬ５と、両凸正レンズＬ６と、物体側に凸面を向けた負メニスカスレンズＬ７と、両凸正レンズＬ８と、物体側に凸面を向けた正メニスカスレンズＬ９と、からなる。
【０３５７】
ここで、両凹負レンズＬ１と両凸正レンズＬ２とは接合されている。また、負メニスカスレンズＬ４と両凸正レンズＬ５とは接合されている。また、負メニスカスレンズＬ７と両凸正レンズＬ８とは接合されている。
【０３５８】
第２レンズ群Ｇ２は、両凹負レンズＬ１０と、物体側に凸面を向けた負メニスカスレンズＬ１１と、両凹負レンズＬ１２と、物体側に凸面を向けた正メニスカスレンズＬ１３と、からなる。ここで、両凹負レンズＬ１０と負メニスカスレンズＬ１１とは接合されている。また、両凹負レンズＬ１２と正メニスカスレンズＬ１３とは接合されている。
【０３５９】
第３レンズ群Ｇ３は、両凸正レンズＬ１４と、物体側に凸面を向けた負メニスカスレンズＬ１５と、物体側に凸面を向けた正メニスカスレンズＬ１６と、からなる。ここで、負メニスカスレンズＬ１５と正メニスカスレンズＬ１６とは接合されている。
【０３６０】
第４レンズ群Ｇ４は、両凸正レンズＬ１７と、両凹負レンズＬ１８と、物体側に凸面を向けた正メニスカスレンズＬ１９と、物体側に凸面を向けた負メニスカスレンズＬ２０と、物体側に凸面を向けた正メニスカスレンズＬ２１と、からなる。
【０３６１】
開口絞りＳは、第１レンズ群Ｇ１と第２レンズ群Ｇ２との間に配置されている。より具体的には、開口絞りＳは、第１レンズ群Ｇ１よりも像側で、正メニスカスレンズＬ９の近傍に配置されている。
【０３６２】
低倍端から高倍端への変倍時、第１レンズ群Ｇ１は固定であり、開口絞りＳは固定であり、第２レンズ群Ｇ２は像側に移動し、第３レンズ群Ｇ３は像側に移動し、第４レンズ群Ｇ４は固定である。
【０３６３】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。
【０３６４】
非球面は、両凸正レンズＬ１７の物体側面と、正メニスカスレンズＬ２１の像側面との２面に用いられている。
【０３６５】
本実施例の変倍光学系は、画素ピッチが１．１μｍの撮像素子に好適な光学系である。
【０３６６】
次に、実施例１２に係る変倍光学系について説明する。図２３は、実施例１２に係る変倍光学系の無限遠物点合焦時の光学構成を示す光軸に沿う断面図である。図２４は実施例１２に係る変倍光学系の無限遠物点合焦時における収差図である。
【０３６７】
実施例１２の変倍光学系は、図２３に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、を有している。
【０３６８】
第１レンズ群Ｇ１は、像側に凸面を向けた正メニスカスレンズＬ１と、像側に凸面を向けた負メニスカスレンズＬ２と、両凸正レンズＬ３と、像側に凸面を向けた正メニスカスレンズＬ４と、両凸正レンズＬ５と、両凹負レンズＬ６と、物体側に凸面を向けた負メニスカスレンズＬ７と、両凸正レンズＬ８と、両凸正レンズＬ９と、物体側に凸面を向けた負メニスカスレンズＬ１０と、両凸正レンズＬ１１と、平凸正レンズＬ１２と、からなる。
【０３６９】
ここで、正メニスカスレンズＬ１と負メニスカスレンズＬ２とは接合されている。また、両凸正レンズＬ５と両凹負レンズＬ６とは接合されている。また、負メニスカスレンズＬ７と両凸正レンズＬ８とは接合されている。また、負メニスカスレンズＬ１０と両凸正レンズＬ１１とは接合されている。
【０３７０】
第２レンズ群Ｇ２は、物体側に凸面を向けた負メニスカスレンズＬ１３と、物体側に凸面を向けた正メニスカスレンズＬ１４と、両凹負レンズＬ１５と、物体側に凸面を向けた正メニスカスレンズＬ１６と、からなる。ここで、負メニスカスレンズＬ１３と正メニスカスレンズＬ１４とは接合されている。また、両凹負レンズＬ１５と正メニスカスレンズＬ１６とは接合されている。
【０３７１】
第３レンズ群Ｇ３は、両凸正レンズＬ１７と、両凸正レンズＬ１８と、両凹負レンズＬ１９と、からなる。ここで、両凸正レンズＬ１８と両凹負レンズＬ１９とは接合されている。
【０３７２】
第４レンズ群Ｇ４は、両凸正レンズＬ２０と、両凸正レンズＬ２１と、両凹負レンズＬ２２と、物体側に凸面を向けた負メニスカスレンズＬ２３と、両凸正レンズＬ２４と、物体側に凸面を向けた正メニスカスレンズＬ２５と、両凹負レンズＬ２６と、からなる。ここで、両凸正レンズＬ２１と両凹負レンズＬ２２とは接合されている。
【０３７３】
開口絞りＳは、第１レンズ群Ｇ１中で、両凸正レンズＬ１１と平凸正レンズＬ１２との間に配置されている。
【０３７４】
低倍端から高倍端への変倍時、第１レンズ群Ｇ１は固定であり、開口絞りＳは固定であり、第２レンズ群Ｇ２は像側に移動し、第３レンズ群Ｇ３は像側に移動し、第４レンズ群Ｇ４は固定である。
【０３７５】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は狭まる。
【０３７６】
非球面は、両凸正レンズＬ２０の物体側面と、両凹負レンズＬ２６の像側面との２面に用いられている。
【０３７７】
本実施例の変倍光学系は、画素ピッチが１．８μｍの撮像素子に好適な光学系である。
【０３７８】
次に、実施例１３に係る変倍光学系について説明する。図２５は、実施例１３に係る変倍光学系の無限遠物点合焦時の光学構成を示す光軸に沿う断面図である。図２６は実施例１３に係る変倍光学系の無限遠物点合焦時における収差図である。
【０３７９】
実施例１３の変倍光学系は、図２５に示すように、物体側より順に、正の屈折力の第１レンズ群Ｇ１と、開口絞りＳと、負の屈折力の第２レンズ群Ｇ２と、正の屈折力の第３レンズ群Ｇ３と、正の屈折力の第４レンズ群Ｇ４と、負の屈折力の第５レンズ群Ｇ５と、を有している。
【０３８０】
第１レンズ群Ｇ１は、像側に凸面を向けた負メニスカスレンズＬ１と、像側に凸面を向けた正メニスカスレンズＬ２と、両凸正レンズＬ３と、両凹負レンズＬ４と、両凸正レンズＬ５と、両凸正レンズＬ６と、両凹負レンズＬ７と、両凹負レンズＬ８と、両凸正レンズＬ９と、両凸正レンズＬ１０と、物体側に凸面を向けた負メニスカスレンズＬ１１と、両凸正レンズＬ１２と、物体側に凸面を向けた正メニスカスレンズＬ１３と、からなる。
【０３８１】
ここで、負メニスカスレンズＬ１と正メニスカスレンズＬ２とは接合されている。また、両凹負レンズＬ４と両凸正レンズＬ５とは接合されている。また、両凸正レンズＬ６と両凹負レンズＬ７とは接合されている。また、両凹負レンズＬ８と両凸正レンズＬ９とは接合されている。また、負メニスカスレンズＬ１１と両凸正レンズＬ１２とは接合されている。
【０３８２】
第２レンズ群Ｇ２は、物体側に凸面を向けた負メニスカスレンズＬ１４と、物体側に凸面を向けた正メニスカスレンズＬ１５と、両凹負レンズＬ１６と、物体側に凸面を向けた正メニスカスレンズＬ１７と、からなる。ここで、負メニスカスレンズＬ１４と正メニスカスレンズＬ１５とは接合されている。また、両凹負レンズＬ１６と正メニスカスレンズＬ１７とは接合されている。
【０３８３】
第３レンズ群Ｇ３は、像側に凸面を向けた正メニスカスレンズＬ１８と、両凸正レンズＬ１９と、両凸正レンズＬ２０と、両凹負レンズＬ２１と、からなる。ここで、両凸正レンズＬ２０と両凹負レンズＬ２１とは接合されている。
【０３８４】
第４レンズ群Ｇ４は、両凸正レンズＬ２２と、両凹負レンズＬ２３と、両凸正レンズＬ２４と、からなる。ここで、両凸正レンズＬ２２と両凹負レンズＬ２３とは接合されている。
【０３８５】
第５レンズ群Ｇ５は、両凸正レンズＬ２５と、両凹負レンズＬ２６と、両凹負レンズＬ２７と、からなる。
【０３８６】
開口絞りＳは、第１レンズ群Ｇ１と第２レンズ群Ｇ２との間に配置されている。より具体的には、開口絞りＳは、第１レンズ群Ｇ１よりも像側で、正メニスカスレンズＬ１３の近傍に配置されている。
【０３８７】
低倍端から高倍端への変倍時、第１レンズ群Ｇ１は固定であり、開口絞りＳは固定であり、第２レンズ群Ｇ２は像側に移動し、第３レンズ群Ｇ３は像側に移動し、第４レンズ群Ｇ４は物体側に移動した後、像側に移動し、第５レンズ群Ｇ５は固定である。
【０３８８】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は、低倍端から中間までは狭まり、中間から高倍端までは広がる。第４レンズ群Ｇ４と第５レンズ群Ｇ５との間隔は、低倍端から中間までは広がり、中間から高倍端までは狭まる。
【０３８９】
非球面は、両凹負レンズＬ２７の像側面の１面に用いられている。
【０３９０】
本実施例の変倍光学系は、画素ピッチが２．２μｍの撮像素子に好適な光学系である。
【０３９１】
次に、実施例１４に係る変倍光学系について説明する。図２７は、実施例１４に係る変倍光学系の無限遠物点合焦時の光学構成を示す光軸に沿う断面図である。図２８は実施例１４に係る変倍光学系の無限遠物点合焦時における収差図である。
【０３９２】
実施例１４の変倍光学系は、図２７に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、を有している。
【０３９３】
第１レンズ群Ｇ１は、両凸正レンズＬ１と、像側に凸面を向けた正メニスカスレンズＬ２と、両凹負レンズＬ３と、両凸正レンズＬ４と、両凸正レンズＬ５と、平凸正レンズＬ６と、からなる。ここで、正メニスカスレンズＬ２と両凹負レンズＬ３とは接合されている。
【０３９４】
第２レンズ群Ｇ２は、両凹負レンズＬ７と、物体側に凸面を向けた正メニスカスレンズＬ８と、両凹負レンズＬ９と、物体側に凸面を向けた正メニスカスレンズＬ１０と、からなる。ここで、両凹負レンズＬ７と正メニスカスレンズＬ８とは接合されている。また、両凹負レンズＬ９と正メニスカスレンズＬ１０とは接合されている。
【０３９５】
第３レンズ群Ｇ３は、両凸正レンズＬ１１と、両凸正レンズＬ１２と、両凹負レンズＬ１３と、からなる。ここで、両凸正レンズＬ１２と両凹負レンズＬ１３とは接合されている。
【０３９６】
第４レンズ群Ｇ４は、物体側に凸面を向けた正メニスカスレンズＬ１４と、両凸正レンズＬ１５と、両凹負レンズＬ１６と、両凹負レンズＬ１７と、両凸正レンズＬ１８と、物体側に凸面を向けた正メニスカスレンズＬ１９と、両凹負レンズＬ２０と、からなる。ここで、両凸正レンズＬ１５と両凹負レンズＬ１６とは接合されている。
【０３９７】
開口絞りＳは、第１レンズ群Ｇ１中で、両凸正レンズＬ５と平凸正レンズＬ６との間に配置されている。
【０３９８】
低倍端から高倍端への変倍時、第１レンズ群Ｇ１は固定であり、開口絞りＳは固定であり、第２レンズ群Ｇ２は像側に移動し、第３レンズ群Ｇ３は像側に移動した後、物体側に移動し、第４レンズ群Ｇ４は固定である。
【０３９９】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は、低倍端から中間までは狭まり、中間から高倍端までは広がる。
【０４００】
非球面は、両凹負レンズＬ２０の像側面の１面に用いられている。
【０４０１】
本実施例の変倍光学系は、画素ピッチが１．８μｍの撮像素子に好適な光学系である。
【０４０２】
次に、実施例１５に係る変倍光学系について説明する。図２９は、実施例１５に係る変倍光学系の無限遠物点合焦時の光学構成を示す光軸に沿う断面図である。図３０は実施例１５に係る変倍光学系の無限遠物点合焦時における収差図である。
【０４０３】
実施例１５の変倍光学系は、図２９に示すように、物体側より順に、正の屈折力の第１レンズ群Ｇ１と、負の屈折力の第２レンズ群Ｇ２と、正の屈折力の第３レンズ群Ｇ３と、正の屈折力の第４レンズ群Ｇ４と、を有している。
【０４０４】
第１レンズ群Ｇ１は、像側に凸面を向けた正メニスカスレンズＬ１と、像側に凸面を向けた負メニスカスレンズＬ２と、両凸正レンズＬ３と、像側に凸面を向けた正メニスカスレンズＬ４と、両凸正レンズＬ５と、両凹負レンズＬ６と、両凹負レンズＬ７と、両凸正レンズＬ８と、両凸正レンズＬ９と、物体側に凸面を向けた負メニスカスレンズＬ１０と、両凸正レンズＬ１１と、平凸正レンズＬ１２と、からなる。
【０４０５】
ここで、正メニスカスレンズＬ１と負メニスカスレンズＬ２とは接合されている。また、両凸正レンズＬ５と両凹負レンズＬ６とは接合されている。両凹負レンズＬ７と両凸正レンズＬ８とは接合されている。また、負メニスカスレンズＬ１０と両凸正レンズＬ１１とは接合されている。
【０４０６】
第２レンズ群Ｇ２は、両凹負レンズＬ１３と、物体側に凸面を向けた正メニスカスレンズＬ１４と、両凹負レンズＬ１５と、物体側に凸面を向けた正メニスカスレンズＬ１６と、からなる。
【０４０７】
第３レンズ群Ｇ３は、両凸正レンズＬ１７と、両凸正レンズＬ１８と、両凹負レンズＬ１９と、からなる。ここで、両凸正レンズＬ１８と両凹負レンズＬ１９とは接合されている。
【０４０８】
第４レンズ群Ｇ４は、両凸正レンズＬ２０と、両凸正レンズＬ２１と、両凹負レンズＬ２２と、物体側に凸面を向けた負メニスカスレンズＬ２３と、両凸正レンズＬ２４と、物体側に凸面を向けた正メニスカスレンズＬ２５と、両凹負レンズＬ２６と、からなる。ここで、両凸正レンズＬ２１と両凹負レンズＬ２２とは接合されている。
【０４０９】
開口絞りＳは、第１レンズ群Ｇ１中で、両凸正レンズＬ１１と平凸正レンズＬ１２との間に配置されている。
【０４１０】
低倍端から高倍端への変倍時、第１レンズ群Ｇ１は固定であり、開口絞りＳは固定であり、第２レンズ群Ｇ２は像側に移動し、第３レンズ群Ｇ３は像側に移動した後、物体側に移動し、第４レンズ群Ｇ４は固定である。
【０４１１】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は、低倍端から中間までは狭まり、中間から高倍端までは広がる。
【０４１２】
非球面は、両凹負レンズＬ１３の物体側面と、正メニスカスレンズＬ１４の像側面と、両凹負レンズＬ１５の物体側面と、正メニスカスレンズＬ１６の像側面と、両凸正レンズＬ２０の物体側面と、両凹負レンズＬ２６の像側面との６面に用いられている。
【０４１３】
本実施例の変倍光学系は、画素ピッチが１．８μｍの撮像素子に好適な光学系である。また、第２レンズ群Ｇ２は樹脂レンズを有する。
【０４１４】
次に、実施例１６に係る変倍光学系について説明する。図３１は、実施例１６に係る変倍光学系の無限遠物点合焦時の光学構成を示す光軸に沿う断面図である。図３２は実施例１６に係る変倍光学系の無限遠物点合焦時における収差図である。
【０４１５】
実施例１６の変倍光学系は、図３１に示すように、物体側より順に、正の屈折力の第１レンズ群Ｇ１と、正の屈折力の第２レンズ群Ｇ２と、開口絞りＳと、正の屈折力の第３レンズ群Ｇ３と、負の屈折力の第４レンズ群Ｇ４と、負の屈折力の第５レンズ群Ｇ５と、を有している。
【０４１６】
第１レンズ群Ｇ１は、物体側に凸面を向けた正メニスカスレンズＬ１と、両凸正レンズＬ２と、からなる。
【０４１７】
第２レンズ群Ｇ２は、両凸正レンズＬ３と、両凸正レンズＬ４と、両凹負レンズＬ５と、両凸正レンズＬ６と、像側に凸面を向けた負メニスカスレンズＬ７と、からなる。ここで、両凸正レンズＬ６と負メニスカスレンズＬ７とは接合されている。
【０４１８】
第３レンズ群Ｇ３は、物体側に凸面を向けた負メニスカスレンズＬ８と、両凸正レンズＬ９と、物体側に凸面を向けた負メニスカスレンズＬ１０と、両凸正レンズＬ１１と、両凸正レンズＬ１２と、両凹負レンズＬ１３と、からなる。ここで、負メニスカスレンズＬ８と両凸正レンズＬ９とは接合されている。
【０４１９】
第４レンズ群Ｇ４は、像側に凸面を向けた正メニスカスレンズＬ１４と、両凹負レンズＬ１５と、からなる。
【０４２０】
第５レンズ群Ｇ５は、像側に凸面を向けた正メニスカスレンズＬ１６と、両凹負レンズＬ１７と、からなる。
【０４２１】
開口絞りＳは、第２レンズ群Ｇ２と第３レンズ群Ｇ３との間に配置されている。より具体的には、開口絞りＳは、第２レンズ群Ｇ２よりも像側で、負メニスカスレンズＬ７の近傍に配置されている。
【０４２２】
低倍端から高倍端への変倍時、第１レンズ群Ｇ１は物体側に移動し、第２レンズ群Ｇ２は物体側に移動し、開口絞りＳは第２レンズ群Ｇ２と共に物体側に移動し、第３レンズ群Ｇ３は物体側に移動し、第４レンズ群Ｇ４は物体側に移動し、第５レンズ群Ｇ５は固定である。
【０４２３】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は狭まる。第３レンズ群Ｇ３と第４レンズ群Ｇ４との間隔は広がる。第４レンズ群Ｇ４と第５レンズ群Ｇ５との間隔は広がる。
【０４２４】
非球面は、両凸正レンズＬ３の両面と、両凸正レンズＬ４の両面と、両凹負レンズＬ５の両面と、両凸正レンズＬ１１の両面と、両凸正レンズＬ１２の両面と、両凹負レンズＬ１３の両面と、両凹負レンズＬ１７の両面との１４面に用いられている。
【０４２５】
本実施例の変倍光学系は、画素ピッチが２．２μｍの撮像素子に好適な光学系である。また、第３レンズ群Ｇ３が所定の正レンズ群に該当する。また、第２レンズ群Ｇ２と第３レンズ群Ｇ３は樹脂レンズを有する。
【０４２６】
次に、実施例１７に係る変倍光学系について説明する。図３３は、実施例１７に係る変倍光学系の無限遠物点合焦時の光学構成を示す光軸に沿う断面図である。図３４は実施例１７に係る変倍光学系の無限遠物点合焦時における収差図である。
【０４２７】
実施例１７の変倍光学系は、図３３に示すように、物体側より順に、正の屈折力の第１レンズ群Ｇ１と、正の屈折力の第２レンズ群Ｇ２と、開口絞りＳと、負の屈折力の第３レンズ群Ｇ３と、正の屈折力の第４レンズ群Ｇ４と、負の屈折力の第５レンズ群Ｇ５と、を有している。
【０４２８】
第１レンズ群Ｇ１は、像側に凸面を向けた正メニスカスレンズＬ１と、両凸正レンズＬ２と、物体側に凸面を向けた正メニスカスレンズＬ３と、からなる。
【０４２９】
第２レンズ群Ｇ２は、像側に凸面を向けた正メニスカスレンズＬ４と、像側に凸面を向けた正メニスカスレンズＬ５と、像側に凸面を向けた負メニスカスレンズＬ６と、からなる。ここで、正メニスカスレンズＬ５と負メニスカスレンズＬ６とは接合されている。
【０４３０】
第３レンズ群Ｇ３は、像側に凸面を向けた正メニスカスレンズＬ７と、像側に凸面を向けた負メニスカスレンズＬ８と、からなる。ここで、正メニスカスレンズＬ７と負メニスカスレンズＬ８とは接合されている。
【０４３１】
第４レンズ群Ｇ４は、両凸正レンズＬ９と、両凸正レンズＬ１０と、両凹負レンズＬ１１と、からなる。ここで、両凸正レンズＬ１０と両凹負レンズＬ１１とは接合されている。
【０４３２】
第５レンズ群Ｇ５は、物体側に凸面を向けた負メニスカスレンズＬ１２と、両凸正レンズＬ１３と、両凹負レンズＬ１４と、からなる。
【０４３３】
開口絞りＳは、第２レンズ群Ｇ２と第３レンズ群Ｇ３との間に配置されている。より具体的には、開口絞りＳは、第３レンズ群Ｇ３よりも物体側で、正メニスカスレンズＬ７の近傍に配置されている。
【０４３４】
低倍端から高倍端への変倍時、第１レンズ群Ｇ１は物体側に移動した後、像側に移動し、第２レンズ群Ｇ２は物体側に移動した後、像側に移動し、開口絞りＳは固定であり、第３レンズ群Ｇ３は固定であり、第４レンズ群Ｇ４は物体側に移動し、第５レンズ群Ｇ５は固定である。
【０４３５】
また、低倍端から高倍端への変倍時、レンズ群の間隔は次のように変化する。第１レンズ群Ｇ１と第２レンズ群Ｇ２との間隔は狭まる。第２レンズ群Ｇ２と第３レンズ群Ｇ３との間隔は、低倍端から中間までは広がり、中間から高倍端までは狭まる。第３レンズ群Ｇ３と第４レンズ群Ｇ４との間隔は狭まる。第４レンズ群Ｇ４と第５レンズ群Ｇ５との間隔は広がる。
【０４３６】
非球面は、正メニスカスレンズＬ４の像側面と、両凸正レンズＬ９の像側面と、負メニスカスレンズＬ１２の物体側面と、両凹負レンズＬ１４の両面との４面に用いられている。
【０４３７】
本実施例の変倍光学系は、画素ピッチが１．８μｍの撮像素子に好適な光学系である。また、第４レンズ群Ｇ４が所定の正レンズ群に該当する。また、第３レンズ群Ｇ３が所定の負レンズ群に該当する。
【０４３８】
次に、実施例１８に係る変倍光学系について説明する。図３５は、実施例１８に係る変倍光学系の無限遠物点合焦時の光学構成を示す光軸に沿う断面図である。図３６は実施例１８に係る変倍光学系の無限遠物点合焦時における収差図である。
【０４３９】
実施例１８の変倍光学系は、図３５に示すように、物体側より順に、正の屈折力の第１レンズ群Ｇ１と、負の屈折力の第２レンズ群Ｇ２と、正の屈折力の第３レンズ群Ｇ３と、負の屈折力の第４レンズ群Ｇ４と、を有している。
【０４４０】
第１レンズ群Ｇ１は、像側に凸面を向けた正メニスカスレンズＬ１と、像側に凸面を向けた負メニスカスレンズＬ２と、両凸正レンズＬ３と、像側に凸面を向けた正メニスカスレンズＬ４と、両凸正レンズＬ５と、両凹負レンズＬ６と、物体側に凸面を向けた負メニスカスレンズＬ７と、両凸正レンズＬ８と、両凸正レンズＬ９と、物体側に凸面を向けた負メニスカスレンズＬ１０と、両凸正レンズＬ１１と、平凸正レンズＬ１２と、からなる。
【０４４１】
ここで、正メニスカスレンズＬ１と負メニスカスレンズＬ２とは接合されている。また、両凸正レンズＬ５と両凹負レンズＬ６とは接合されている。負メニスカスレンズＬ７と両凸正レンズＬ８とは接合されている。また、負メニスカスレンズＬ１０と両凸正レンズＬ１１とは接合されている。
【０４４２】
第２レンズ群Ｇ２は、両凹負レンズＬ１３と、物体側に凸面を向けた正メニスカスレンズＬ１４と、両凹負レンズＬ１５と、物体側に凸面を向けた正メニスカスレンズＬ１６と、からなる。
【０４４３】
第３レンズ群Ｇ３は、両凸正レンズＬ１７と、両凸正レンズＬ１８と、両凹負レンズＬ１９と、からなる。ここで、両凸正レンズＬ１８と両凹負レンズＬ１９とは接合されている。
【０４４４】
第４レンズ群Ｇ４は、像側に凸面を向けた正メニスカスレンズＬ２０と、両凸正レンズＬ２１と、両凹負レンズＬ２２と、物体側に凸面を向けた負メニスカスレンズＬ２３と、両凸正レンズＬ２４と、物体側に凸面を向けた正メニスカスレンズＬ２５と、両凹負レンズＬ２６と、からなる。ここで、両凸正レンズＬ２１と両凹負レンズＬ２２とは接合されている。
【０４４５】
開口絞りＳは、第１レンズ群Ｇ１中で、両凸正レンズＬ１１と平凸正レンズＬ１２との間に配置されている。
【０４４６】
低倍端から高倍端への変倍時、第１レンズ群Ｇ１は物体側に移動し、開口絞りＳは第１レンズ群Ｇ１と共に物体側に移動し、第２レンズ群Ｇ２は像側に移動し、第３レンズ群Ｇ３は物体側に移動し、第４レンズ群Ｇ４は固定である。
【０４４７】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は広がる。
【０４４８】
非球面は、両凹負レンズＬ１３の物体側面と、正メニスカスレンズＬ１４の像側面と、両凹負レンズＬ１５の物体側面と、正メニスカスレンズＬ１６の像側面と、正メニスカスレンズＬ２０の物体側面と、両凹負レンズＬ２６の像側面との６面に用いられている。
【０４４９】
本実施例の変倍光学系は、画素ピッチが１．８μｍの撮像素子に好適な光学系である。また、第２レンズ群Ｇ２は樹脂レンズを有する。
【０４５０】
次に、実施例１９に係る変倍光学系について説明する。図３７は、実施例１９に係る変倍光学系の無限遠物点合焦時の光学構成を示す光軸に沿う断面図である。図３８は実施例１９に係る変倍光学系の無限遠物点合焦時における収差図である。
【０４５１】
実施例１９の変倍光学系は、図３７に示すように、物体側より順に、正の屈折力の第１レンズ群Ｇ１と、開口絞りＳと、負の屈折力の第２レンズ群Ｇ２と、正の屈折力の第３レンズ群Ｇ３と、負の屈折力の第４レンズ群Ｇ４と、負の屈折力の第５レンズ群Ｇ５と、を有している。
【０４５２】
第１レンズ群Ｇ１は、両凹負レンズＬ１と、両凸正レンズＬ２と、両凸正レンズＬ３と、両凹負レンズＬ４と、両凸正レンズＬ５と、両凸正レンズＬ６と、両凹負レンズＬ７と、両凹負レンズＬ８と、両凸正レンズＬ９と、両凸正レンズＬ１０と、物体側に凸面を向けた正メニスカスレンズＬ１１と、からなる。
【０４５３】
ここで、両凹負レンズＬ１と両凸正レンズＬ２とは接合されている。また、両凹負レンズＬ４と両凸正レンズＬ５とは接合されている。また、両凸正レンズＬ６と両凹負レンズＬ７とは接合されている。また、両凹負レンズＬ８と両凸正レンズＬ９とは接合されている。
【０４５４】
第２レンズ群Ｇ２は、物体側に凸面を向けた負メニスカスレンズＬ１２と、物体側に凸面を向けた正メニスカスレンズＬ１３と、両凹負レンズＬ１４と、物体側に凸面を向けた正メニスカスレンズＬ１５と、からなる。ここで、負メニスカスレンズＬ１２と正メニスカスレンズＬ１３とは接合されている。また、両凹負レンズＬ１４と正メニスカスレンズＬ１５とは接合されている。
【０４５５】
第３レンズ群Ｇ３は、両凸正レンズＬ１６と、両凸正レンズＬ１７と、両凸正レンズＬ１８と、両凹負レンズＬ１９と、からなる。ここで、両凸正レンズＬ１８と両凹負レンズＬ１９とは接合されている。
【０４５６】
第４レンズ群Ｇ４は、両凸正レンズＬ２０と、両凹負レンズＬ２１と、からなる。ここで、両凸正レンズＬ２０と両凹負レンズＬ２１とは接合されている。
【０４５７】
第５レンズ群Ｇ５は、両凸正レンズＬ２２と、両凹負レンズＬ２３と、両凹負レンズＬ２４と、からなる。
【０４５８】
開口絞りＳは、第１レンズ群Ｇ１と第２レンズ群Ｇ２との間に配置されている。より具体的には、開口絞りＳは、第１レンズ群Ｇ１よりも像側で、正メニスカスレンズＬ１１の近傍に配置されている。
【０４５９】
低倍端から高倍端への変倍時、第１レンズ群Ｇ１は物体側に移動し、開口絞りＳは第１レンズ群Ｇ１と共に物体側に移動し、第２レンズ群Ｇ２は物体側に移動し、第３レンズ群Ｇ３は物体側に移動し、第４レンズ群Ｇ４は物体側に移動した後、像側に移動し、第４レンズ群Ｇ４は固定である。
【０４６０】
また、低倍端から高倍端への変倍時、レンズ群の間隔は次のように変化する。第１レンズ群Ｇ１と第２レンズ群Ｇ２との間隔は広がる。第２レンズ群Ｇ２と第３レンズ群Ｇ３との間隔は狭まる。第３レンズ群Ｇ３と第４レンズ群Ｇ４との間隔は広がる。第４レンズ群Ｇ４と第５レンズ群Ｇ５との間隔は、低倍端から中間までは広がり、中間から高倍端までは狭まる。
【０４６１】
非球面は、両凹負レンズＬ２４の像側面の１面に用いられている。
【０４６２】
本実施例の変倍光学系は、画素ピッチが１．８μｍの撮像素子に好適な光学系である。
【０４６３】
次に、上記各実施例の光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、＊印は非球面、中間は中間状態、ＮＡは物体側の開口数，βは倍率、焦点距離は光学系全系の焦点距離、ＩＨは像高、ｆｂはバックフォーカス、を示している。なお、全長は、レンズ最前面からレンズ最終面までの距離にバックフォーカスを加えたものである。バックフォーカスは、レンズ最終面から近軸像面までの距離を空気換算して表したものである。
【０４６４】
また、非球面形状は、光軸方向をｚ、光軸に直交する方向をｙにとり、円錐係数をｋ、非球面係数をＡ４、Ａ６、Ａ８、Ａ１０、Ａ１２、Ａ１４としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋Ａ１４ｙ14
また、Ｅ又はｅは１０のべき乗を表している。なお、これら諸元値の記号は後述の実施例の数値データにおいても共通である。
【０４６５】
数値実施例１
単位  ｍｍ
面データ
面番号         r          d         nd       νd
物体面         ∞        1.36
1      -309.327      8.77     1.69895    30.13
2        19.593      9.86     1.56384    60.67
3       169.774      1.49
4*       87.226      9.97     1.49700    81.61
5*      -27.825      可変
6*      195.646      2.29     1.49700    81.61
7*      -65.067      0.07
8*      193.037      4.44     1.63484    23.91
9*      -50.359      0.05
10*      -55.705      0.50     1.58360    30.33
11*      117.155      1.58
12      -387.151      7.75     1.49700    81.61
13       -25.140      0.50     1.72047    34.71
14       -39.322      1.14
15（絞り）  ∞        可変
16      -419.588      7.85     1.49700    81.61
17       -27.193      0.50     1.72047    34.71
18     -1483.065      6.81     1.49700    81.61
19       -37.318     18.14
20*      109.722      1.76     1.84666    23.78
21*      160.100      7.52
22*       32.393      8.64     1.53366    55.96
23*     -107.509      0.05
24*       50.087      6.12     1.63484    23.91
25*      -95.106      0.05
26*     -103.168      3.30     1.58360    30.33
27*       16.792      可変
28*      -33.163      2.02     1.53366    55.96
29*      -19.376      6.82
30*      -11.318      1.35     1.53366    55.96
31*       49.066      1.15
32          ∞        0.30     1.51633    64.14
33          ∞        2.00
像面          ∞
非球面データ
第４面
k=-19.735
A4=1.38433e-06,A6=1.56209e-08,A8=7.39496e-13
第５面
k=-0.510
A4=-4.14171e-06,A6=-2.64065e-09,A8=1.84736e-11
第６面
k=-94.142
A4=-4.70906e-06,A6=-1.40159e-09,A8=-1.17602e-12
第７面
k=-8.518
A4=2.73566e-06,A6=1.80370e-08,A8=-6.72571e-12
第８面
k=-18.494
A4=5.31697e-07,A6=1.14493e-08,A8=-2.38222e-11
第９面
k=2.412
A4=2.38083e-06,A6=-5.01743e-09,A8=1.48766e-11
第１０面
k=-1.452
A4=3.36824e-06,A6=2.13590e-09,A8=1.71100e-11
第１１面
k=1.976
A4=-3.10983e-06,A6=8.70979e-09,A8=-7.12690e-12
第２０面
k=-1.901
A4=-2.70949e-07,A6=-1.49730e-09,A8=6.66247e-13
第２１面
k=-83.263
A4=-8.31318e-07,A6=3.83390e-10,A8=-4.09608e-13
第２２面
k=-1.372
A4=-2.44219e-06,A6=4.74755e-09,A8=-7.17140e-12
第２３面
k=-58.415
A4=3.99030e-07,A6=-1.24591e-09,A8=1.66221e-12
第２４面
k=-8.499
A4=-3.71357e-06,A6=3.76244e-09,A8=2.52674e-12
第２５面
k=-4.070
A4=7.72606e-07
第２６面
k=-2.188
A4=8.90733e-07
第２７面
k=-1.108
A4=-1.06462e-05,A6=4.28130e-08,A8=-5.96472e-11
第２８面
k=-1.146
A4=2.15466e-05,A6=3.87834e-07,A8=-7.79721e-10
第２９面
k=-4.685
A4=-3.46506e-05,A6=5.90726e-07,A8=-1.63146e-09
第３０面
k=-1.349
A4=1.28211e-04,A6=-1.09079e-06,A8=2.14386e-09
第３１面
k=-2.255
A4=1.19890e-06,A6=2.63532e-07,A8=-2.51907e-09
各種データ
低倍端    高倍端
ＮＡ               0.23      0.61
β                -1.33     -3.56
焦点距離(mm)      14.45      5.83
ＩＨ(mm)          11.00     11.00
ｆｂ (in air)      3.35      3.35
全長 (in air)    178.53    178.53
d5              32.47      0.05
d15             15.62      1.38
d27              7.76     54.42
各群焦点距離
f1=73.27    f2=55.92    f3=59.97    f4=-23.38
【０４６６】
数値実施例２
単位  ｍｍ
面データ
面番号         r          d         nd       νd
物体面         ∞        1.08
1       105.320      9.00     1.69895    30.13
2        19.430      9.10     1.56384    60.67
3        77.997      0.11
4*       56.271      6.22     1.49700    81.61
5       -43.741      0.06
6       -43.716      2.89     1.84666    23.78
7*      -39.010      可変
8*      273.740      2.78     1.49700    81.61
9*      -63.097      3.11
10*       71.013      3.34     1.63484    23.91
11*     -147.957      0.05
12*    -1103.715      0.50     1.58360    30.33
13*       33.167      4.18
14       543.275     10.00     1.49700    81.61
15       -23.848      2.88     1.72047    34.71
16       -33.305      1.00
17（絞り）  ∞        可変
18       154.618      7.91     1.49700    81.61
19       -41.703      0.50     1.72047    34.71
20        88.450      9.80     1.49700    81.61
21       -58.806      1.14
22*       97.787      3.05     1.91082    35.25
23*      183.088      可変
24*       39.185      8.11     1.53366    55.96
25*     -273.061      0.05
26*       39.379      6.99     1.63484    23.91
27*     -130.804      0.05
28*     -272.693      2.97     1.58360    30.33
29*       16.301      可変
30*     -143.895      3.21     1.53366    55.96
31       -29.718      1.08
32*      -66.754      3.13     1.53366    55.96
33*      -46.956      8.53
34*      -12.948      1.00     1.53366    55.96
35*       24.888      2.14
36          ∞        0.30     1.51633    64.14
37          ∞        2.00
像面          ∞
非球面データ
第４面
k=0.089
A4=8.91611e-07,A6=2.23110e-09
第７面
k=-0.957
A4=-4.63936e-06,A6=-3.47489e-09
第８面
k=-10.000
A4=-7.98501e-06,A6=1.93962e-08
第９面
k=-10.000
A4=3.27233e-06,A6=9.66518e-09
第１０面
k=4.111
A4=2.92694e-06,A6=-1.83189e-09
第１１面
k=-10.000
A4=4.52716e-06,A6=1.06832e-08
第１２面
k=7.852
A4=4.90830e-06,A6=2.68297e-09
第１３面
k=-1.026
A4=-3.21839e-06,A6=9.95260e-10
第２２面
k=2.149
A4=1.62847e-07,A6=-1.92713e-09
第２３面
k=-5.323
A4=-1.67614e-06,A6=-9.82428e-10
第２４面
k=-1.465
A4=-3.87411e-06,A6=-1.34487e-09
第２５面
k=-10.000
A4=1.92162e-06,A6=-3.25394e-09
第２６面
k=-2.915
A4=-5.00971e-06,A6=1.89801e-09
第２７面
k=-4.067
A4=8.80372e-07,A6=7.56366e-10
第２８面
k=-9.876
A4=2.61002e-06,A6=4.22180e-10
第２９面
k=-1.001
A4=-9.35453e-06,A6=1.30478e-09
第３０面
k=-10.000
第３２面
k=6.084
A4=-8.44512e-05,A6=-3.38609e-08
第３３面
k=5.446
A4=-6.60035e-05,A6=1.83701e-08
第３４面
k=-3.939
A4=-2.61809e-05,A6=4.45113e-09
第３５面
k=-1.141
A4=-9.96483e-06,A6=1.22337e-08
各種データ
低倍端     中間     高倍端
ＮＡ               0.23      0.42      0.61
β                -1.33     -2.45     -3.56
焦点距離(mm)      17.07      9.07      6.29
ＩＨ(mm)          11.00     11.00     11.00
ｆｂ (in air)      4.33      4.33      4.33
全長 (in air)    198.81    198.81    198.81
d7              22.18      2.54      0.48
d17             35.30     21.56      0.05
d23             15.08     11.57     14.39
d29              9.18     46.07     66.82
各群焦点距離
f1=67.39    f2=58.98    f3=117.51    f4=159.94    f5=-28.91
【０４６７】
数値実施例３
単位  ｍｍ
面データ
面番号         r          d         nd       νd
物体面         ∞        1.06
1        41.070      4.74     1.75520    27.51
2         8.563      4.60     1.78800    47.37
3        46.948      0.10
4        29.514      2.70     1.59522    67.74
5       -31.813      1.48     2.00178    19.32
6       -18.329      可変
7*      124.136      1.65     1.49700    81.61
8*      -32.236      0.10
9*       34.819      1.92     1.63484    23.91
10*      -76.356      0.92
11*    -1104.670      1.00     1.58360    30.33
12*       14.613      1.43
13       113.857      4.12     1.49700    81.61
14        -9.920      1.00     1.72047    34.71
15       -15.135      0.10
16（絞り）  ∞        可変
17        20.535      1.00     1.59551    39.24
18        13.158      4.13     1.49700    81.61
19       -52.800      0.10
20       551.336      1.05     1.76182    26.52
21        40.653      可変
22*       17.515      2.90     1.53366    55.96
23*     -153.994      0.10
24*       23.195      3.29     1.63484    23.91
25*      -29.612      0.25
26*      -35.687      1.05     1.58360    30.33
27*        8.518      可変
28       -29.192      3.00     2.00178    19.32
29       -16.510      4.68
30       -12.512      3.00     1.49710    81.56
31      -105.755      2.57
32*       -3.402      1.02     1.53366    55.96
33*       -8.695      1.31
34          ∞        0.30     1.51633    64.14
35          ∞        2.50
像面          ∞
非球面データ
第７面
k=47.232
A4=-4.87695e-05,A6=2.41891e-07
第８面
k=-11.183
A4=1.81009e-05,A6=1.99065e-07
第９面
k=3.846
A4=2.44426e-05,A6=-1.06377e-07
第１０面
k=2.516
A4=3.51230e-05,A6=3.38996e-07
第１１面
k=16896.538
A4=4.48222e-05,A6=8.30907e-08
第１２面
k=-1.054
A4=-2.73924e-05,A6=1.11887e-07
第２２面
k=-1.395
A4=-2.91406e-05,A6=-3.66094e-08
第２３面
k=3.305
A4=1.49379e-05,A6=-5.54436e-08
第２４面
k=-3.573
A4=4.30854e-05,A6=9.13174e-08
第２５面
k=-4.313
A4=7.28845e-06,A6=2.68236e-08
第２６面
k=-0.827
A4=2.51707e-05,A6=-2.46076e-08
第２７面
k=-1.066
A4=-8.82735e-05,A6=-3.26902e-07
第３２面
k=-1.904
A4=-1.01943e-03
第３３面
k=-10.000
A4=-4.34032e-04
各種データ
低倍端     中間     高倍端
ＮＡ               0.23      0.37      0.61
β                -3.39     -5.55     -9.06
焦点距離(mm)       4.42      2.59      1.58
ＩＨ(mm)           5.50      5.50      5.50
ｆｂ (in air)      4.00      4.00      4.00
全長 (in air)    109.37    109.37    109.37
d6               7.54      1.08      0.20
d16             23.30     15.60      0.20
d21             17.13      8.89      6.92
d27              3.38     25.78     44.03
各群焦点距離
f1=16.64    f2=29.03    f3=67.90    f4=83.05    f5=-11.69
【０４６８】
数値実施例４
単位  ｍｍ
面データ
面番号         r          d         nd       νd
物体面         ∞        1.11
1        42.854      4.88     1.75520    27.51
2         9.449      4.66     1.78800    47.37
3        47.957      0.10
4        30.363      2.69     1.59522    67.74
5       -29.253      1.47     2.00178    19.32
6       -18.329      可変
7*      123.257      1.68     1.49700    81.61
8*      -32.060      0.99
9*       35.047      2.01     1.63484    23.91
10*      -79.370      0.25
11*    -1821.839      1.00     1.58360    30.33
12*       14.209      1.49
13        55.686      4.49     1.49700    81.61
14       -10.603      1.09     1.72047    34.71
15       -16.874      0.10
16（絞り）  ∞        可変
17        21.884      1.00     1.59551    39.24
18        13.326      4.51     1.49700    81.61
19       -47.870      0.10
20        80.799      1.00     1.78472    25.68
21        29.165      5.82
22*       17.839      2.84     1.53366    55.96
23*     -141.412      0.10
24*       22.568      3.24     1.63484    23.91
25*      -31.098      0.30
26*      -37.031      1.04     1.58360    30.33
27*        8.668      可変
28       -57.439      3.00     1.84666    23.78
29       -19.966      5.00
30       -13.457      1.98     1.59551    39.24
31        74.133      可変
32        38.638      2.63     1.76200    40.10
33       -12.934      2.19
34*       -3.874      1.00     1.53366    55.96
35*       30.228      0.57
36          ∞        0.30     1.51633    64.14
37          ∞        1.50
像面          ∞
非球面データ
第７面
k=7.235
A4=-5.19614e-05,A6=2.50133e-07
第８面
k=-11.739
A4=1.81171e-05,A6=1.75172e-07
第９面
k=3.564
A4=2.27492e-05,A6=-8.52746e-08
第１０面
k=2.968
A4=3.49251e-05,A6=3.28246e-07
第１１面
k=8348.181
A4=4.68276e-05,A6=9.24375e-08
第１２面
k=-1.075
A4=-2.82301e-05,A6=1.11162e-07
第２２面
k=-1.371
A4=-2.87639e-05,A6=-5.26359e-08
第２３面
k=-19.954
A4=1.60354e-05,A6=-4.06352e-08
第２４面
k=-3.428
A4=-4.23418e-05,A6=8.62975e-08
第２５面
k=-4.256
A4=6.91696e-06,A6=1.81029e-08
第２６面
k=-1.204
A4=2.61385e-05,A6=8.71331e-09
第２７面
k=-1.081
A4=-9.08593e-05,A6=-2.43864e-07
第３４面
k=-1.883
A4=-6.54448e-06
第３５面
k=-10.000
A4=7.00971e-05
各種データ
低倍端     中間     高倍端
ＮＡ               0.23      0.37      0.61
β                -2.66     -4.36     -7.12
焦点距離(mm)       4.56      2.81      1.84
ＩＨ(mm)           5.50      5.50      5.50
ｆｂ (in air)      2.26      2.26      2.26
全長 (in air)    105.01    105.01    105.01
d6               3.39      0.39      0.20
d16             25.00     13.89      0.20
d27             11.29     18.68     21.14
d31              0.38      7.10     18.52
各群焦点距離
f1=17.19    f2=29.75    f3=35.13    f4=-57.28    f5=-20.79
【０４６９】
数値実施例５
単位  ｍｍ
面データ
面番号         r          d         nd       νd
物体面         ∞        1.36
1       -78.153      4.96     1.75520    27.51
2       -13.906      4.72     1.78800    47.37
3        54.471      0.11
4        40.308      3.57     1.59522    67.74
5       -16.355      1.18     2.00178    19.32
6       -18.329      可変
7*       12.651      3.12     1.63484    23.91
8*      564.542      0.10
9*     -728.186      1.00     1.58360    30.33
10*        7.738      1.00
11        14.801      2.08     1.49700    81.61
12        -7.983      2.50     1.72047    34.71
13       -16.723      0.10
14（絞り）  ∞        可変
15        19.213      4.68     1.59551    39.24
16        12.883      7.13     1.49700    81.61
17       -42.488      0.10
18*       30.451      2.72     1.53366    55.96
19*      -92.785      0.10
20*       20.461      4.44     1.58360    30.33
21*        9.664      可変
22       -74.424      2.53     1.84666    23.78
23       -19.328      0.60
24       -15.389      1.00     1.59551    39.24
25       -36.051      可変
26       -72.453      1.98     1.76200    40.10
27       -12.030      2.28
28*       -4.538      1.00     1.53366    55.96
29*       37.108      0.48
30          ∞        0.30     1.51633    64.14
31          ∞        2.00
像面          ∞
非球面データ
第７面
k=-2.624
A4=-2.10322e-05,A6=-5.31733e-06
第８面
k=-63842.190
A4=-8.43938e-06,A6=-9.93994e-06
第９面
k=42349.007
A4=3.74549e-05,A6=4.18833e-06
第１０面
k=-1.256
A4=-3.46706e-05,A6=5.68753e-06
第１８面
k=-4.651
A4=-3.33705e-05,A6=-2.06561e-07
第１９面
k=-8.744
A4=2.17150e-05,A6=1.27134e-07
第２０面
k=-2.856
A4=-3.37340e-05,A6=5.80900e-07
第２１面
k=-1.171
A4=-8.70252e-05,A6=7.56291e-07
第２８面
k=-1.739
A4=-7.16893e-05
第２９面
k=-10.000
A4=9.52379e-05
各種データ
低倍端     中間     高倍端
ＮＡ               0.08      0.13      0.22
β                -0.90     -1.50     -2.50
焦点距離(mm)      10.73      7.64      4.88
ＩＨ(mm)           5.50      5.50      5.50
ｆｂ (in air)      2.67      2.67      2.67
全長 (in air)     84.48     84.48     84.48
d6              20.87      8.96      2.21
d14              6.26     10.50      6.04
d21              1.28      7.14      6.65
d25              0.38      2.19     13.89
各群焦点距離
f1=45.53    f2=37.73    f3=24.41    f4=90.21    f5=-15.55
【０４７０】
数値実施例６
単位  ｍｍ
面データ
面番号         r          d         nd       νd
物体面         ∞        1.55
1       -21.654      5.00     1.80610    40.88
2       -10.000      3.96     1.84666    23.78
3      -548.726      3.88     1.49700    81.54
4       -12.343      0.10
5        80.653      2.42     1.91082    35.25
6       -66.283      可変
7       -75.999      3.80     1.53366    55.96
8*      -17.526      0.10
9       281.305      6.49     1.60300    65.44
10       -12.656      1.00     1.72047    34.71
11       -51.571      可変
12（絞り）  ∞        可変
13       -18.025      2.31     1.84666    23.78
14       -13.172      0.22
15       -12.839      1.00     1.78590    44.20
16       -27.471      可変
17        30.565      5.56     1.53366    55.96
18*      -21.816      0.10
19        21.908      5.65     1.49700    81.54
20       -19.546      1.00     1.72047    34.71
21        26.502      可変
22*       12.910      3.15     1.53366    55.96
23        52.038      0.10
24        14.630      2.36     1.88300    40.76
25         7.838      2.64
26       -76.371      9.78     1.84666    23.78
27       -18.327      0.83
28*       -7.935      1.00     1.53366    55.96
29        18.435      0.85
30          ∞        0.30     1.51633    64.14
31          ∞        1.50
像面          ∞
非球面データ
第８面
k=0.000
A4=6.77268e-06
第１８面
k=0.000
A4=2.15805e-05
第２２面
k=0.000
A4=-2.55392e-06
第２８面
k=0.000
A4=6.29028e-04
各種データ
低倍端     中間     高倍端
ＮＡ               0.23      0.37      0.61
β                -1.35     -2.06     -3.55
焦点距離(mm)      12.73      8.02      4.17
ＩＨ(mm)           5.50      5.50      5.50
ｆｂ (in air)      2.55      2.55      2.55
全長 (in air)    112.02    112.02    112.02
d6              22.68      9.74      0.92
d11              0.10     13.04     21.86
d12              2.41      3.65      2.41
d16             21.75     14.24      0.20
d21              0.10      6.37     21.65
各群焦点距離
f1=23.06    f2=33.06    f3=-79.41    f4=28.31    f5=-18.28
【０４７１】
数値実施例７
単位  ｍｍ
面データ
面番号         r          d         nd       νd 
物体面         ∞        1.22
1       -16.843      4.32     2.00178    19.32
2        -8.636      1.72     1.84666    23.78
3       911.147      2.27     1.83481    42.71
4        -9.828      0.10
5        14.525      6.33     1.72916    54.68
6        19.870      可変
7       -43.494      2.26     1.53366    55.96
8*      -10.891      0.10
9      -253.131      3.87     1.60300    65.44
10        -6.779      1.00     1.72047    34.71
11       -23.734      可変
12（絞り）  ∞        1.34
13       -14.179      2.90     2.00178    19.32
14       -10.167      0.37
15        -9.637      1.00     1.80000    29.84
16       -24.621      可変
17        21.318      3.34     1.53366    55.96
18*      -22.052      0.10
19        14.906      3.32     1.49700    81.54
20       -26.784      2.82     1.72047    34.71
21        15.222      可変
22*       50.082      1.97     1.53366    55.96
23       -21.025      0.10
24       -27.546      3.00     1.65844    50.88
25        12.611     18.41
26        14.962      2.54     2.00100    29.13
27      -528.141      4.90
28*       -8.213      1.00     1.53366    55.96
29         9.675      1.19
30          ∞        0.30     1.51633    64.14
31          ∞        1.50
像面          ∞
非球面データ
第８面
k=0.000
A4=-9.17289e-06
第１８面
k=0.000
A4=3.54433e-05
第２２面
k=0.000
A4=8.77643e-06
第２８面
k=0.000
A4=6.73848e-04
各種データ
低倍端     中間     高倍端
ＮＡ               0.23      0.37      0.61
β                -2.81     -4.34     -7.13
焦点距離(mm)       7.60      4.25      2.43
ＩＨ(mm)           4.75      4.75      4.75
ｆｂ (in air)      2.89      2.89      2.89
全長 (in air)    100.91    100.91    100.91
d6               7.52      2.32      1.30
d11              0.10      5.30      6.32
d16             20.55     11.68      0.20
d21              0.79      9.66     21.14
各群焦点距離
f1=10.33    f2=21.29    f3=-62.18    f4=23.61    f5=-14.82
【０４７２】
数値実施例８
単位  ｍｍ
面データ
面番号         r          d         nd       νd
物体面         ∞        1.39
1       -11.331      6.04     2.00178    19.32
2       -13.131      0.10
3      -946.281      3.29     1.67480    57.97
4       -14.337      0.10
5        10.192      2.00     1.49700    81.55
6        10.568      可変
7       -51.413      2.81     1.53366    55.96
8*      -11.529      0.10
9       -91.616      4.93     1.60300    65.44
10        -7.195      1.00     1.72047    34.71
11       -23.922      可変
12（絞り）  ∞        1.73
13       -13.536      1.96     2.00178    19.32
14       -10.172      0.15
15        -9.971      1.00     1.80000    29.84
16       -22.978      可変
17        27.381      3.57     1.53366    55.96
18*      -19.808      0.10
19        14.731      3.93     1.49700    81.54
20       -22.234      3.34     1.72047    34.71
21        15.522      可変
22*       55.729      2.00     1.53366    55.96
23        11.191     17.90
24        12.797      3.15     2.00100    29.13
25      -215.539      3.11
26*       -9.081      1.00     1.53366    55.96
27         9.711      1.34
28          ∞        0.30     1.51633    64.14
29          ∞        1.50
像面          ∞
非球面データ
第８面
k=0.000
A4=7.01903e-06
第１８面
k=0.000
A4=2.60215e-05
第２２面
k=0.000
A4=5.62828e-05
第２６面
k=0.000
A4=5.80353e-04
各種データ
低倍端     中間     高倍端
ＮＡ               0.23      0.37      0.61
β                -2.18     -3.57     -5.83
焦点距離(mm)      16.47      7.96      4.39
ＩＨ(mm)           4.75      4.75      4.75
ｆｂ (in air)      3.04      3.04      3.04
全長 (in air)    100.91    100.91    100.91
d6              13.55      5.34      2.99
d11              0.10      8.31     10.66
d16             20.15     11.49      0.20
d21              0.77      9.43     20.72
各群焦点距離
f1=13.10    f2=23.49    f3=-63.12    f4=24.18    f5=-27.20
【０４７３】
数値実施例９
単位  ｍｍ
面データ
面番号         r          d         nd       νd
物体面         ∞        1.22
1       -18.725      4.32     2.00178    19.32
2       -31.804      2.51     1.83481    42.71
3        -9.912      0.10
4        10.558      3.45     1.78800    47.37
5       -20.000      2.50     1.69895    30.13
6         9.835      可変
7        31.215      2.45     1.53366    55.96
8*      -11.432      0.10
9       -22.184      3.65     1.60300    65.44
10        -5.405      1.00     1.72047    34.71
11       -23.159      可変
12（絞り）  ∞        0.47
13       -68.998      2.78     2.00178    19.32
14       -10.619      1.00     1.75520    27.51
15       101.173      可変
16        28.719      2.10     1.53366    55.96
17      -160.043      0.10
18        43.831      2.52     1.53366    55.96
19*      -27.949      0.10
20        14.708      3.28     1.49700    81.54
21       -36.048      7.91     1.72825    28.46
22        12.092      可変
23*     -221.872      3.00     1.53366    55.96
24       -12.551      0.10
25       -25.159      3.00     1.60562    43.70
26         6.695      可変
27        12.943      5.00     1.84666    23.78
28       -30.308      1.30
29*       -7.934      2.00     1.53366    55.96
30        15.330      0.78
31          ∞        0.30     1.51633    64.14
32          ∞        1.50
像面          ∞
非球面データ
第８面
k=0.000
A4=2.69320e-05
第１９面
k=0.000
A4=2.55226e-05
第２３面
k=0.000
A4=-9.20183e-05
第２９面
k=0.000
A4=9.37257e-04
各種データ
低倍端     中間     高倍端
ＮＡ               0.23      0.37      0.61
β                -2.66     -4.36     -7.21
焦点距離(mm)       6.86      3.73      2.21
ＩＨ(mm)           4.75      4.75      4.75
ｆｂ (in air)      2.48      2.48      2.48
全長 (in air)     86.53     86.53     86.53
d6               4.16      1.00      1.34
d11              0.10      3.26      2.92
d15             19.12      9.82      0.42
d22              1.15     10.21     19.58
d26              4.80      5.04      5.07
各群焦点距離
f1=10.62    f2=22.62    f3=627.38    f4=18.35    f5=-13.98
f6=55.65
【０４７４】
数値実施例１０
単位  ｍｍ
面データ
面番号         r          d         nd       νd
物体面         ∞        1.28
1       111.248      4.32     2.00178    19.32
2       158.973      1.45     1.83481    42.71
3       -30.896      1.17
4        22.697      8.39     1.78800    47.37
5       -20.000      2.50     1.69895    30.13
6        27.829      可変
7        22.875      2.93     1.53366    55.96
8*       -8.265      0.10
9        -9.474      1.77     1.60300    65.44
10        -5.539      5.00     1.72047    34.71
11       -20.878      可変
12（絞り）  ∞        0.47
13       -41.774      2.83     2.00178    19.32
14       -13.304      1.00     1.75520    27.51
15     -4072.041      可変
16        38.371      1.63     1.53366    55.96
17      -615.493      0.10
18        33.168      2.66     1.53366    55.96
19*      -23.894      0.10
20        14.457      2.97     1.49700    81.54
21       -43.409      5.18     1.72825    28.46
22        13.946      可変
23*      -72.077      3.00     1.53366    55.96
24       -12.453      0.10
25      -544.479      3.00     1.60562    43.70
26         7.266      可変
27        10.977      5.00     1.84666    23.78
28        12.750      1.35
29*       -8.703      2.00     1.53366    55.96
30        48.121      0.29
31          ∞        0.30     1.51633    64.14
32          ∞        1.50
像面          ∞
非球面データ
第８面
k=0.000
A4=8.73539e-05
第１９面
k=0.000
A4=3.09691e-05
第２３面
k=0.000
A4=-2.50616e-04
第２９面
k=0.000
A4=9.69394e-04
各種データ
低倍端     中間     高倍端
ＮＡ               0.10      0.16      0.26
β                -1.14     -1.84     -2.99
焦点距離(mm)      12.62      6.55      3.83
ＩＨ(mm)           4.75      4.75      4.75
ｆｂ (in air)      1.98      1.98      1.98
全長 (in air)     90.94     90.94     90.94
d6               8.84      1.49      0.44
d11              0.10      7.48      8.47
d15             18.19      9.34      0.20
d22              1.38      9.46     17.73
d26              1.43      2.17      3.10
各群焦点距離
f1=17.71    f2=27.43    f3=-216.23    f4=19.30    f5=-22.79
f6=-32.66
【０４７５】
数値実施例１１
単位  ｍｍ
面データ
面番号         r          d         nd       νd
物体面         ∞        2.20
1       -12.923      2.88     1.83400    37.16
2        13.709      9.75     1.65100    56.16
3       -16.604      0.20
4       182.555      5.85     1.59522    67.74
5       -22.860      1.46
6        92.504     10.00     1.78800    47.37
7        28.295      9.88     1.49700    81.54
8       -35.089     10.14
9        87.517      4.49     1.49700    81.54
10       -40.197      0.89
11       287.579      1.44     1.80400    46.57
12        20.222      6.32     1.43875    94.93
13       -60.068      0.10
14        37.768      2.16     1.51823    58.96
15        90.424      0.87
16（絞り）  ∞        可変
17       -54.403      1.00     1.74100    52.64
18        31.130      1.00     1.75520    27.51
19        30.568      1.63
20       -88.325      1.00     1.51823    58.96
21        21.260      2.53     1.80518    25.43
22        92.998      可変
23        43.273      3.46     1.48749    70.23
24       -69.631      0.10
25        46.333      1.70     1.72047    34.71
26        18.841      4.31     1.48749    70.23
27       167.650      可変
28*       25.488      6.25     1.59074    65.51
29      -162.990      3.45
30      -102.457      4.97     1.74964    30.84
31        71.456     24.55
32        14.091      3.33     1.84666    23.78
33        23.716      0.17
34        14.431      2.28     1.80518    25.42
35         6.611      1.54
36         7.048      5.11     1.75501    51.16
37*        7.407      1.06
38          ∞        0.30     1.51633    64.14
39          ∞        3.00
像面          ∞
非球面データ
第２８面
k=0.000
A4=-2.44186e-06
第３７面
k=0.000
A4=1.73815e-04
各種データ
低倍端     中間     高倍端
ＮＡ               0.23      0.37      0.61
β                -1.33     -2.18     -3.56
焦点距離(mm)     520.87    714.51     16.03
ＩＨ(mm)           3.00      3.00      3.00
ｆｂ (in air)      4.26      4.26      4.26
全長 (in air)    177.29    177.29    177.29
d16              0.83     24.79     38.01
d22             19.54     12.06      0.10
d27             17.84      1.36      0.10
各群焦点距離
f1=18.81    f2=-25.27    f3=52.53    f4=44.84 
【０４７６】
数値実施例１２
単位  ｍｍ
面データ
面番号         r          d         nd       νd
物体面         ∞        1.27
1       -22.784      7.97     2.00178    19.32
2       -10.000      7.01     1.84666    23.78
3      -120.689      0.10
4       514.184      9.49     1.88300    40.80
5       -27.131      0.10
6       -73.294      2.43     1.84666    23.78
7       -27.362      0.10
8        42.765      5.81     1.49700    81.54
9       -18.172      1.00     1.57501    41.50
10        45.777      1.29
11      2516.925      1.00     1.72047    34.71
12        32.396      4.09     1.49700    81.54
13       -44.446      0.10
14        48.583      2.57     1.49700    81.54
15      -164.344      0.10
16        47.475      1.70     1.80400    46.57
17        20.378      4.13     1.43875    94.93
18      -109.125      6.77
19（絞り）  ∞        0.10
20          ∞        1.45     1.58144    40.75
21       -90.909      可変
22      1800.703      1.00     1.72342    37.95
23        13.735      2.46     1.84666    23.78
24        46.722      1.31
25       -37.078      1.00     1.67300    38.15
26        19.701      1.54     1.84666    23.78
27        31.766      可変
28        45.153      2.51     1.72916    54.68
29      -124.530      0.10
30        41.325      7.02     1.69680    55.53
31    -22428.139      2.69     1.72047    34.71
32        25.110      可変
33*       36.836      4.21     1.72903    54.04
34       -48.356      0.10
35        77.143      5.14     1.72916    54.68
36       -24.384      6.01     1.90366    31.32
37        56.361      5.00
38        83.989      2.99     1.80610    33.27
39        35.268     19.30
40        89.478      4.68     1.84666    23.78
41       -35.056      0.10
42        18.574      7.76     2.00178    19.32
43        16.654      1.84
44       -39.853      1.00     1.75501    51.16
45*       17.859      1.06
46          ∞        0.30     1.51633    64.14
47          ∞        5.00
像面          ∞
非球面データ
第３３面
k=0.000
A4=-6.49017e-06
第４５面
k=0.000
A4=-1.78428e-05
各種データ
低倍端     中間     高倍端
ＮＡ               0.23      0.37      0.61
β                -2.20     -3.57     -5.82
焦点距離(mm)      53.32     17.10      6.73
ＩＨ(mm)           5.50      5.50      5.50
ｆｂ (in air)      6.25      6.25      6.25
全長 (in air)    168.62    168.62    168.62
d21              0.20     15.41     26.47
d27             15.91     11.10      0.35
d32             11.17      0.77      0.46
各群焦点距離
f1=14.92    f2=-22.16    f3=60.23    f4=29.18
【０４７７】
数値実施例１３
単位  ｍｍ
面データ
面番号         r          d         nd       νd
物体面         ∞        1.37
1       -40.987     10.00     1.83400    37.16
2       -52.459     10.00     1.84666    23.78
3       -39.893      0.10
4       941.821     10.00     1.88300    40.80
5       -32.540      5.27
6       -49.992     10.00     1.75520    27.51
7        53.602     10.00     1.84666    23.78
8       -53.191      0.11
9       246.374      6.73     1.49700    81.54
10       -27.066      1.03     1.61293    37.00
11       159.021      1.30
12      -370.480      1.03     1.72047    34.71
13        54.649      7.11     1.49700    81.54
14       -43.003      0.10
15       345.717      1.92     1.60562    43.70
16      -299.011      0.10
17       100.141      1.00     1.80400    46.57
18        39.990      4.78     1.43875    94.93
19     -2588.894      0.10
20        44.827      4.01     1.55332    71.68
21       238.990      0.69
22（絞り）  ∞        可変
23       606.831      1.00     1.72047    34.71
24        15.793      2.83     1.84666    23.78
25        65.887      1.27
26       -50.551      1.00     1.90366    31.32
27        26.061      1.77     2.00178    19.32
28        60.158      可変
29     -1382.268      2.98     1.74320    49.34
30       -54.311      0.10
31       148.232      3.04     1.72903    54.04
32      -251.038     13.53
33        88.724      5.33     1.69680    55.53
34       -35.525      1.71     1.85026    32.27
35        63.954      可変
36        40.123     10.00     1.69100    54.82
37       -72.626     10.00     1.84666    23.78
38        48.338     12.91
39        56.312      9.96     1.76182    26.52
40      -122.904      可変
41        37.520      7.01     1.80810    22.76
42       -69.737      1.19
43       -42.881      4.58     1.55332    71.68
44        33.293      4.04
45       -31.896      3.94     1.55332    71.68
46*       24.848      0.78
47          ∞        0.30     1.51633    64.14
48          ∞        3.78
像面          ∞
非球面データ
第４６面
k=0.000
A4=-1.79537e-05
各種データ
低倍端     中間     高倍端
ＮＡ               0.11      0.23      0.61
β                -1.25     -2.43     -6.52
焦点距離(mm)     756.14     38.15      6.44
ＩＨ(mm)           5.50      5.50      5.50
ｆｂ (in air)      4.75      4.75      4.75
全長 (in air)    271.52    271.52    271.52
d22              0.20     35.65     74.82
d28             40.06     23.80      0.85
d35             29.80      1.82      7.44
d40             13.15     21.94      0.10
各群焦点距離
f1=27.17    f2=-29.13    f3=62.73    f4=60.88    f5=-41.12
【０４７８】
数値実施例１４
単位  ｍｍ
面データ
面番号         r          d         nd       νd
物体面         ∞       15.84
1       514.184      5.89     1.49700    81.61
2       -22.397     19.71
3      -123.845      2.23     1.49700    81.61
4        -8.839      1.00     1.67300    38.15
5        28.890      3.54
6       217.991      3.39     1.55332    71.68
7       -16.459      0.10
8        18.406      1.99     1.49700    81.61
9       -80.696      0.10
10（絞り）  ∞        0.10
11          ∞        1.19     1.58144    40.75
12       -70.716      可変
13       -29.442      1.00     1.80139    45.45
14        16.540      1.18     1.84666    23.78
15        22.667      0.82
16       -52.742      1.00     1.74100    52.64
17        19.274      1.65     1.84666    23.78
18       393.247      可変
19        33.105      5.41     1.69680    55.53
20       -35.152      0.84
21        43.213      8.12     1.69680    55.53
22       -14.179      1.00     1.72047    34.71
23        23.564      可変
24        34.073      2.23     1.72903    54.04
25       217.333      0.10
26        41.188      6.04     1.72916    54.68
27       -13.176      1.00     1.90366    31.32
28       685.273      1.08
29       -45.052      1.00     1.78472    25.68
30        23.447      0.41
31        18.238      4.12     2.00178    19.32
32      -231.364      0.13
33        11.031      4.15     1.72916    54.68
34        22.882      1.45
35      -254.659      1.13     1.78472    25.68
36*        9.874      2.28
37          ∞        0.30     1.51633    64.14
38          ∞        6.00
像面          ∞
非球面データ
第３６面
k=0.000
A4=8.44498e-05
各種データ
低倍端     中間     高倍端
ＮＡ               0.05      0.08      0.12
β                -0.44     -0.71     -1.13
焦点距離(mm)      33.51     32.58     21.26
ＩＨ(mm)           5.50      5.50      5.50
ｆｂ (in air)      8.48      8.48      8.48
全長 (in air)    108.28    108.28    108.28
d12              0.29      6.90     10.52
d18             15.59      9.20      0.10
d23              0.81      0.59      6.07
各群焦点距離
f1=26.76    f2=-13.42    f3=29.14    f4=38.82
【０４７９】
数値実施例１５
単位  ｍｍ
面データ
面番号         r          d         nd       νd 
物体面         ∞        1.26
1       -22.799      8.02     2.00178    19.32
2       -10.000      6.07     1.84666    23.78
3      -127.010      0.10
4       514.184      9.02     1.88300    40.80
5       -35.317      0.10
6       -76.547      2.66     1.84666    23.78
7       -22.563      0.10
8        44.285      5.43     1.49700    81.54
9       -16.636      1.00     1.56732    42.82
10        45.768      1.23
11      -814.468      1.00     1.72047    34.71
12        31.752      3.97     1.49700    81.54
13       -38.947      0.10
14        48.375      2.54     1.49700    81.54
15      -121.012      0.10
16        43.876      1.00     1.80440    39.59
17        19.275      3.80     1.49700    81.61
18      -244.353      0.61
19（絞り）  ∞        0.10
20          ∞        1.41     1.58144    40.75
21      -110.055      可変
22*     -108.127      1.00     1.53366    55.96
23        21.294      0.10
24        17.087      1.91     1.63484    23.91
25*       36.179      1.33
26*      -67.414      1.00     1.53366    55.96
27        19.991      0.46
28        25.954      1.28     1.63484    23.91
29*       31.912      可変
30        40.306      2.77     1.72916    54.68
31      -162.235      0.10
32        48.391      5.96     1.72342    37.95
33       -16.834      1.00     1.72047    34.71
34        25.124      可変
35*       30.385      5.11     1.72903    54.04
36       -41.941      0.10
37       125.058      4.59     1.69680    55.53
38       -21.149      4.09     1.91082    35.25
39        47.612      0.71
40       111.847      2.04     1.80000    29.84
41        47.347     34.06
42        60.461      5.15     1.84666    23.78
43       -45.615      0.10
44        17.276      8.24     1.80810    22.76
45        15.879      1.85
46       -46.940      1.00     1.85026    32.27
47*       16.929      1.12
48          ∞        0.30     1.51633    64.14
49          ∞        5.00
像面          ∞
非球面データ
第２２面
k=0.000
A4=-6.17401e-06
第２５面
k=0.000
A4=2.85432e-05
第２６面
k=0.000
A4=2.24191e-05
第２９面
k=0.000
A4=-1.94648e-05
第３５面
k=0.000
A4=-8.31031e-06
第４７面
k=0.000
A4=-1.45299e-05
各種データ
低倍端     中間     高倍端
ＮＡ               0.23      0.37      0.61
β                -2.20     -3.57     -5.82
焦点距離(mm)      30.47     16.18      7.07
ＩＨ(mm)           5.50      5.50      5.50
ｆｂ (in air)      6.31      6.31      6.31
全長 (in air)    168.63    168.63    168.63
d21              0.26     16.81     28.69
d29             18.03     12.60      0.23
d34             11.69      0.57      1.06
各群焦点距離
f1=14.14    f2=-24.35    f3=73.60    f4=31.94
【０４８０】
数値実施例１６
単位  ｍｍ
面データ
面番号       r          d         nd        νd
物体面         ∞        1.35
1        43.231      9.70     1.76200    40.10
2        57.098      0.10
3        32.147      4.09     1.67003    47.23
4       -18.329      可変
5*      107.325      1.67     1.49700    81.61
6*      -33.414      0.10
7*       33.505      1.96     1.63484    23.91
8*     -101.909      0.70
9*       -8.0366e+6  1.00     1.58360    30.33
10*       13.965      1.29
11        42.408      4.84     1.49700    81.61
12       -10.327      1.00     1.72047    34.71
13       -18.267      0.10
14（絞り）  ∞        可変
15        22.493      1.00     1.61293    37.00
16        13.296      5.25     1.49700    81.61
17       -31.912      0.10
18        31.545      1.00     1.80518    25.42
19        16.499      0.84
20*       22.520      2.82     1.53366    55.96
21*      -54.016      0.10
22*       19.422      3.27     1.63484    23.91
23*      -25.541      0.45
24*      -30.483      1.18     1.58360    30.33
25*        8.393      可変
26       -40.913      2.38     1.84666    23.78
27       -15.464      6.15
28       -14.833      1.53     1.70000    48.08
29        69.314      可変
30     -2448.807      2.25     1.75500    52.32
31       -11.550      2.43
32*       -3.805      1.55     1.53366    55.96
33*       53.678      0.32
34          ∞        0.30     1.51633    64.14
35          ∞        1.50
像面          ∞
非球面データ
第５面
k=-151.903
A4=-6.05656e-05,A6=2.88945e-07
第６面
k=-10.719
A4=1.97656e-05,A6=2.16972e-07
第７面
k=3.055
A4=1.91538e-05,A6=-6.99611e-08
第８面
k=-5.065
A4=3.62227e-05,A6=3.44566e-07
第９面
k=-1.15125e+23
A4=4.69062e-05,A6=1.05024e-07
第１０面
k=-1.072
A4=-2.81467e-05,A6=7.64679e-08
第２０面
k=-1.107
A4=-2.47911e-05,A6=-4.27580e-08
第２１面
k=-1.937
A4=1.40297e-05,A6=-6.62424e-08
第２２面
k=-3.162
A4=-4.05322e-05,A6=6.65571e-08
第２３面
k=-4.366
A4=7.04818e-06,A6=2.75944e-08
第２４面
k=-1.195
A4=2.69706e-05,A6=2.26935e-08
第２５面
k=-1.062
A4=-8.69007e-05,A6=5.53276e-08
第３２面
k=-1.627
A4=-6.41757e-05
第３３面
k=-10.000
A4=-3.45899e-05
各種データ
低倍端     中間     高倍端
ＮＡ               0.23      0.37      0.61
β                -2.66     -4.36     -7.12
焦点距離(mm)       3.75      2.55      1.74
ＩＨ(mm)           5.50      5.50      5.50
ｆｂ (in air)      2.01      2.01      2.01
全長 (in air)     80.46     86.36     98.54
d4               4.10      1.45      0.20
d14              6.08      3.23      0.20
d25              9.06     11.22     12.61
d29              0.34      9.58     24.65
各群焦点距離
f1=18.12    f2=31.26    f3=30.63    f4=-92.49    f5=-16.15
【０４８１】
数値実施例１７
単位  ｍｍ
面データ
面番号         r          d         nd       νd
物体面         ∞        1.39
1       -11.055      6.31     1.88300    40.76
2       -11.606      0.10
3        35.525      3.92     1.71300    53.87
4       -26.903      0.64
5         8.245      2.21     1.49700    81.61
6         7.987      可変
7      -102.909      2.33     1.53366    55.96
8*      -12.159      0.10
9       -95.469      4.28     1.60300    65.44
10        -6.261      1.00     1.72047    34.71
11       -20.461      可変
12（絞り）  ∞        1.61
13       -12.688      2.17     2.00178    19.32
14        -8.524      1.00     1.80000    29.84
15       -30.929      可変
16        25.638      3.53     1.53366    55.96
17*      -17.746      0.10
18        14.492      3.66     1.49700    81.54
19       -21.933      6.30     1.69895    30.13
20        12.811      可変
21*       26.959      2.00     1.53366    55.96
22         8.270     10.81
23        13.080      2.75     1.82115    24.06
24       -59.563      3.45
25*       -8.224      1.00     1.53366    55.96
26        13.053      0.94
27          ∞        0.30     1.51633    64.14
28          ∞        1.50
像面          ∞
非球面データ
第８面
k=0.000
A4=1.07108e-05
第１７面
k=0.000
A4=4.31973e-05
第２１面
k=0.000
A4=9.86864e-05
第２５面
k=0.000
A4=7.42389e-04
各種データ
低倍端     中間     高倍端
ＮＡ               0.23      0.37      0.61
β                -2.18     -3.57     -5.83
焦点距離(mm)      10.02      5.35      2.95
ＩＨ(mm)           4.75      4.75      4.75
ｆｂ (in air)      2.64      2.64      2.64
全長 (in air)     89.02     89.53     81.81
d6               9.99      4.01      2.77
d11              0.10      6.59      0.10
d15             16.48      9.57      0.20
d20              0.55      7.46     16.83
各群焦点距離
f1=11.95    f2=21.07    f3=-40.96    f4=20.20    f5=-18.31
【０４８２】
数値実施例１８
単位  ｍｍ
面データ
面番号         r          d         nd       νd
物体面         ∞        可変
1       -22.158      7.87     2.00178    19.32
2       -10.000      5.52     1.80518    25.42
3       -64.870      0.10
4       514.184      8.30     1.88300    40.76
5       -29.149      0.10
6       -49.162      2.15     1.92286    20.88
7       -21.169      0.10
8        52.434      4.76     1.49700    81.54
9       -14.067      1.00     1.56732    42.82
10        49.694      0.57
11       131.131      1.00     1.71736    29.52
12        24.619      3.48     1.49700    81.54
13       -43.305      0.10
14        41.039      2.11     1.49700    81.54
15      -237.199      0.10
16        41.438      1.00     1.80440    39.59
17        16.705      3.24     1.49700    81.61
18      -499.930      0.10
19（絞り）  ∞        0.10
20          ∞        1.42     1.58144    40.75
21       -79.663      可変
22*      -48.415      1.00     1.53366    55.96
23        34.525      0.10
24        24.319      1.86     1.63484    23.91
25*      198.494      1.02
26*      -29.143      1.00     1.53366    55.96
27        21.359      0.11
28        22.635      1.12     1.63484    23.91
29*       24.666      可変
30        30.973      3.70     1.72916    54.68
31       -49.186      0.10
32        34.091      3.80     1.72916    54.68
33       -34.101      1.00     1.71736    29.52
34        27.835      可変
35*     -297.555      1.53     1.72903    54.04
36       -50.238      0.10
37        45.319      4.28     1.69680    55.53
38       -15.110      3.44     1.91082    35.25
39        37.743     12.29
40      9142.672      1.00     1.69680    55.53
41        27.912      3.93
42        41.712      3.93     1.84666    23.78
43       -26.474      0.10
44        17.156      7.95     1.80810    22.76
45        16.815      1.98
46       -19.556      1.00     1.69680    55.53
47*       18.003      0.84
48          ∞        0.30     1.51633    64.14
49          ∞        5.00
像面          ∞
非球面データ
第２２面
k=0.000
A4=-9.78567e-06
第２５面
k=0.000
A4=2.55328e-05
第２６面
k=0.000
A4=5.13966e-05
第２９面
k=0.000
A4=-1.05555e-05
第３５面
k=0.000
A4=-1.83517e-05
第４７面
k=0.000
A4=-1.29699e-04
各種データ（d0は物体面におけるdの値である。）
低倍端     中間     高倍端
ＮＡ               0.23      0.37      0.61
β                -2.19     -3.57     -5.82
焦点距離(mm)      15.06     11.20      5.11
ＩＨ(mm)           5.50      5.50      5.50
ｆｂ (in air)      6.03      6.03      6.03
全長 (in air)    124.31    135.94    139.46
d0               1.26      1.01      0.93
d21              0.31     17.54     26.22
d29             16.77     10.41      0.29
d34              1.76      2.52      7.47
各群焦点距離
f1=12.35    f2=-21.91    f3=26.38    f4=-115.20
【０４８３】
数値実施例１９
単位  ｍｍ
面データ
面番号         r          d         nd       νd
物体面         ∞        1.35
1       -39.532      9.74     1.90366    31.32
2        23.654      9.75     2.00100    29.13
3       -36.653      0.10
4       941.821      9.62     1.86400    40.58
5       -26.876      0.10
6       -36.098      9.15     1.76182    26.52
7        64.408      8.53     1.84666    23.78
8       -49.688      0.10
9       185.423      5.72     1.49700    81.54
10       -22.161      1.00     1.62004    36.26
11       115.347      1.20
12      -280.013      1.00     1.72047    34.71
13        46.267      5.34     1.49700    81.54
14       -44.160      0.10
15       264.207      2.83     1.43875    94.93
16       -70.753      0.10
17        54.206      2.71     1.55332    71.68
18       547.062      0.28
19（絞り）  ∞        可変
20      4894.995      1.00     1.72047    34.71
21        18.521      3.19     1.84666    23.78
22        83.205      1.69
23       -45.352      1.00     1.90366    31.32
24        23.618      2.32     2.00178    19.32
25        57.491      可変
26      3791.290      3.02     1.74320    49.34
27       -44.426      0.10
28        72.431      2.41     1.72903    54.04
29      -603.236      0.10
30        36.123      5.97     1.74100    52.64
31       -91.650      3.40     1.85026    32.27
32        37.543      可変
33        26.851      3.90     1.72916    54.68
34      -100.532      1.00     1.84666    23.78
35        27.575      可変
36        24.285      3.71     1.80810    22.76
37       -45.497      1.42
38       -33.596      1.39     1.55332    71.68
39        47.907      6.25
40       -27.385      2.54     1.55332    71.68
41*       18.759      1.62
42          ∞        0.30     1.51633    64.14
43          ∞        2.61
像面          ∞
非球面データ
第４１面
k=0.000
A4=5.45815e-06
各種データ
低倍端     中間     高倍端
ＮＡ               0.11      0.23      0.61
β                -1.26     -2.43     -6.51
焦点距離(mm)      32.90     20.74      5.35
ＩＨ(mm)           5.50      5.50      5.50
ｆｂ (in air)      4.42      4.42      4.42
全長 (in air)    168.17    198.03    241.71
d19              0.20     27.61     54.61
d25             28.14     17.06      1.05
d32              1.87     12.75     65.62
d35             21.75     24.42      4.23
各群焦点距離
f1=21.80    f2=-27.33    f3=32.47    f4=-428.68    f5=-155.34
【０４８４】
実施例１〜１９における条件式（１）〜（２１）の値を掲げる。なお、ハイフン（−）は、該当する構成がないか、条件式を満足しないことを示している。
条件式             実施例1   実施例2   実施例3   実施例4   実施例5
(1)1/βHG1              0.62      0.75      0.57      0.57      0.70
(2)BFL/Y               0.31      0.40      0.75      0.43      0.51
(3)ΔGpmax/ΔGpobj          -        0.06      0.34       -         -
(4)fG1/fG2               1.31      1.14      0.57      0.58      1.21
(4-1)fG1/fG2              -         -         -         -         -
(5)fG1/fLGp              1.22      1.09      0.44      0.49      1.87
(6)DHGpop/DHGpoi            0.57      0.49      0.22      0.21      0.37
(7)|DsGno/φHs|           -         -         -         -         -
(8)ΔG2max/DHIGi            -         -         -         -         -
(9)fG3/fG2                -         -         -         -         -
(10)fHG1G3/fHGI            -         -         -         -         -
(11)DHpn/DHpi             -         -         -         -         -
(12)|Δiomax/Δmax|        -         -         -         -         -
(13)|Δwd/Dwdmax|         -         -         -         -         -
(14)2×Y/p         20000     20000      3929      5000      5000
(15)NAH                 0.61      0.61      0.61      0.61      0.22
(16)εH90/p             5.63      5.68      5.51      5.53      5.30
(17)NA'H                0.17      0.17      0.07      0.09      0.09
(18)LTL/p             -0.9      -0.5      -0.8      -0.5       0.3
(19)ATH/p             14.2      13.3       2.7       3.5      10.5
(20)CRALobj              3.6       1.7      -1.3      -0.3       3.9
(21)CRAHobj              4.8       2.5       0.3       0.4       5.8
条件式             実施例6   実施例7   実施例8   実施例9   実施例10
(1)1/βHG1              0.44      0.48      0.46      0.65      0.90
(2)BFL/Y               0.48      0.63      0.66      0.54      0.44
(3)ΔGpmax/ΔGpobj           -         -         -         -         -
(4)fG1/fG2               0.70      0.49      0.56      0.47      0.65
(4-1)fG1/fG2              -         -         -         -         -
(5)fG1/fLGp              0.81      0.44      0.54      0.58      0.92
(6)DHGpop/DHGpoi            0.24      0.13      0.14      0.29      0.27
(7)|DsGno/φHs|          0.21      0.12      0.14       -        0.05
(8)ΔG2max/DHIGi           -         -         -         -         -
(9)fG3/fG2                -         -         -         -         -
(10)fHG1G3/fHGI            -         -         -         -         -
(11)DHpn/DHpi             -         -         -         -         -
(12)|Δiomax/Δmax         -         -         -         -         -
(13)|Δwd/Dwdmax|         -         -         -         -         -
(14)2×Y/p         10000      4318      5278      4318      4318
(15)NAH                  0.61      0.61      0.61      0.61      0.26
(16)εH90/p             6.10      5.51      5.43      5.56      5.40
(17)NA'H                0.17      0.09      0.10      0.08      0.09
(18)LTL/p             -1.1      -0.6      -0.2      -0.3       0.4
(19)ATH/p             44.0      29.5      27.5      17.6       5.2
(20)CRALobj             -1.5      -3.5      -3.5      -1.8      -3.6
(21)CRAHobj             -5.0      -2.2      -3.0      -0.9      -2.1
条件式             実施例11  実施例12  実施例13  実施例14  実施例15
(1)1/βHG1               -         -         -         -         -
(2)BFL/Y               1.45      1.16      0.88      1.56      1.17
(3)ΔGpmax/ΔGpobj           -         -         -         -         -
(4)fG1/fG2                -         -         -         -         -
(4-1)fG1/fG2            -0.74     -0.67     -0.93     -1.99     -0.58
(5)fG1/fLGp               -         -         -         -         -
(6)DHGpop/DHGpoi            -         -         -         -         -
(7)|DsGno/φHs|           -         -         -         -         -
(8)ΔG2max/DHIGi           0.57      0.34      0.73      0.19      0.34
(9)fG3/fG2              -2.08     -2.72     -2.15     -2.17     -3.02
(10)fHG1G3/fHGI           0.26      0.22      0.10      0.65      0.23
(11)DHpn/DHpi            0.80      0.90      0.93      0.71      0.91
(12)|Δiomax/Δmax|        -         -         -         -         -
(13)|Δwd/Dwdmax|         -         -         -         -         -
(14)2×Y/p          5455      6111      5000      6111      6111
(15)NAH                 0.61      0.61      0.61      0.12      0.61
(16)εH90/p             5.56      5.53      5.02      5.42      5.46
(17)NA'H                0.17      0.10      0.09      0.11      0.10
(18)LTL/p              1.9       1.4       3.4       2.8       1.5
(19)ATH/p             31.2      22.6      22.0       3.2      19.6
(20)CRALobj              0.5      -1.0      -0.4       1.8       3.6
(21)CRAHobj              0.2      -0.2       0.0       2.5       1.4
条件式             実施例16  実施例17  実施例18  実施例19
(1)1/βHG1              0.59      0.46       -         -
(2)BFL/Y               0.38      0.58      1.12      0.82
(3)ΔGpmax/ΔGpobj          -         -         -         -
(4)fG1/fG2               0.58      0.57       -         -
(4-1)fG1/fG2             -         -       -0.56     -0.80
(5)fG1/fLGp              0.59      0.59       -         - 
(6)DHGpop/DHGpoi           0.19      0.21       -         -
(7)|DsGno/φHs|           -        0.14       -         -
(8)ΔG2max/DHIGi           -         -        0.17      0.17
(9)fG3/fG2                -         -       -1.20     -1.19
(10)fHG1G3/fHGI            -         -       -0.09     -0.16
(11)DHpn/DHpi             -         -        0.87      0.84
(12)|Δiomax/Δmax|       0.67      0.47      1.00      1.00
(13)|Δwd/Dwdmax|       0.00      0.00      0.27      0.00
(14)2×Y/p          5000      5278      6111      6111
(15)NAH                 0.61      0.61      0.61      0.61
(16)εH90/p             5.45      5.43      5.44      6.16
(17)NA'H                0.09      0.10      0.10      0.09
(18)LTL/p            -0.9      -0.4       1.1       3.1
(19)ATH/p             5.9      30.7      31.2      35.8
(20)CRALobj             -0.1      -3.3       3.7       2.1
(21)CRAHobj              0.5       0.9       1.5       0.5
【０４８５】
図３９は、本実施形態の光学機器である顕微鏡を示す図である。顕微鏡１は正立型の顕微鏡である。図３９に示すように、顕微鏡１は、本体２、ステージ３、撮像部４、照明ユニット５、照準ノブ６、変倍光学系７、撮像素子８を備える。
【０４８６】
本体２には、ステージ３、撮像部４及び照準ノブ６が設けられている。ステージ３の上には、標本が載置される。ステージ３の光軸方向への移動は、照準ノブ６によって行なわれる。照準ノブ６の操作（回転）によってステージ３を移動させ、これにより、標本に対するピント合わせができる。そのために、本体２とステージ３との間に移動機構（不図示）が設けられている。
【０４８７】
撮像部４には、照明ユニット５が設けられている。撮像部４と照明ユニット５は、ステージ３の上方に位置している。照明ユニット５には、照明素子５ａが輪帯状に配置されている。照明素子５ａとしては、例えば、ＬＥＤがある。
【０４８８】
撮像部４の内部には、変倍光学系７と撮像素子８が配置されている。変倍光学系７には、例えば、実施例１の変倍光学系が用いられている。変倍光学系７の先端は、照明ユニット５の中央部に位置している。
【０４８９】
照明ユニット５から、標本に照明光が照射される。この場合、照明は落射照明になる。標本からの反射光や蛍光は、変倍光学系７を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０４９０】
ここで、顕微鏡１は、変倍光学系７（本実施形態の変倍光学系）を備えている。この変倍光学系７は、全長が短い光学系でありながら、広い撮影範囲を有し、収差が良好に補正され、高い分解能を有する。そのため、顕微鏡１では、広い範囲で諸収差が良好に補正され、明るく鮮明な標本像が得られる。
【０４９１】
なお、上記の例では、変倍光学系を撮像部に配置したが、これに限られない。例えば、同焦点距離が７５ｍｍの対物レンズでは、レンズを保持する枠部材に、本実施例の変倍光学系と撮像素子を配置できる。この場合、既存の対物レンズと同様に、本実施例の変倍光学系をレボルバー取り付けることができる。このようにすれば、既存の対物レンズと本実施形態の変倍光学系を切り替えて使用できる。
【０４９２】
また、上記変倍光学系を用いる光学機器として顕微鏡の例を用いて説明した。しかしながら、本発明の変倍光学系は、これに限られず、光学機器として、たとえば電子撮像装置（携帯カメラ用レンズユニット、ノートＰＣ、携帯情報端末）へ適用できる。
【０４９３】
なお、撮像部４は変倍光学系７と撮像素子８を備えているので、撮像部４を撮像装置と見なすことができる。この場合、顕微鏡１は、撮像部４、ステージ３及び照明ユニット５（照明装置）を備えているので、撮像システムということができる。なお、図３９では、ステージ３は、照準機構（照準ノブ６）を介して本体２に接続されているが、移動機構を介さずにステージ３を本体２に直接取り付けても良い。このようにすることで、本体２を介して、撮像部４とステージ３とを一体化することができる。
【０４９４】
図４０は、本実施形態の光学機器である顕微鏡を示す図である。顕微鏡１０は、正立型の顕微鏡である。顕微鏡１（図３９）と同じ構成については同じ番号を付し、説明は省略する。
【０４９５】
撮像部４の内部には、変倍光学系１１と撮像素子８が配置されている。変倍光学系１１には、例えば、実施例１の変倍光学系が用いられている。
【０４９６】
顕微鏡１では、変倍光学系７側に照明ユニット５が設けられていた。これに対して、顕微鏡１０では、ステージ３を挟んで変倍光学系１１と反対側に照明ユニット１２が設けられている。これにより、顕微鏡１０では透過照明が行える。照明ユニット１２は、光源部１３とライトガイドファイバ１４とで構成されている。
【０４９７】
光源部１３は、光源として、例えばハロゲンランプ、水銀ランプ、キセノンランプ、ＬＥＤ、レーザを備える。また、光源部１３はレンズを備える。光源から出射した照明光は、レンズを介してライトガイドファイバ１４の入射端１５に入射する。ライトガイドファイバ１４に入射した照明光は、ライトガイドファイバ１４内を伝達して出射端１６から出射する。
【０４９８】
ライトガイドファイバ１４の出射端１６は、保持機構（不図示）によってステージ３に接続されている。ここで、ライトガイドファイバ１４の出射端１６は、ステージ３の下面に位置している。よって、出射端１６から出射した照明光は、ステージ３の下側から変倍光学系１１側に向かって標本に照射される。このようにして、顕微鏡１０では透過照明が行われる。
【０４９９】
なお、ライトガイドファイバ１４の保持はステージ３で行っているが、ステージ３以外の手段でライトガイドファイバ１４を保持しても良い。また、ライトガイドファイバ１４の出射端１６をステージ３の上面（変倍光学系１１側）に位置させても良い。このようにすることで、顕微鏡１と同様に、顕微鏡１０において落射照明を行うことができる。
【０５００】
標本からの透過光や蛍光は、変倍光学系１１を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０５０１】
顕微鏡１０も、変倍光学系１１（本実施形態の変倍光学系）を備えている。この変倍光学系１１は、全長が短い光学系でありながら、広い撮影範囲を有し、収差が良好に補正され、高い分解能を有する。そのため、顕微鏡１０では、広い範囲で諸収差が良好に補正され、明るく鮮明な標本像が得られる。なお、顕微鏡１０は落射照明であっても構わない。また、顕微鏡１０を構成する各部材の配置は、適宜設計変更可能である。
【０５０２】
図４１は、本実施形態の光学機器である顕微鏡を示す図である。顕微鏡２０は、倒立型の顕微鏡である。顕微鏡２０は、本体２１、ステージ２２、撮像部４、変倍光学系２３、撮像素子８、照準ノブ２４、透過照明光源２５、反射ミラー２６、コンデンサレンズ２７を備える。
【０５０３】
ここで、撮像部４の内部には、変倍光学系２３と撮像素子８が配置されている。変倍光学系２３には、例えば、実施例１の変倍光学系が用いられている。
【０５０４】
本体２１には、ステージ２２、撮像部４及び照準ノブ２４が設けられている。ステージ２２の上には、標本が載置される。撮像部４の光軸方向への移動は、照準ノブ２４によって行なわれる。照準ノブ２４の操作（回転）によって撮像部４を移動させ、これにより、標本に対するピント合わせができる。そのために、本体２１内には移動機構（不図示）が設けられ、移動機構に撮像部４が保持されている。
【０５０５】
また、本体２１には、透過照明光源２５、反射ミラー２６及びコンデンサレンズ２７が設けられている。透過照明光源２５、反射ミラー２６及びコンデンサレンズ２７は、ステージ２２の上方に配置されている。透過照明光源２５から出射した照明光は反射ミラー２６で反射され、コンデンサレンズ２７に入射する。コンデンサレンズ２７は、ステージ２２の上面に位置している。よって、コンデンサレンズ２７から出射した照明光は、ステージ２２の上側から変倍光学系２３側に向かって標本に照射される。このようにして、顕微鏡２０では透過照明が行われる。
【０５０６】
顕微鏡２０も、変倍光学系２３（本実施形態の変倍光学系）を備えている。この変倍光学系２３は、全長が短い光学系でありながら、広い撮影範囲を有し、収差が良好に補正され、高い分解能を有する。そのため、顕微鏡１では、広い範囲で諸収差が良好に補正され、明るく鮮明な標本像が得られる。なお、顕微鏡２０を構成する各部材の配置は、適宜設計変更可能である。
【０５０７】
図４２は、本実施形態の光学機器である顕微鏡を示す図である。図２６（ａ）は顕微鏡の全体構成を示す図、（ｂ）は顕微鏡３０を固定した状態を示す図である。
【０５０８】
顕微鏡３０は、携帯型の顕微鏡である。顕微鏡３０は、プローブ部３１、コントロールボックス３２、ライトガイドファイバ３３、ケーブル３４、撮像部４、変倍光学系３５、撮像素子８、照明用導光体３６、光源３７を備える。
【０５０９】
撮像部４の内部には、変倍光学系３５と撮像素子８が配置されている。変倍光学系３５には、例えば、実施例１の変倍光学系が用いられている。
【０５１０】
プローブ部３１とコントロールボックス３２は、ライトガイドファイバ３３とケーブル３４により接続されている。コントロールボックス３２は、光源３７と処理部（不図示）とを有する。処理部は、プローブ部３１からの映像信号を処理する。
【０５１１】
プローブ部３１は、使用者が手に持つことができる大きさである。プローブ部３１は、撮像部４と照明用導光体３６とを有する。照明用導光体３６は撮像部４の外周側に配置されている。照明用導光体３６はライトガイドファイバ３３と光学的に接続されている。光源３７から出射した照明光はライトガイドファイバ３３内を伝達して、照明用導光体３６に入射する。照明光は照明用導光体３６内を伝達して、プローブ部３１から出射する。このようにして、顕微鏡３０では落射照明が行われる。
【０５１２】
標本からの反射光や蛍光は、変倍光学系３５を通過して撮像素子８に入射する。撮像素子８の撮像面には、標本像（光学像）が形成される。標本像は撮像素子８によって光電変換され、これにより標本の画像が得られる。標本の画像は表示装置（不図示）に表示される。このようにして、観察者は、標本の画像を観察できる。
【０５１３】
プローブ部３１は、ライトガイドファイバ３３とケーブル３４によりコントロールボックス３２に接続されている。そのため、プローブ部３１の位置や向きを自由に設定することができる。この場合、プローブ部３１の姿勢（位置や向き）の固定は、観察者の手で行うことになる。しかしながら、観察者の手による固定では、十分に安定しない場合がある。
【０５１４】
プローブ部３１の姿勢（位置や向き）を安定させるためには、図２６（ｂ）に示すように架台３８でプローブ部３１を保持すれば良い。このようにすることで、プローブ部３１の姿勢（位置や向き）を安定させることができる。
【０５１５】
なお、架台３８には、照準ノブ３９が設けられている。プローブ部３１（撮像部４）の光軸方向への移動は、照準ノブ３９によって行なわれる。照準ノブ３９の操作（回転）によってプローブ部３１を移動させ、これにより、標本に対するピント合わせができる。そのために、架台３８内には移動機構（不図示）が設けられている。
【０５１６】
顕微鏡３０も、変倍光学系３５（本実施形態の変倍光学系）を備えている。この変倍光学系３５は、全長が短い光学系でありながら、広い撮影範囲を有し、収差が良好に補正され、高い分解能を有する。そのため、顕微鏡３０では、広い範囲で諸収差が良好に補正され、明るく鮮明な標本像が得られる。なお、顕微鏡３０を構成する各部材の配置は、適宜設計変更可能である。
【０５１７】
なお、顕微鏡１、顕微鏡１０、顕微鏡２０、顕微鏡３０の各々には、実施例１〜１９の変倍光学系のうちのどの変倍光学系でも用いることができる。
【０５１８】
このように、本発明は、その趣旨を逸脱しない範囲で様々な変形例をとることができる。また、上記各実施例により示された形状枚数には必ずしも限定されない。また、各レンズ内又は各レンズ外に、上記各実施例に図示されていないレンズであって実質的に屈折力を有さないレンズを配置してもよい。
また、本発明には、上述の発明の他に以下の発明も含まれる。
【０５１９】
（付記項１）
低倍端から高倍端までの間で倍率が変化する光学系であって、
最も物体側に配置され、正の屈折力を有する第１レンズ群と、
前記第１レンズ群よりも像側に配置され、正の屈折力を有する第２レンズ群と、を少なくとも有し、
変倍時に、第１レンズ群と第２レンズ群との間隔が変化し、
以下の条件式（１）を満足することを特徴とする変倍光学系。
０＜１／βHG1＜１      （１）
ここで、
βHG1は、高倍端での第１レンズ群の結像倍率、
である。
（付記項２）
以下の条件式（２）を満足することを特徴とする付記項１に記載の変倍光学系。
０＜ＢＦL／Ｙ≦４．３      （２）
ここで、
ＢＦLは、低倍端でのバックフォーカス、
Ｙは、変倍光学系全系における最大像高、
である。
（付記項３）
第２レンズ群よりも像側に、絞りが配置され、
絞りよりも像側に、所定の正レンズ群が配置され、
所定の正レンズ群は正の屈折力を有すると共に、低倍端に比べて高倍端での絞りとの間隔が小さくなるレンズ群であることを特徴とする付記項１又は２に記載の変倍光学系。
（付記項４）
所定の正レンズ群は、２枚以上の正レンズと、１枚以上の負レンズと、を少なくとも有することを特徴とする付記項３に記載の変倍光学系。
（付記項５）
絞りよりも像側に、所定の正レンズ群が複数配置され、
第１の所定の正レンズ群は、複数の所定の正レンズ群のうちで、最も物体側に配置され、
以下の条件式（３）を満足することを特徴とする付記項３に記載の変倍光学系。
０＜ΔGpmax／ΔGpobj≦０．６      （３）
ここで、
ΔGpmaxは、所定の正レンズ群のうち何れか２つの所定の正レンズ群の光軸上の間隔の変化量のうち、最大となる変化量、
ΔGpobjは、第１の所定の正レンズ群の光軸上の移動量のうち、最大となる移動量、
である。
ここで、ΔGpmaxは、所定の正レンズ群が３つ以上のレンズ群から構成される場合、当該３つ以上のレンズ群から２つのレンズ群を選択する全ての組み合わせの中で、正レンズ群の光軸上の間隔の変化量のうち、最大となる変化量である。
（付記項６）
以下の条件式（４）を満足することを特徴とする付記項１から５のいずれか一項に記載の変倍光学系。
０．１≦ｆG1／ｆG2≦５      （４）
ここで、
ｆG1は、第１レンズ群の焦点距離、
ｆG2は、第２レンズ群の焦点距離、
である。
（付記項７）
低倍端から高倍端への変倍時に、絞りが像側から物体側に移動することを特徴とする付記項１から６のいずれか一項に記載の変倍光学系。
（付記項８）
以下の条件式（５）を満足することを特徴とする付記項３に記載の変倍光学系。
０．２≦ｆG1／ｆLGp≦１０      （５）
ここで、
ｆG1は、第１レンズ群の焦点距離、
ｆLGpは、低倍端での所定の正レンズ群の焦点距離、
である。
（付記項９）
所定の正レンズを１つ以上有し、
所定の正レンズに、高分散の硝材が用いられていることを特徴とする付記項１から８のいずれか一項に記載の変倍光学系。
（付記項１０）
以下の条件式（６）を満足することを特徴とする付記項３から５、９のいずれか一項に記載の変倍光学系。
−１≦ＤHGpop／ＤHGpoi≦０．６５      （６）
ここで、
ＤHGpopは、高倍端での所定の正レンズ群における最も物体側のレンズ面から物体側主面までの光軸上の距離、
ＤHGpoiは、高倍端での所定の正レンズ群における最も物体側のレンズ面から最も像側のレンズ面までの光軸上の距離、
である。
（付記項１１）
絞りと、所定の負レンズ群と、を有し、
所定の負レンズ群は負の屈折力を有すると共に、絞りと隣り合うように配置され、
以下の条件式（７）を満足することを特徴とする付記項１から１０のいずれか一項に記載の変倍光学系。
｜ＤsGno／φHs｜≦１      （７）
ここで、
ＤsGnoは、絞りから所定の負レンズ群における最も絞り側のレンズ面までの光軸上の距離、
φHsは、高倍端での絞りの直径、
である。
（付記項１２）
所定の負レンズ群は、１枚以上の正レンズと、１枚以上の負レンズと、を少なくとも有し、
正レンズに、負レンズよりも高分散の硝材を用いていることを特徴とする付記項１１に記載の変倍光学系。
（付記項１３）
正レンズと負レンズとが接合されていることを特徴とする付記項１２に記載の変倍光学系。
（付記項１４）
低倍端から高倍端までの間で倍率が変化する光学系であって、
最も物体側に配置され、正の屈折力を有する第１レンズ群と、
第１レンズ群よりも像側に配置され、負の屈折力を有する第２のレンズ群と、を少なくとも有し、
第２レンズ群よりも物体側に配置された絞りを有し、
変倍時に、第２レンズ群は移動して、第１レンズ群と第２レンズ群との間隔が変化し、
第２レンズ群よりも像側に、第３レンズ群が配置され、
以下の条件式（８）を満足することを特徴とする変倍光学系。
０．１５≦ΔG2max／ＤHIGi≦２      （８）
ここで、
ΔG2maxは、第２レンズ群の光軸上の移動量のうち、最大となる移動量、
ＤHIGiは、高倍端での第３レンズ群の最も物体側のレンズ面から像面までの光軸上の距離、
である。
（付記項１５）
以下の条件式（２）を満足することを特徴とする付記項１４に記載の変倍光学系。
０＜ＢＦL／Ｙ≦４．３      （２）
ここで、
ＢＦLは、低倍端でのバックフォーカス、
Ｙは、変倍光学系全系における最大像高、
である。
（付記項１６）
所定の正レンズを１つ以上有し、
所定の正レンズに高分散の硝材が用いていることを特徴とする付記項１４又は１５に記載の変倍光学系。
（付記項１７）
以下の条件式（４−１）を満足することを特徴とする付記項１４から１６のいずれか一項に記載の変倍光学系。
−２．５≦ｆG1／ｆG2≦−０．２      （４−１）
ここで、
ｆG1は、第１レンズ群の焦点距離、
ｆG2は、第２レンズ群の焦点距離、
である。
（付記項１８）
第３レンズ群は正の屈折力を有すると共に、第２レンズ群よりも像側に、第２レンズ群に隣り合うように配置され、
変倍時、第２レンズ群と第３レンズ群との間隔が変化し、
以下の条件式（９）を満足することを特徴とする付記項１４から１７のいずれか一項に記載の変倍光学系。
−７．５≦ｆG3／ｆG2≦−１      （９）
ここで、
ｆG2は、第２レンズ群の焦点距離、
ｆG3は、第３レンズ群の焦点距離、
である。
（付記項１９）
第２レンズ群よりも像側に、正の屈折力を有する第３レンズ群が配置され、
第３レンズ群よりも像側に、１つ以上のレンズ群を有し、
以下の条件式（１０）を満足することを特徴とする付記項１４から１８のいずれか一項に記載の変倍光学系。
０．０７≦ｆHG1G3／ｆHGI≦１      （１０）
ここで、
ｆHG1G3は、高倍端での第１レンズ群と、第２レンズ群と、第３レンズ群との合成焦点距離、
ｆHGIは、高倍端での第３レンズ群よりも像側に位置するレンズ群の合成焦点距離、
である。
（付記項２０）
第２レンズ群は、１枚以上の正レンズと、１枚以上の負レンズと、を少なくとも有し、
正レンズに、負レンズよりも高分散の硝材を用いていることを特徴とする付記項１４から１９のいずれか一項に記載の変倍光学系。
（付記項２１）
第２レンズ群は、２枚以上の負レンズを有することを特徴とする付記項１４から２０のいずれか一項に記載の変倍光学系。
（付記項２２）
第１レンズ群は、２組以上の接合レンズを有することを特徴とする付記項１４から２１のいずれか一項に記載の変倍光学系。
（付記項２３）
第３レンズ群よりも像側に、１枚以上の正レンズと、１枚以上の負レンズと、を有し、
正レンズと負レンズのうち、最も物体側に配置された物体側正レンズと、最も像側に配置された像側負レンズが、以下の条件式（１１）を満足することを特徴とする付記項１８から２２のいずれか一項に記載の変倍光学系。
０．５≦ＤHpn／ＤHpi≦０．９９      （１１）
ＤHpnは、高倍端での物体側正レンズの物体側面から像側負レンズの像側面までの光軸上の距離、
ＤHpiは、高倍端での物体側正レンズの物体側面から像面までの光軸上の距離、
である。
（付記項２４）
低倍端から高倍端までの間で倍率が変化する光学系であって、
最も物体側に配置され、正の屈折力を有する第１レンズ群と、
第１レンズ群よりも像側に配置された第２レンズ群と、を少なくとも有し、
変倍光学系は、変倍時に共役長が変化する光学系であって、
変倍時に移動するレンズ群を有し、
以下の条件式（１２）を満足することを特徴とする変倍光学系。
０．０１≦｜Δiomax／Δmax｜≦５      （１２）
ここで、
Δiomaxは、共役長の変化量のうち、最大となる変化量、
Δmaxは、移動するレンズ群の移動量のうち、最大となる移動量、
である。
（付記項２５）
第１レンズ群は、最も物体側に配置された第１物体側レンズを有し、
以下の条件式（１３）を満足することを特徴とする付記項２４に記載の変倍光学系。
｜Δwd／Ｄwdmax｜≦０．５      （１３）
ここで、
Δwdは、物体から第１物体側レンズの物体側面までの距離の変化量のうち、最大となる変化量、
Ｄwdmaxは、物体から第１物体側レンズの物体側面までの距離のうち、最大となる距離、
である。
（付記項２６）
第１レンズ群から物体までの距離が一定になるように、第１レンズ群が移動することを特徴とする付記項２４又は２５に記載の変倍光学系。
（付記項２７）
撮像素子と、変倍光学系と、を有する撮像装置であって、
変倍光学系によって、撮像素子上に光学像が形成され、
変倍光学系は、低倍端から高倍端までの間で倍率が変化する光学系であって、
最も物体側に配置され、正の屈折力を有する第１レンズ群と、
第１レンズ群よりも像側に配置された第２レンズ群と、を少なくとも有し、
変倍時に、第１レンズ群と第２レンズ群との間隔が可変であり、
以下の条件式（１４）、（１５）を満足することを特徴とする撮像装置。
３０００≦２×Ｙ／ｐ      （１４）
０．０８≦ＮＡH      （１５）
ここで、
Ｙは、変倍光学系全系における最大像高、
ｐは、撮像素子における画素ピッチ、
ＮＡHは、高倍端での変倍光学系の物体側の開口数、
である。
（付記項２８）
以下の条件式（１６）を満足することを特徴とする付記項２７に記載の撮像装置。
１．０＜εH90／ｐ＜１０      （１６）
ここで、
εH90は、変倍光学系の高倍端において、波長ｅ線の点像を撮像素子の略中心付近に形成したときの、ベスト像面での点像強度分布の９０％エンサークルドエネルギーの直径、
ｐは、撮像素子における画素ピッチ、
である。
（付記項２９）
以下の条件式（１７）を満足することを特徴とする付記項２７又は２８に記載の撮像装置。
０．０６＜ＮＡ’H      （１７）
ここで、
ＮＡ’Hは、高倍端での変倍光学系の像側の開口数、
である。
（付記項３０）
以下の条件式（１８）を満足することを特徴とする付記項２７から２９の何れか一項に記載の撮像装置。
−７＜ＬＴL／ｐ＜７      （１８）
ここで、
ＬＴLは、変倍光学系の低倍端における重心間距離であって、該重心間距離は、最大像高の７０％の位置での、Ｃ線での点像強度分布の重心とｄ線での点像強度分布の重心との間の距離、
ｐは、撮像素子における画素ピッチ、
である。
（付記項３１）
以下の条件式（１９）を満足することを特徴とする付記項２７から３０の何れか一項に記載の撮像装置。
−５０＜ＡＴH／ｐ＜５０      （１９）
ここで、
ＡＴHは、撮像素子の略中心付近における、Ｃ線でのベストピント位置とｄ線でのベストピント位置との差、
ｐは、撮像素子における画素ピッチ、
である。
（付記項３２）
以下の条件式（２０）、（２１）を満足することを特徴とする付記項２７から３１の何れか一項に記載の撮像装置。
−７°＜ＣＲＡLobj＜７°      （２０）
−７°＜ＣＲＡHobj＜７°      （２１）
ここで、
ＣＲＡLobjは、低倍端での物体側主光線と光軸とのなす角度、
ＣＲＡHobjは、高倍端での物体側主光線と光軸とのなす角度、
物体側主光線は、第１レンズ群に入射する主光線のうち、最大像高の９０％の位置に到達する主光線、
である。
角度の正負は、光軸から時計回りの方向に測った場合の角度を負、反時計回りの方向に測ったときの角度を正とする。
（付記項３３）
光学像の画像のコントラストを検知しながら、自動的にフォーカスすることを特徴とする付記項２７から３２のいずれか一項に記載の撮像装置。
（付記項３４）
撮像素子を光軸方向に動かすことによってフォーカスすることを特徴とする付記項２７から３３のいずれか一項に記載の撮像装置。
（付記項３５）
付記項２７から３４の何れか一項に記載の撮像装置において、
光学系として、付記項１から２６のいずれか一項に記載の変倍光学系が用いられていることを特徴とする撮像装置。
（付記項３６）
以下の条件式（１２）を満足することを特徴とする付記項１から１３の何れか一項に記載の変倍光学系。
０．０１≦｜Δiomax／Δmax｜≦５      （１２）
ここで、
Δiomaxは、共役長の変化量のうち、最大となる変化量、
Δmaxは、移動するレンズ群の移動量のうち、最大となる移動量、
である。
（付記項３７）
第１レンズ群は、最も物体側に配置された第１物体側レンズを有し、
以下の条件式（１３）を満足することを特徴とする付記項３６に記載の変倍光学系。
｜Δwd／Ｄwdmax｜≦０．５      （１３）
ここで、
Δwdは、物体から第１物体側レンズの物体側面までの距離の変化量のうち、最大となる変化量、
Ｄwdmaxは、物体から第１物体側レンズの物体側面までの距離のうち、最大となる距離、
である。
（付記項３８）
第１レンズ群から物体までの距離が一定になるように、第１レンズ群が移動することを特徴とする付記項３６又は３７に記載の変倍光学系。
（付記項３９）
以下の条件式（１２）を満足することを特徴とする付記項１４から２３の何れか一項に記載の変倍光学系。
０．０１≦｜Δiomax／Δmax｜≦５      （１２）
ここで、
Δiomaxは、共役長の変化量のうち、最大となる変化量、
Δmaxは、移動するレンズ群の移動量のうち、最大となる移動量、
である。
（付記項４０）
第１レンズ群は、最も物体側に配置された第１物体側レンズを有し、
以下の条件式（１３）を満足することを特徴とする付記項３９に記載の変倍光学系。
｜Δwd／Ｄwdmax｜≦０．５      （１３）
ここで、
Δwdは、物体から第１物体側レンズの物体側面までの距離の変化量のうち、最大となる変化量、
Ｄwdmaxは、物体から第１物体側レンズの物体側面までの距離のうち、最大となる距離、
である。
（付記項４１）
第１レンズ群から物体までの距離が一定になるように、第１レンズ群が移動することを特徴とする付記項３９又は４０に記載の変倍光学系。
【産業上の利用可能性】
【０５２０】
以上のように、本発明は、光学系の全長が短く、従来の顕微鏡と同等の観察範囲、あるいはそれ以上の観察範囲において、軸上収差と軸外収差が良好に補正された変倍光学系及びそれを備えた撮像装置、撮像システムに適している。
【符号の説明】
【０５２１】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｓ  絞り（開口絞り）
Ｃ  カバーガラス
Ｉ  撮像面（像面）
Ｌ１〜Ｌ２７  レンズ
１、１０、２０、３０、４０  顕微鏡（光学機器）
２、２１、３８、４１  本体
３、２２、４２  ステージ
４  撮像部
５、１２、４５  照明ユニット
５ａ  照明素子
６、２４、３９、４４  照準ノブ
７、１１、２３、３５、４３  変倍光学系
８  撮像素子
１３、４６  光源部
１４  ライトガイドファイバ
１５  入射端
１６  出射端
２５  透過照明光源
２６  反射ミラー
２７  コンデンサレンズ
３１  プローブ部
３２  コントロールボックス
３３  ライトガイドファイバ
３４  ケーブル
３６  照明用導光体
３７  光源
３８  架台
４７  接続部
４８  ビームスプリッタ
４９  第１の光路
５０  第２の光路
【図１】
0006560984.tif 000002
【図２】
0006560984.tif 000003
【図３】
0006560984.tif 000004
【図４】
0006560984.tif 000005
【図５】
0006560984.tif 000006
【図６】
0006560984.tif 000007
【図７】
0006560984.tif 000008
【図８】
0006560984.tif 000009
【図９】
0006560984.tif 000010
【図１０】
0006560984.tif 000011
【図１１】
0006560984.tif 000012
【図１２】
0006560984.tif 000013
【図１３】
0006560984.tif 000014
【図１４】
0006560984.tif 000015
【図１５】
0006560984.tif 000016
【図１６】
0006560984.tif 000017
【図１７】
0006560984.tif 000018
【図１８】
0006560984.tif 000019
【図１９】
0006560984.tif 000020
【図２０】
0006560984.tif 000021
【図２１】
0006560984.tif 000022
【図２２】
0006560984.tif 000023
【図２３】
0006560984.tif 000024
【図２４】
0006560984.tif 000025
【図２５】
0006560984.tif 000026
【図２６】
0006560984.tif 000027
【図２７】
0006560984.tif 000028
【図２８】
0006560984.tif 000029
【図２９】
0006560984.tif 000030
【図３０】
0006560984.tif 000031
【図３１】
0006560984.tif 000032
【図３２】
0006560984.tif 000033
【図３３】
0006560984.tif 000034
【図３４】
0006560984.tif 000035
【図３５】
0006560984.tif 000036
【図３６】
0006560984.tif 000037
【図３７】
0006560984.tif 000038
【図３８】
0006560984.tif 000039
【図３９】
0006560984.tif 000040
【図４０】
0006560984.tif 000041
【図４１】
0006560984.tif 000042
【図４２】
0006560984.tif 000043